(57)【要約】ハンディ型バキュームクリーナは、入口導管軸を有する空気入口導管、吸引モータ回転軸を有する吸引モータ及びファンアセンブリ、及びサイクロン回転軸を有するサイクロンチャンバを備えるサイクロンユニットを含むことができる。入口導管軸はサイクロン軸に概ね平行であり、入口導管軸線を水平に配置すると、入口導管軸はサイクロン軸の上方に位置し、入口導管軸の延長部分は吸引モータと交差する。
2019505293.tif 000002
【特許請求の範囲】
【請求項１】
（ａ）入口導管軸を有する空気入口導管と、
（ｂ）ハンドルと吸引モータ及びファンアセンブリとを有する本体であって、前記吸引モータ及びファンアセンブリは吸引モータ回転軸を有し、前記ハンドルは前記入口導管軸を水平に配置すると上向きかつ前向きに延在するハンドグリップを有し、
（ｃ）サイクロン回転軸を有するサイクロンチャンバを含むサイクロンユニットとを備え
前記入口導管軸は前記サイクロン回転軸に概ね平行であり、前記入口導管軸を水平に配置すると、前記入口導管軸が前記サイクロン軸の上方に位置し、前記サイクロン回転軸が前記吸引モータ回転軸の中間点の下方に位置し、前記入口導管軸の延長部分が前記吸引モータと交差する、ハンディ型バキュームクリーナ。
【請求項２】
前記入口導管軸を水平に配置すると、前記入口導管軸が前記サイクロンチャンバの上方にくる、請求項１に記載のハンディ型バキュームクリーナ。
【請求項３】
モータ前置フィルタを更に備え、前記入口導管軸を水平に配置すると、前記吸引モータが前記モータ前置フィルタの上方に位置する、請求項１に記載のハンディ型バキュームクリーナ。
【請求項４】
前記吸引モータは、前記サイクロンチャンバの後方にある、請求項１に記載のハンディ型バキュームクリーナ。
【請求項５】
前記入口導管軸を水平に配置すると、前記入口導管軸が前記ハンドグリップの上方にくる、請求項１に記載のハンディ型バキュームクリーナ。
【請求項６】
前記ハンドルが前記吸引モータの後方に位置する、請求項１に記載のハンディ型バキュームクリーナ。
【請求項７】
前記ハンドルの下端がフィルタの高さに位置し、前記ハンドルの上部が前記吸引モータの高さに位置する、請求項１に記載のハンディ型バキュームクリーナ。
【請求項８】
前記ハンドルの下端は、フィルタ筐体に取り付けられ、前記ハンドルの上部は、吸引モータ筐体に取り付けられる、請求項１に記載のハンディ型バキュームクリーナ。
【請求項９】
前記サイクロンユニットは、前記サイクロンユニットの前端に設けられた開閉式扉を有する、請求項１に記載のハンディ型バキュームクリーナ。
【請求項１０】
前記ハンディ型バキュームクリーナは上端と、下端と、モータ前置フィルタとを有し、前記モータ前置フィルタは、開口内部、外側上流壁、内壁及びフィルタ長手方向軸を有して長手方向に延在するフィルタを備え、前記長手方向軸は、前記下端から前記上端に向かう方向で上向きに延在する、請求項１に記載のハンディ型バキュームクリーナ。
【請求項１１】
空気が前記フィルタ長手方向軸の方向に前記モータ前置フィルタから排出される、請求項１０に記載のハンディ型バキュームクリーナ。
【請求項１２】
空気が前記モータ前置フィルタから前記吸引モータの入口へと上向きに移動する、請求項１１に記載のハンディ型バキュームクリーナ。
【請求項１３】
前記吸引モータは、前記長手方向軸が上向きに延在するように配置されると、前記モータ前置フィルタの上方に位置する、請求項１０に記載のハンディ型バキュームクリーナ。
【請求項１４】
前記サイクロン回転軸が前記フィルタと２回交差する、請求項１０に記載のハンディ型バキュームクリーナ。
【請求項１５】
前記サイクロン回転軸が、前記開閉式扉及び前記ハンドグリップと交差する、請求項９に記載のハンディ型バキュームクリーナ。
【請求項１６】
モータ前置フィルタを更に含み、前記サイクロン回転軸が、前記モータ前置フィルタとも交差する、請求項１５に記載のハンディ型バキュームクリーナ。
【請求項１７】
前記サイクロンの外側に集塵チャンバを更に備え、前記集塵チャンバが前記サイクロンの回転軸から鉛直方向に離間されている、請求項１に記載のハンディ型バキュームクリーナ。
【請求項１８】
前記ハンドグリップの上端は、前記ハンドグリップの下端よりも前記吸引モータの近傍に位置する、請求項１に記載のハンディ型バキュームクリーナ。
【請求項１９】
前記本体に着脱可能に取り付けられるアセンブリを更に備え、前記アセンブリは、前記サイクロンユニットと、前記サイクロンユニットのサイクロンチャンバの外部に配置されたモータ前置フィルタとを備える、請求項１に記載のハンディ型バキュームクリーナ。
【請求項２０】
前記入口導管軸が水平に配置されると、空気が前記アセンブリから前記本体へと上向きに移動する、請求項１９に記載のハンディ型バキュームクリーナ。
【請求項２１】
前記アセンブリは、前記本体の下部に着脱可能に取り付けられる、請求項１９に記載のハンディ型バキュームクリーナ。
【請求項２２】
前記入口導管軸が水平に配置されると、空気がサイクロン空気出口から吸引モータ空気入口へ上向きに移動する、請求項１に記載のハンディ型バキュームクリーナ。
【発明の詳細な説明】
【技術分野】
【０００１】
関連出願との相互参照
本願は、各々が２０１６年５月２日に出願され、各々が２０１６年１月８日に出願された米国仮出願第６２／２７６，５１０号の出願日の利益を主張する同時係属中の米国特許出願第１５／１４３，６９７号、第１５／１４３，７８５号、第１５／１４３，８６３号、第１５／１４４，０６１号、第１５／１４４，２３２号、第１５／１４３，６９５号、第１５／１４３，８０４号、第１５／１４３，９２０号、第１５／１４４，０２０号及び第１５／１４４，２３１号の優先権の利益を米国特許法第１１９条（３５  ＵＳＣ  １１９）の下で主張し、その全内容が引用により本明細書に包含される。
【０００２】
本明細書に記載した教示の本主題は、一般に手で持運び可能な表面クリーニング装置に関する。好ましい実施形態では、手で持運び可能な表面クリーニング装置はハンディ型バキュームクリーナなどの携帯型表面クリーニング装置を含む。
【背景技術】
【０００３】
以下は、以降で論じるものが従来技術の一部である、又は当業者の一般的な知識の一部であることを認めるものではない。
様々なタイプの表面クリーニング装置が知られている。表面クリーニング装置は、バキュームクリーナを含む。現在、バキュームクリーナは、典型的には、少なくとも１つのサイクロンクリーニング段を使用する。最近では、サイクロン式ハンディ型バキュームクリーナが開発されている。例えば、米国特許第７，９３１，７１６号及び米国特許出願公開第２０１０／０２２９３２８号を参照されたい。これらの各々は、サイクロンクリーニング段を含むハンディ型バキュームクリーナを開示している。米国特許第７，９３１，７１６号は、両方のサイクロン段が垂直に延在するサイクロン回転軸を有する２つのサイクロンクリーニング段を利用したサイクロンクリーニング段を開示している。米国特許出願公開第２０１０／０２２９３２８号明細書は、サイクロン回転軸が水平に延在し、かつ吸引モータと同軸であるサイクロンハンディ型バキュームクリーナを開示している。加えて、手で持運び可能なサイクロン式バキュームクリーナも知られている（米国特許第８，１４６，２０１号及び米国特許第８，５４９，７０３号参照）。
【発明の概要】
【発明が解決しようとする課題】
【０００４】
この概要は、以下のより詳細な説明を読者に紹介するものであり、特許請求した発明又は請求していない発明を限定又は定義するものではない。１つ以上の発明が、特許請求の範囲及び図面を含む本明細書のいずれかの部分に開示する要素又は工程段階の任意の組み合わせ又は部分的組み合わせに存在し得る。
【課題を解決するための手段】
【０００５】
単独で又は他の態様と組み合わせて使用することができる本明細書に記載した教示の１つの広範な態様によれば、汚染空気入口の入口軸が吸引モータと交差するハンディ型バキュームクリーナが提供される。入口軸は、吸引モータの回転軸に平行であってよく、及び／又は入口軸は、サイクロンチャンバの回転軸の上に配置でき、ここでサイクロンチャンバの回転軸は、入口軸及び／又は吸引モータの回転軸に概ね平行であってよい。
いくつかの実施形態では、ハンディ型バキュームクリーナは、１つ又は複数のバッテリなどの搭載型蓄電部材によって電力供給可能である。バッテリの一部又は全部は、ハンディ型バキュームクリーナのハンドルに、及び任意に、ハンドルの少なくとも下部に備えることができる。
【０００６】
この構成の利点は、改善された人間工学を備えるハンディ型バキュームクリーナが提供され得ることである。このように、ハンディ型バキュームクリーナは、人が使用するときに手の感触をよくすることができる。
【０００７】
この態様によれば、入口導管軸を有する空気入口導管と、吸引モータ回転軸を有する吸引モータ及びファンアセンブリと、及びサイクロン回転軸を有するサイクロンチャンバを含むサイクロンユニットとを備えることができるハンディ型バキュームクリーナが提供される。入口導管軸は、サイクロン軸に概ね平行であり、入口導管軸を水平に配置すると、入口導管軸はサイクロン軸の上方に位置することができる。入口導管軸の延長部分は吸引モータと交差してよい。
【０００８】
サイクロン軸は、入口導管軸を水平に配置すると、吸引モータ軸の下方に位置することができる。
サイクロン軸は、入口導管軸を水平に配置すると、吸引モータの下方に位置することができる。
入口導管軸を水平に配置すると、入口導管軸はサイクロンチャンバの上方に位置することができる。
【０００９】
吸引モータは、入口導管軸を水平に配置すると、サイクロンチャンバの少なくとも一部の上方に位置することができる。
【００１０】
吸引モータの回転軸は、入口導管軸に概ね平行であってよい。
【００１１】
吸引モータの回転軸は、入口導管軸に概ね平行であってよい。
【００１２】
吸引モータの回転軸は、入口導管軸に概ね直交していてよい。
【００１３】
ハンディ型バキュームは、モータ前置フィルタを含むことができる。吸引モータは、入口導管軸を水平に配置すると、モータ前置フィルタの上方に位置することができる。
【００１４】
吸引モータは、サイクロンチャンバの後方に位置されてよい。
【００１５】
吸引モータは、モータ前置フィルタの前方に位置することができる。
【００１６】
このハンディ型バキュームクリーナは、入口導管軸を水平に配置すると、上向き及び前方に延在するハンドグリップを有するハンドルを含むことができる。
【００１７】
入口導管軸を水平に配置すると、入口導管軸は、ハンドグリップの上方に位置することができる。
【００１８】
ハンドルは、吸引モータの後方に位置することができる。
【００１９】
ハンドルは、吸引モータの後方に配置でき、入口導管軸を水平に配置すると、ハンドルは、下部及び上部を有することができる。
【００２０】
ハンドルの下端は、モータ前置フィルタの高さに配置でき、ハンドルの上部は、吸引モータの高さに位置する。
【００２１】
ハンドルの下端は、モータ前置フィルタ筐体に取り付けられてもよく、ハンドルの上部は、吸引モータ筐体に取り付けられてよい。
【００２２】
サイクロンユニットは、サイクロンユニットの前端に備えられた開閉式扉を有していてよい。
ハンドルは、少なくとも１つの蓄電部材を収容してもよく、ハンドルは、ハンディ型バキュームクリーナに着脱可能に取り付けられてよい。
ハンドルは、その下部に少なくとも１つの蓄電部材を収容することができる。
【００２３】
単独又は他の態様と組み合わせて用いることができる本明細書に記載した教示の別の広範な態様によれば、吸引モータが前方に配置されるハンディ型バキュームクリーナが提供される。例えば、吸引モータは、ハンドルのハンドグリップの前方に、ハンドルの前方に、又はモータ前置フィルタの前方又は軸方向に位置させることもできる。
【００２４】
いくつかの実施形態では、ハンディ型バキュームクリーナは、１つ以上のバッテリなどの搭載型蓄電部材によって電力供給可能である。バッテリの一部又は全部は、ハンディ型バキュームクリーナのハンドルに、任意には、ハンドルの少なくとも下部に備えることができる。
【００２５】
この構成の利点は、改善された人間工学を備えたハンディ型バキュームクリーナが提供され得ることである。したがって、このハンディ型バキュームクリーナは、人が使用するときの手の感触が改善される。
【００２６】
この態様によれば、前端を有するハンディ型バキュームクリーナが提供され、後端は、入口導管軸を有する入口導管と、吸引モータ回転軸を有する吸引モータ及びファンアセンブリとを含むことができる。空気処理部材は、前端と後端と、前後の端部の間に延在する中心長手方向軸とを有することができる。ハンディ型バキュームクリーナの後端にハンドルを備え付けてよい。ハンドルは、上向きかつ前向きに延在するハンドグリップを有することができ、吸引モータは、ハンドグリップの前方に位置することができる。
【００２７】
吸引モータは、ハンドルの前方に位置することができる。
【００２８】
ハンドグリップが上方及び前方に向けられると、入口導管軸は、ハンドグリップの上方に位置することができる。
【００２９】
ハンドルの下端は、モータ前置フィルタの高さに配置され、ハンドルの上部は、吸引モータの高さに位置することができる。
【００３０】
ハンドルの下端は、モータ前置フィルタ筐体に取り付けられ、ハンドルの上部は、吸引モータ筐体に取り付けられてよい。
【００３１】
空気処理部材は、ハンドルの前方にあってよい。
【００３２】
このハンディ型バキュームクリーナは、モータ前置フィルタ及び空気処理部材を含み、モータ前置フィルタは、ハンドグリップの前方にあってよい。
【００３３】
空気処理部材は、サイクロンを含むことができ、中心長手方向軸はサイクロン軸である。
【００３４】
入口導管は、中心長手方向軸に概ね平行であり得る入口導管軸を有してよい。
【００３５】
ハンドグリップは、上向きかつ前向きに配置可能であり、入口導管軸は中心長手方向軸の上方に配置され、入口導管軸の延長部分は吸引モータと交差してよい。
【００３６】
ハンドグリップが上向き及び前向きにあると、中心長手方向軸は吸引モータ軸の下方に位置することができる。
ハンドグリップが上向き及び前向きにあると、中心長手方向軸は吸引モータの下方に位置することができる。
ハンドグリップが上向き及び前向きにあると、入口導管軸は空気処理部材の上方に位置することができる。
【００３７】
ハンドグリップが上向き及び前向きにあると、吸引モータは、空気処理部材の少なくとも一部の上方に位置することができる。
【００３８】
吸引モータの回転軸は、入口導管の軸に概ね平行であってよい。
【００３９】
吸引モータの回転軸は、入口導管の軸に概ね平行であってよい。
【００４０】
吸引モータの回転軸は、入口導管軸に概ね直交していてよい。
【００４１】
このハンディ型バキュームクリーナは、モータ前置フィルタを含み、ハンドグリップが上向き及び前向きにあると、吸引モータは、モータ前置フィルタの上方に位置することができる。
【００４２】
吸引モータは、空気処理部材の後方にあってよい。
【００４３】
このハンディ型バキュームクリーナは、前端、後端、及びモータ前置フィルタを有し、吸引モータは、モータ前置フィルタの前方に位置することができる。
【００４４】
このハンディ型バキュームクリーナは、ハンドグリップが上向き及び前向きにあると、ハンディ型バキュームクリーナのハンドル内など、蓄電部材を吸引モータの下方に含むことができる。
【００４５】
このハンディ型バキュームクリーナは、ハンドグリップが上向き及び前向きにあると、蓄電部材を吸引モータの後方に含むことができる。  ハンドルは、少なくとも１つの蓄電部材を収容することができ、ハンドルは、ハンディ型バキュームクリーナに着脱可能に取り付け可能である。
ハンドルは、その下部に少なくとも１つの蓄電部材を収容することができる。
【００４６】
単独又は他の態様と組み合わせて使用することができる本明細書に記載した教示の別の広範な態様によれば、ハンディ型バキュームクリーナには、長手方向に延在する中空の多孔質フィルタが備えられ、ここでサイクロンチャンバなどの空気処理部材を通過した後の空気は、その外面から多孔質フィルタに入り込み、中空内部に向かって内方に移動することができる。次いで、濾過された空気は吸引モータまで上向きに移動することができ、この吸引モータは、長手方向に延在する多孔質フィルタの上端又は、重なって配置できる。
【００４７】
この設計の利点は、広い上流側フィルタ表面を有するフィルタを備えることができることである。従って、モータ前置フィルタが目詰まりして空気流を著しく減少させることなく、ハンディ型バキュームクリーナを使用できる寿命を長くすることができる。更なる利点は、フィルタ材料の中空内部が、濾過された空気を吸引モータに上向きに運ぶための導管として機能し、それによって別個のプラスチック導管の必要性を回避できることである。
【００４８】
この態様によれば、上端を有するハンディ型バキュームクリーナが提供され、下端は、吸引モータと、吸引モータ回転軸を有するファンアセンブリと、前端及び後端並びに前端と後端との間に延在する中心長手方向軸を有する空気処理部材とを含むことができる。モータ前置フィルタは、内部が開口した長手方向に延在するフィルタと、外側上流壁と、内壁と、フィルタ長手方向軸とを含むことができる。長手方向軸は、下端から上端の方向において上向きに延在することができる。
空気は、フィルタ長手方向軸の方向にモータ前置フィルタから排出できる。
【００４９】
空気は、モータ前置フィルタから吸引モータの入口まで上向きに移動可能である。
【００５０】
吸込モータは、長手方向軸が上向きに延在するように配向されると、モータ前置フィルタの上方に位置することができる。
【００５１】
吸引モータの回転軸は、長手方向軸が上向きに延在するように配向されると、上方に延在してよい。
【００５２】
吸引モータは、長手方向軸が上向きに延在するように配向されると、モータ前置フィルタの上方に位置することができる。
【００５３】
吸引モータの回転軸は、長手方向軸が上向きに延在するように配向されると、概ね鉛直方向に延在してよい。
【００５４】
吸引モータは、長手方向軸が上向きに延在するように配向されると、モータ前置フィルタの上方に位置することができる。
【００５５】
吸引モータは、長手方向軸が上向きに延在するように配向されると、モータ前置フィルタの上方に位置することができる。
【００５６】
吸込モータは、長手方向軸が上向きに延在するように配向されると、モータ前置フィルタの前方に位置することができる。
【００５７】
吸引モータの回転軸は、長手方向軸線が上向きに延在するように配向されると、概ね水平に延在してよい。
吸引モータの回転軸は、長手方向軸が上向きに延在するように配向されると、概ね水平に延在してよい。
中心長手方向軸は、長手方向軸が上向きに延在するように配向されると、概ね水平に延在してよい。
空気処理部材はサイクロンを含み、中心長手方向軸はサイクロン軸となり得る。
【００５８】
中心長手方向軸は、フィルタと２度交差してよい。
【００５９】
外壁は、上流フィルタ壁を含み得、内壁は下流フィルタ壁を含むことができる。
【００６０】
フィルタは、横断面において概ね環状となり得る。
【００６１】
このハンディ型バキュームクリーナは、汚染空気入口から空気処理部材まで延在する入口導管を備えてもよく、入口導管は、モータ前置フィルタの上方に位置する入口導管軸を有する通路を有してよい。
入口導管軸は、吸引モータと交差してよい。
【００６２】
このハンディ型バキュームクリーナは、汚染空気の入口から空気処理部材まで延在し、吸引モータと交差する入口導管軸を有する通路を備えた入口導管を含むことができる。
ハンドルは、少なくとも１つの蓄電部材を収容することができ、ハンドルは、ハンディ型バキュームクリーナに着脱可能に取り付けられる。
ハンドルは、少なくとも１つの蓄電部材をその下部に収容することができる。
【００６３】
単独又は他の任意の態様と組み合わせて使用され得る、本明細書に記載した教示の別の広範な態様によれば、ハンディ型バキュームクリーナは、ハンディ型バキュームクリーナの上端がその下端の上にあり、かつ吸引モータの回転軸が概ね垂直に配向されると、概ね水平に延在する空気処理部材を有する。
いくつかの実施形態では、ハンディ型バキュームクリーナは、１つ以上のバッテリなどの搭載型蓄電部材によって電力供給できる。バッテリの一部又は全部は、ハンディ型バキュームクリーナのハンドルに、及び任意に、ハンドルの少なくとも下部に備えることができる。
【００６４】
この構成の利点は、改善された人間工学を備えたハンディ型バキュームクリーナを提供できることである。したがって、ハンディ型バキュームクリーナは、人が使用するときの手の感触を改善できる。
【００６５】
この態様によれば、上端を有するハンディ型バキュームクリーナが提供され、下端は、吸引モータ回転軸を有する吸引モータ及びファンアセンブリと、前端及び後端並びに前端と後端との間に延在する中心長手方向軸を有する空気処理部材とを含むことができる。ハンディ型バキュームクリーナの上端が下端の上方に位置すると、中心長手方向軸は概ね水平に延在することができ、吸引モータの回転軸は鉛直方向に対して±２０°、±１５°、±１０°、又は±５°となり得る。
【００６６】
ハンディ型バキュームクリーナの上端が下端の上方に位置すると、吸引モータの回転軸を鉛直方向に対して±５°に配向することができる。
【００６７】
このハンディ型バキュームクリーナは、中心長手方向軸に概ね平行な入口導管軸を有する入口導管を含むことができる。
【００６８】
入口導管軸は、中心の長手方向軸の上方に位置することができる。
【００６９】
入口導管軸は、空気処理部材の上方に位置することができる。
【００７０】
空気処理部材は、サイクロンを含むことができ、中心長手方向軸は、サイクロン軸となり得る。
【００７１】
このハンディ型バキュームクリーナは、入口導管軸を有する入口導管を有することができ、入口導管軸は、サイクロン軸に概ね平行であってよい。
【００７２】
入口導管軸は、サイクロン軸の上方に位置することができる。
【００７３】
入口導管軸は、サイクロンの上方に位置することができる。
【００７４】
ハンディ型バキュームは、ハンドグリップを有するハンドルを含むことができ、ハンドグリップは、ハンディ型バキュームクリーナの上端が下端の上方に位置すると、上向きかつ前向きに延在する。
【００７５】
ハンディ型バキュームクリーナの上端が下端の上方に位置すると、吸引モータの上端が空気処理部材の上壁の上方に位置してよい。
【００７６】
吸引モータは、空気処理部材の一部に重なってよい。
【００７７】
このハンディ型バキュームクリーナは、モータ前置フィルタを含み、吸引モータは、モータ前置フィルタの前方に位置することができる。
ハンディ型バキュームクリーナの上端が下端の上方に位置すると、吸引モータの下端は空気処理部材の上壁の下方に位置され得る。
【００７８】
このハンディ型バキュームクリーナは、モータ前置フィルタを含み、吸引モータは、モータ前置フィルタの上方に位置することができる。
モータ前置フィルタを、モータ前置フィルタチャンバ内に配置することができ、吸引モータの回転軸は、吸引モータチャンバを通って延在することができる。
【００７９】
このハンディ型バキュームクリーナは、ハンディ型バキュームクリーナの上端が下端の上方に位置すると、上方及び前方に延在するハンドグリップを有するハンドルを含むことができる。吸引モータの回転軸は、空気処理部材とハンドグリップとの間に配置することができる。
【００８０】
ハンディ型バキュームクリーナは、開口した内部、外壁、内壁、及びフィルタの長手方向軸を有し長手方向に延在するフィルタを備えたモータ前置フィルタを含むことができる。ハンディ型バキュームクリーナの上端が下端の上方に位置すると、上長手方向軸は上方に延在してよい。
空気は、フィルタ縦軸の方向にモータ前置フィルタから排出できる。
【００８１】
空気は、モータ前置フィルタから吸引モータの入口まで上向きに移動することができる。
【００８２】
ハンドルは、少なくとも１つの蓄電部材を収容することができ、ここでハンドルは、ハンディ型バキュームクリーナに着脱可能に取り付けられる。
ハンドルは、少なくとも１つの蓄電部材をその下部に収容することができる。
【００８３】
単独又は他の態様と組み合わせて使用することができる本明細書に記載した教示の別の広範な態様によれば、ハンディ型バキュームクリーナは多孔質のモータ前置フィルタを備えている。空気は空気処理部材で処理された後に、モータ前置フィルタの後側へと移動し、その後、多孔質のモータ前置フィルタの前面に向かって前方に移動する。吸引モータは、この多孔質モータ前置フィルタの後側の前方にも、多孔質のモータ前置フィルタの前側の前方にも位置することができる。代替的に又は追加的に、この吸引モータを、空気処理部材及び／又はモータ前置フィルタの上方に、及び場合によっては重なるように、ハンディ型バキュームクリーナの上端に向かけて備えることができる。
いくつかの実施形態では、ハンディ型バキュームクリーナは、１つ以上のバッテリなどの搭載型蓄電部材によって電力供給可能である。バッテリの一部又は全部は、ハンディ型バキュームクリーナのハンドルに、及び任意に、ハンドルの少なくとも下部に備えることができる。
【００８４】
この構成の利点は、改善された人間工学を備えたハンディ型バキュームクリーナが提供され得ることである。このように、ハンディ型バキュームクリーナは、人が使用するときの手の感触を改善できる。
【００８５】
この態様によれば、上端を有するハンディ型バキュームクリーナが提供され、後端は、前端と後端及び吸引モータ回転軸と有する吸引モータ及びファンアセンブリと、前端と後端及び前端と後端との間に延在する中心長手方向軸を有する空気処置部材とを含む。モータ前置フィルタは、前側及び後側を有することができ、空気処理部材から排出される空気は、モータ前置フィルタの後側に向かって後方向に移動することができ、その後、空気は、モータ前置フィルタの前面に向かって前方向に移動し得る。
このハンディ型バキュームクリーナは、モータ前置フィルタを通って延在するモータ前置フィルタ導管を含むことができる。前側は、モータ前置フィルタの上流側であってよく、後側は、モータ前置フィルタの下流側であってよい。空気処理部材から排出される空気は、モータ前置フィルタを通って後方向に移動し、その後、空気は、モータ前置フィルタ導管を通って前方向に移動することができる。
【００８６】
モータ前置フィルタは、開閉式前扉を有するモータ前置フィルタ筐体内に配置でき、また、開閉式扉が開いたときに、モータ前置フィルタの上流側を目視可能とすることができる。
【００８７】
空気処理部材は、ハンディ型バキュームクリーナから着脱可能であってよく、開閉式前扉は空気処理部材が取り外されたときに開閉可能となる。
【００８８】
このハンディ型バキュームクリーナは、モータ前置フィルタを通って延在するモータ前置フィルタ導管を含むことができる。その前側は、モータ前置フィルタの下流側であってよく、後側は、モータ前置フィルタの上流側であってよい。空気処理から排出される空気は、モータ前置フィルタ導管を通って後方向に移動し、その後、空気は、モータ前置フィルタを通って前方向に進むことができる。
【００８９】
モータ前置フィルタは、前方開閉式扉を有するモータ前置フィルタ筐体内に位置することができる。開閉式扉が開くと、モータ前置フィルタの上流側を目視可能とすることができる。
【００９０】
このハンディ型バキュームクリーナは、開閉式扉に備えられたハンドルを含むことができる。
【００９１】
モータ前置フィルタは、開閉式扉を有するモータ前置フィルタ筐体内に配置することができる。開閉式扉が開くと、モータ前置フィルタの上流側を目視可能とすることができる。
【００９２】
ハンディ型バキュームクリーナの上端が下端の上方に位置すると、中心長手方向軸は概ね水平に延在してよい。
【００９３】
空気処理部材は、中心長手方向軸と直交する方向に高さを有し、モータ前置フィルタは、空気処理部材の高さを超える、中心長手方向軸に直交する方向で高さを有する。
【００９４】
空気処理部材はサイクロンを含み得、中心長手方向軸はサイクロン軸となり得る。
【００９５】
吸引モータは、ハンディ型バキュームクリーナの上端が下端の上方に位置すると、空気処理部材の上壁の上方に位置することができる。
【００９６】
ハンディ型バキュームクリーナの上端が下端の上方に位置すると、吸引モータは、空気処理部材の少なくとも一部の上に被る可能性がある。
【００９７】
吸引モータの回転軸は、その中心長手方向軸に概ね平行でよい。
【００９８】
このハンディ型バキュームクリーナは、その下部に少なくとも１つの蓄電部材を収容するハンドルを有していてよい。ハンドルは、ハンディ型バキュームクリーナから着脱可能であってよい。
この態様によれば、上端を有するハンディ型バキュームクリーナが提供され、下端は、前端及び後端並びに吸引モータの回転軸を有する吸引モータ及びファンアセンブリと、前端及び後端並びに前端と後端との間に延在する中心長手方向軸を有する空気処理部材とを含むことができる。吸入モータの前端がモータ前置フィルタの前方にあるように、モータ前置フィルタを配置することができる。
【００９９】
このハンディ型バキュームクリーナは、モータ前置フィルタを通って延在するモータ前置フィルタ導管を含むことができる。その前側は、モータ前置フィルタの上流側であってよく、後側は、モータ前置フィルタの下流側であってよい。空気処理部材から排出される空気は、モータ前置フィルタを通って後方向に移動し、その後、空気は、モータ前置フィルタ導管を通って前方向に移動することができる。
【０１００】
モータ前置フィルタは、前方開閉式扉を有するモータ前置フィルタ筐体内に配置でき、開閉式扉が開かれると、モータ前置フィルタの上流側を目視可能とすることができる。
【０１０１】
空気処理部材は、ハンディ型バキュームクリーナから着脱可能であってよく、空気処理部材が取り外されたときに前側扉を開閉可能にすることができる。
【０１０２】
ハンディ型バキュームクリーナは、モータ前置フィルタを通って延在するモータ前置フィルタ導管を含むことができる。前側は、モータ前置フィルタの下流側であり、後側は、モータ前置フィルタの上流側であってよい。空気処理部材から排出される空気は、モータ前置フィルタ導管を通って後方向に移動し、次に空気は、モータ前置フィルタを通って前方向に移動することができる。
【０１０３】
モータ前置フィルタは、前方開閉式扉を有するモータ前置フィルタ筐体内に配置でき、また、開閉式扉が開いたときに、モータ前置フィルタの上流側を目視可能とすることができる。
【０１０４】
ハンディ型バキュームクリーナは、開閉式扉に備えられたハンドルを含むことができる。
【０１０５】
モータ前置フィルタは、開閉式扉を有するモータ前置フィルタ筐体内に配置でき、開閉式扉が開くと、モータ前置フィルタの上流側を目視可能とすることができる。
【０１０６】
ハンディ型バキュームクリーナの上端が下端の上方に位置すると、中心長手方向軸は概ね水平に延在することができる。
【０１０７】
空気処理部材は、中心長手方向軸に直交する方向に高さを有し、モータ前置フィルタは、空気処理部材の高さを超える、中心長手方向軸に直交する方向に高さを有してよい。
【０１０８】
空気処理部材はサイクロンを含み、その中心長手方向軸はサイクロン軸となり得る。
【０１０９】
ハンディ型バキュームクリーナの上端が下端の上方に位置すると、吸引モータは空気処理部材の上壁の上方に位置することができる。
【０１１０】
吸引モータは、ハンディ型バキュームクリーナの上端が下端の上方に位置すると、空気処理部材の少なくとも一部の上に被る可能性がある。
【０１１１】
吸引モータの回転軸は、その中心長手方向軸に概ね平行でよい。
【０１１２】
ハンディ型バキュームクリーナは、その下部に少なくとも１つの蓄電部材を収容するハンドルを有することができる。ハンドルは、ハンディ型バキュームクリーナから着脱可能であってよい。
【０１１３】
単独又は他の態様と組み合わせて使用することができる本明細書に記載した教示の別の広範な態様によれば、ハンディ型バキュームクリーナは、その回転軸が空気処理部材の中心長手方向軸に概ね平行（例えば、±２０°、±１５°、±１０°又は±５°）な吸引モータを有し、ハンディ型バキュームクリーナの上端が下端の上方に位置すると、吸引モータ回転軸は中心長手方向軸の上方に位置する。従って、吸引モータを、空気処理部材の少なくとも下半分の上方、かつ空気処理部材の上方又は実質的に上方に配置することができ、空気処理部材と概ね同じ方向に延在させることができる。
【０１１４】
いくつかの実施形態では、ハンディ型バキュームクリーナは、１つ以上のバッテリなどの搭載型蓄電部材によって電力供給可能である。バッテリの一部又は全部は、ハンディ型バキュームクリーナのハンドルに、及び任意に、ハンドルの少なくとも下部に備えることができる。
【０１１５】
この構成の利点は、改善された人間工学を備えたハンディ型バキュームクリーナが提供され得ることである。このように、ハンディ型バキュームクリーナは、人が使用するときの手の感触を改善できる。
【０１１６】
この態様によれば、上端を有するハンディ型バキュームクリーナが提供され、下端は、吸引モータ回転軸を有する吸引モータ及びファンアセンブリと、前端及び後端並びに前端と後端との間に延在する中心長手方向軸とを有する空気処理部材とを含むことができる。この吸引モータの回転軸は中心長手方向軸に概ね平行であり、ハンディ型バキュームクリーナの上端が下端の上方に位置すると、吸引モータ回転軸は中心長手方向軸より上方に位置することができる。
このハンディ型バキュームクリーナは、中心長手方向軸の上に配置された入口導管軸を有する空気入口導管を含むことができる。
【０１１７】
入口導管の軸は、その中心長手方向軸に概ね平行でよい。
【０１１８】
入口導管軸の延長部分は、吸引モータと交差してよい。
【０１１９】
ハンディ型バキュームクリーナは、中心長手方向軸に概ね平行な入口導管軸を有する空気入口導管を含むことができる。
【０１２０】
入口導管軸線の延長部分は吸引モータと交差してよい。
【０１２１】
空気処理部材は、サイクロンを含むことができる。
ハンディ型バキュームクリーナの上端が下端の上方に位置すると、入口導管の軸は、空気処理部材の上方に位置することができる。
【０１２２】
ハンディ型バキュームクリーナの上端が下端の上方に位置すると、吸引モータは空気処理部材の少なくとも一部の上方に位置し得る。
【０１２３】
ハンディ型バキュームクリーナの上端が下端の上方に位置すると、吸引モータは空気処理部材の少なくとも一部の上に被る可能性がある。
【０１２４】
ハンディ型バキュームクリーナは、モータ前置フィルタを含むことができる。ハンディ型バキュームクリーナの上端が下端の上方に位置すると、吸引モータはモータ前置フィルタの前方に位置することができる。
【０１２５】
中心長手方向軸が水平に配向された状態では、ハンディ型バキュームクリーナは、上方及び前方に延在するハンドグリップを有するハンドルを含むことができる。
【０１２６】
ハンドルは、吸引モータの後方に位置することができる。
【０１２７】
ハンディ型バキュームクリーナの上端が下端の上方に位置すると、ハンドルは下部と上部とを有し、ハンドルの下端はモータ前置フィルタの高さに位置し、ハンドルの上部は吸引モータの高さに位置することができる。
【０１２８】
ハンドルは、その下部に少なくとも１つの蓄電部材を収容することができる。
【０１２９】
単独又は他の態様と組み合わせて用いることができる本明細書に記載した教示の別の広い態様によれば、ハンディ型バキュームクリーナは、その回転軸が空気処理部材の中心長手方向軸に概ね平行（例えば、±２０°、±１５°、±１０°又は±５°）な吸引モータを有し、ハンディ型バキュームクリーナの上端が下端の上方に位置すると、吸引モータ回転軸は、多孔質のモータ前置フィルタの例えば後方側の前で前向きに配置されている。
【０１３０】
いくつかの実施形態では、ハンディ型バキュームクリーナは、１つ以上のバッテリなどの搭載型蓄電部材によって電力供給可能である。バッテリの一部又は全部は、ハンディ型バキュームクリーナのハンドルに、及び任意に、ハンドルの少なくとも下部に備えることができる。
【０１３１】
この構成の利点は、改善された人間工学を備えたハンディ型バキュームクリーナが提供され得ることである。したがって、このハンディ型バキュームクリーナは、人が使用すると改善された感触を手で感じることができる。
【０１３２】
この態様によれば、上端を有するハンディ型バキュームクリーナが提供され、下端は、前端、後端及び吸引モータ回転軸を有する吸引モータ及びファンアセンブリと、前端及び後端並びに前端と後端との間に延在する中心長手方向軸を有する空気処理部材とを含むことができる。モータ前置フィルタは、前方部及び後方部を有することができ、吸引モータの後端は、モータ前置フィルタの後方部の前方に位置することができる。ハンディ型バキュームクリーナが水平面上に配置されると、吸引モータ回転軸及び中心長手方向軸は、概ね水平となり得る。
空気処理部材は、中心長手方向軸に直交する方向に高さを有し、モータ前置フィルタは、空気処理部材の高さを超え得る、中心長手方向軸に直交する方向に高さを有していてよい。
【０１３３】
空気処理部材は、サイクロンを含むことができ、その中心長手方向軸は、サイクロン軸となり得る。このサイクロンは、サイクロン軸に直交する方向に高さを有し、モータ前置フィルタは、サイクロンの高さを超える、サイクロン軸に直交する方向に高さを有してよい。
【０１３４】
本明細書に記載した教示の別の広範な態様によれば、ハンディ型バキュームクリーナの上端が下端の上方に位置すると、吸引モータ軸は、例えば、多孔質のモータ前置フィルタの後側の前で、前向きに配置され、これにより吸引モータの空気入口端部が吸引モータの後端となる。吸引モータは、ハンディ型バキュームクリーナの上部、例えば、空気処理部材の中心軸又はこれより高い位置の上方に備えることができる。
【０１３５】
いくつかの実施形態では、ハンディ型バキュームクリーナは、１つ以上のバッテリなどの搭載型蓄電部材によって電力供給可能である。バッテリの一部又は全部は、ハンディ型バキュームクリーナのハンドルに、及び任意に、ハンドルの少なくとも下部に備えることができる。
【０１３６】
この構成の利点は、改善された人間工学を備えたハンディ型バキュームクリーナが提供され得ることである。したがって、ハンディ型バキュームクリーナは、人が使用するときの手の感触を改善できる。
【０１３７】
この態様によれば、上端を有するハンディ型バキュームクリーナが提供され、下端は、前方端と後方端と吸引モータ回転軸を有する吸引モータ及びファンアセンブリと、前端と後端並びに前端と後端との間に延在する中心長手方向軸を有する空気処理部材とを含むことができる。モータ前置フィルタは、前方部と後方部とを有し、吸引モータの後端は吸引モータの空気入口端であってよい。
【０１３８】
空気処理部材は、中心長手方向軸に直交する方向に高さを有し、モータ前置フィルタは、空気処置部材の高さを超え得る、中心長手方向軸に直交する方向で高さを有することができる。
【０１３９】
空気処理部材はサイクロンを含むことができ、その中心長手方向軸はサイクロン軸となり得る。サイクロンは、サイクロン軸に直交する方向に高さを有し、モータ前置フィルタは、サイクロンの高さを超える、サイクロン軸に直交する方向での高さを有していてよい。
【０１４０】
単独又は他の態様と組み合わせて使用することができる本明細書に記載した教示の別の広範な態様によれば、本体には空気処理部材、例えば、サイクロンチャンバが備えられているが、モータ前置フィルタがアクセス可能に備えられているハンディ型バキュームクリーナが提供される。従って、多孔質のモータ前置フィルタを洗浄又は交換するために着脱可能となるようにモータ前置フィルタチャンバへのアクセス扉が開かれていても（例えば、旋回して開かれたり、取り外されたりして）、空気処理部材は「使用中」の位置にあり得る。
【０１４１】
この設計の利点は、空気処理部材を取り外す必要なく、モータ前置フィルタにアクセスできることである。
【０１４２】
この態様によれば、上端を有するハンディ型バキュームクリーナが提供され、下端は、前端と後端及び吸引モータ回転軸を有する吸引モータ及びファンアセンブリと、前端と後端並びに前端と後端との間に延在する中心長手方向軸を有する空気処理部材とを含むことができる。ハンディ型バキュームクリーナが上端を下端よりも上にして配向されている状態では、中心長手方向軸は概ね水平に延在してよい。モータ前置フィルタ筐体は、前端、後端、上端、下端、前端と後端との間に延在する離間した対向する横方向の側面と、開閉式扉とを有していてよい。モータ前置フィルタは、モータ前置フィルタ筐体内に備えられてもよく、扉が開放されたときに着脱可能であってよい。モータ前置フィルタは、前側及び後側を有していてよい。開閉式扉は開閉可能であってよく、一方で空気処理部材はハンディ型バキュームクリーナに備えられる。
【０１４３】
開閉式扉は、モータ前置フィルタ筐体の下端に備えることができる。
【０１４４】
開閉式扉は、ハンディ型バキュームクリーナの上端が下端の上方に位置すると、ハンディ型バキュームクリーナの台座を含むことができる。
【０１４５】
モータ前置フィルタは、中空の内部及び長手方向のフィルタ軸を有する長手方向に延在するフィルタを含むことができる。
【０１４６】
長手方向フィルタ軸は、中央長手方向軸と概ね直交していてよい。
【０１４７】
開閉式扉は、モータ前置フィルタ筐体の後端に備えることができる。
【０１４８】
ハンディ型バキュームクリーナは、モータ前置フィルタ筐体の後端に取り付けられたハンドルを含み、扉を、ハンドルが取り付けられた状態で開閉可能とすることができる。
【０１４９】
ハンディ型バキュームクリーナは、モータ前置フィルタ筐体の後端部に着脱可能に取り付けられたハンドルを含み、扉を、ハンドルが取り付けられた状態で開閉可能とすることができる。
ハンドルは、少なくとも１つの蓄電部材を収容することができる。
【０１５０】
ハンドルは、ハンディ型バキュームクリーナの上端が下端の上方に位置すると、上向きかつ前向きに延在するハンドグリップを含むことができ、その中心長手方向軸がハンドルと交差してよい。
【０１５１】
開閉式扉は、モータ前置フィルタを通過する空気流の方向に延在するモータ前置フィルタの一面を覆ってよい。
【０１５２】
開閉式扉は、モータ前置フィルタ筐体の側面のうちの１つに備えることができる。
【０１５３】
空気処理部材はサイクロンを含み得、その中心長手方向軸はサイクロン軸となり得る。
【０１５４】
この態様によれば、更に、前端と後端及び吸引モータ回転軸を有する吸引モータ及びファンアセンブリと、前端と後端並びに前端と後端との間に延在する中心長手方向軸を有する空気処理部材とを含むことのできるハンディ型バキュームクリーナが提供される。モータ前置フィルタ筐体は、上端及び下端を有し、下端は、底部開閉式扉を含むことができる。モータ前置フィルタは、モータ前置フィルタ筐体内に備えられることができ、扉が開放されたときに着脱可能であってよい。このモータ前置フィルタは、前側及び後側を有していてよい。
【０１５５】
開閉式扉は、ハンディ型バキュームクリーナの上端が下端の上方に位置すると、ハンディ型バキュームクリーナの台座を含むことができる。
【０１５６】
モータ前置フィルタは、中空内部及び長手方向フィルタ軸を有する長手方向に延在するフィルタを含むことができる。
【０１５７】
長手方向フィルタ軸は、中心長手方向軸と概ね直交していてよい。
【０１５８】
空気処理部材はサイクロンを含み、その中心長手方向軸はサイクロン軸となり得る。
【０１５９】
この態様によれば、更に、前端と後端及び吸引モータ回転軸を有する吸引モータ及びファンアセンブリと、前端と後端並びに前端と後端との間に延在する中心長手方向軸を有する空気処理部材とを含むことのできるハンディ型バキュームクリーナが提供される。モータ前置フィルタ筐体は、前端及び開閉式扉を含む後端を有することができる。モータ前置フィルタは、モータ前置フィルタ筐体内に備えられてもよく、扉が開放されたときに着脱可能であってよい。モータ前置フィルタは、前側及び後側を有することができる。開閉式扉は、空気処理部材をハンディ型バキュームクリーナに備え付けつつ、開閉可能となり得る。
【０１６０】
ハンディ型バキュームクリーナは、モータ前置フィルタ筐体の後端に取り付けられたハンドルを含み、扉は、ハンドルが取り付けられた状態で開閉可能である。
【０１６１】
ハンドルは、ハンディ型バキュームクリーナの上端が下端の上方に位置すると上向きかつ前向きに延在するハンドグリップを含むことができ、その中心長手方向軸がハンドルと交差してよい。
【０１６２】
空気処理部材は、サイクロンを含むことができ、その中心長手方向軸は、サイクロン軸となり得る。
【０１６３】
単独又は他の態様と組み合わせて使用することができる本明細書に記載した教示の別の広範な態様によれば、ハンディ型バキュームクリーナは、集塵領域を空にするための開閉式前扉を有し、空気処理部材の軸が後方に延在して、上向きに延びるハンドルのハンドグリップと交差するようになっている。
【０１６４】
この態様によれば、上端を有するハンディ型バキュームクリーナが提供され、下端は、吸引モータ回転軸を有する吸引モータ及びファンアセンブリと、前端と、後端と、開閉式扉と、並びに前端と後端との間に延在する中心長手方向軸を有する空気処理部材とを含むことができる。ハンドルは、ハンディ型バキュームクリーナの上端が下端の上方に位置すると上向きかつ前向きに延在するハンドグリップを有していてよい。その中心長手方向軸は、開閉式扉及びハンドグリップと交差してよい。
【０１６５】
いくつかの実施形態では、このハンディ型バキュームクリーナは、１つ以上のバッテリなどの搭載型蓄電部材によって電力供給可能である。バッテリの一部又は全部は、ハンディ型バキュームクリーナのハンドルに、及び任意に、ハンドルの少なくとも下部に備えることができる。
【０１６６】
この構成の利点は、改善された人間工学を備えたハンディ型バキュームクリーナが提供され得ることである。したがって、ハンディ型バキュームクリーナは、人が使用するときの手の感触を改善できる。
【０１６７】
開閉式扉は、空気処理部材の前端に備えることができる。
【０１６８】
開閉式扉は、中心長手方向軸に概ね直交する平面内に延在してよい。
【０１６９】
ハンディ型バキュームクリーナは、モータ前置フィルタを含み、その中心長手方向軸は、モータ前置フィルタと交差してよい。
ハンディ型バキュームクリーナは、モータ前置フィルタチャンバ内に備えられたモータ前置フィルタを含むことができる。モータ前置フィルタチャンバは、ハンディ型バキュームクリーナの上端が下端の上方に位置すると、モータ前置フィルタチャンバ出口の下方に位置するモータ前置フィルタチャンバ入口を有してよい。
【０１７０】
吸引モータは、鉛直方向に中心長手方向軸から離間していてよい。
ハンディ型バキュームクリーナの上端が下端の上方に位置すると、吸引モータは、中心長手方向軸の上方に位置することができる。
ハンディ型バキュームクリーナの上端が下端の上方に位置すると、吸引モータの空気出口は、中心長手方向軸の上方に位置することができる。
【０１７１】
ハンディ型バキュームクリーナはモータ前置フィルタを含み、空気はモータ前置フィルタから吸引モータまで上方に移動することができる。
ハンディ型バキュームクリーナはモータ前置フィルタを含み、空気はモータ前置フィルタから吸引モータまで前向きに移動することができる。
【０１７２】
ハンディ型バキュームクリーナはサイクロンを含んでいてもよく、中心長手方向軸はサイクロン軸である。
【０１７３】
ハンディ型バキュームクリーナは、サイクロンの外側に集塵チャンバを含むことができ、この集塵チャンバは、中心長手方向軸から鉛直方向から離間していてよい。
【０１７４】
開閉式扉は、中心長手方向軸に概ね直交する平面内に延在してよい。
【０１７５】
開閉式扉は、空気処理部材の最前部の壁を含むことができる。
【０１７６】
ハンドグリップの上端は、ハンドグリップの下端よりも吸引モータ側に近接して位置してよい。
【０１７７】
ハンディ型バキュームクリーナは、空気処理部材の上方に配置された汚染空気入口を含むことができる。
【０１７８】
ハンディ型バキュームクリーナは、吸引モータと交差する入口導管軸を有する空気入口導管を含むことができる。
【０１７９】
ハンディ型バキュームクリーナは、中心長手方向軸に概ね平行な入口導管軸を有する入口導管を含むことができる。
【０１８０】
入口導管軸は、空気処理部材の上方に位置することができる。
【０１８１】
ハンドルは、ハンディ型バキュームクリーナ、例えば本体に、着脱可能に取り付けることができ、少なくとも１つの蓄電部材を収容してよい。
【０１８２】
単独で又は任意の他の態様と組み合わせて使用することができる本明細書に記載した教示の別の広範な態様によれば、アセンブリが、ハンディ型バキュームクリーナに（例えば、その本体に）着脱可能に取り付けられ、このアセンブリは、空気処理部材及び多孔質のモータ前置フィルタを収容し、吸引モータを含むこともできる。
【０１８３】
この設計の利点は、本体が、例えば表面クリーニングヘッドに駆動接続された剛性空気流導管に着脱可能に取り付けられる空気入口を有することができることである。空気吸入口は本体の一部であるため、例えばワンピースのアセンブリであっても、一体に形成されていてもよく、本体と吸気入口とが、ハンディ型バキュームクリーナのハンドルを使用して表面クリーニングヘッドを推進する際にかかる応力に耐えられる構造部品となる。
この態様によれば、上端と、下端と、及びハンドルとを有する本体を有することのできるハンディ型バキュームクリーナが提供される。上端は、汚染空気入口とハンドルを有していてよい。ハンドルは、上向きかつ前向きに延在するハンドグリップを有していてよい。吸引モータ及びファンアセンブリは、吸引モータの回転軸を有してよい。アセンブリを、本体に着脱可能に取り付けることができ、このアセンブリは空気処理部材及びモータ前置フィルタを含むことができる。
【０１８４】
空気処理部材は、前端と、後端と、前端と後端との間に延在する中心長手方向軸とを有することができる。中心長手方向軸は、ハンドグリップが上向きかつ前向きに位置すると、概ね水平に延在することができる。
【０１８５】
空気は、アセンブリから本体へと上向きに移動することができる。
【０１８６】
アセンブリ空気入口及びアセンブリ空気出口は、アセンブリの上面に備え付け可能である。
【０１８７】
アセンブリ空気入口は、アセンブリ空気出口の前方に位置することができる。
アセンブリ空気入口は、アセンブリの上面に備えられてもよく、アセンブリ空気出口は、アセンブリの後端に備えることができる。
【０１８８】
空気処理部材は、前端、後端並びに前端と後端との間に延在する中心長手方向軸を有することができ、中心長手方向軸がハンドグリップと交差してよい。
【０１８９】
ハンドグリップの上端は、ハンドグリップの下端よりも吸引モータに近接した位置に位置することができる。
【０１９０】
ハンドルの下端は、少なくとも１つの蓄電部材を収容することができる。
【０１９１】
空気処理部材は、空気処理部材の上部に構える空気入口を有することができる。
【０１９２】
このハンディ型バキュームクリーナは空気入口導管を含み、空気は入口導管から空気処理部材へと下向きに移動することができる。
【０１９３】
このハンディ型バキュームクリーナは、開閉式扉を有するモータ前置フィルタチャンバを含むことができる。モータ前置フィルタは、モータ前置フィルタチャンバ内に配置され、モータ前置フィルタ扉は、アセンブリが本体に取り付けられた状態でアクセス可能であり得る。
【０１９４】
アセンブリから本体への空気流通路がシールされた状態で本体にアセンブリが取り付けられたとき、モータ前置フィルタ扉は開閉可能であってよい。
【０１９５】
吸引モータは、本体内に備え付け可能である。
【０１９６】
アセンブリは、吸引モータを含むことができる。
【０１９７】
ハンドグリップが上向きかつ前向きに配置されると、その中心長手方向軸は吸引モータの下方に位置することができる。
【０１９８】
空気処理部材は、サイクロンを含むことができる。
【０１９９】
汚染空気入口は、空気処理部材の上方に配置可能である。
【０２００】
ハンドルは、ハンディ型バキュームクリーナに着脱可能に取り付けてよい。
【０２０１】
ハンドルは、少なくとも１つの蓄電部材を収容することができる。
【０２０２】
単独で又は任意の他の態様と組み合わせて使用することができる本明細書に記載した教示の別の広範な態様によれば、表面クリーニング装置は、集塵領域と、集塵領域を空にすることができるように開閉式扉を含む着脱可能なアセンブリを有する。アセンブリを取り外したら、ユーザは、第１のアクチュエータを操作して（例えば、ボタンを押す）、ロックを扉が開放されるロック解除位置に移動させることができる。アセンブリが表面クリーニング装置の他の部分に（例えば、「使用中」の位置に）取り付けられているときは、第１のアクチュエータは隠されていてよい。次いで、ユーザは、扉を開くために第２のアクチュエータを操作する（例えば、異なるボタンを押す）ことができる。第２のアクチュエータは作動されると、扉のロックを解除するように、操作可能に、例えば駆動的にロックに、例えば第１のアクチュエータの頂部に接続される。
この設計の利点は、アセンブリが表面クリーニング装置の他の部分に取り付けられた状態では、ユーザが２つのロック解除ボタンを認識しないであろうことであり、従って、より良い消費者向けインターフェースを提供する。
【０２０３】
この態様によれば、ハンディ型バキュームクリーナは、開位置と閉位置との間で動作可能な本体アクチュエータと、本体に着脱可能に取り付けられるアセンブリとを有する本体を含むことができる。このアセンブリは、開閉式扉及びアセンブリ扉ロックを有する空気処理部材を含むことができる。アセンブリ扉ロックは、開位置と閉位置との間で動作可能な作動部と、扉が閉位置に固定される係合位置と扉が開位置となる解除位置との間で動作可能なロック部とを含む。アセンブリが本体に取り付けられた状態では、本体アクチュエータはアセンブリ扉ロックの作動部に動作可能に接続され、それにより本体アクチュエータが閉位置から開位置に移動されると、作動部は開位置に移動してロック部が解除位置に移動する。
【０２０４】
アセンブリ扉ロックの作動部分は、アセンブリが本体に取り付けられたときにはアクセス不能となり得る。
【０２０５】
アセンブリ扉ロックの作動部分は、アセンブリが本体から取り外されたときにアクセス可能となり得る。
【０２０６】
本体アクチュエータは、機械的部材であってよい。
【０２０７】
本体アクチュエータは、表面クリーニング装置の外面に備えられた作動部と被駆動端部とを含むことができる。被駆動端部は、本体アクチュエータが閉位置から開位置に移動すると、アセンブリ扉ロックの作動部分と駆動可能に係合可能になることができる。
【０２０８】
本体アクチュエータは、一端に本体アクチュエータの作動部分を備えており、対向端に本体アクチュエータの被駆動端を備えて有する、長手方向に延在する部材を含むことができる。
【０２０９】
この長手方向に延在する部材は、固定長を有してよい。
【０２１０】
アセンブリ扉ロックは、機械的部材であってよい。
【０２１１】
アセンブリ扉ロックは枢動式に取り付けられ、ここでは枢動取付部の一方の側にアセンブリ扉ロックの作動部分が備えられ、アセンブリ扉ロックのロック部が枢動取付部の反対側に備えられる。
【０２１２】
アセンブリ扉ロックは、係合位置に付勢され得る。
【０２１３】
本体アクチュエータは、第１の方向に延在してよく、アセンブリ扉ロックは、第１の方向とは異なる第２の方向に延在していてよい。
【０２１４】
第１の方向は、第２の方向と直交していてよい。
【０２１５】
本体アクチュエータが開位置及び閉位置から移動すると、ロック部は、本体アクチュエータとは異なる方向に移動可能である。
【０２１６】
ロック部分は、本体アクチュエータとは反対の方向に移動可能である。
【０２１７】
本体アクチュエータは、作動部及び被駆動端を含むことができる。本体アクチュエータが開位置と閉位置との間を移動すると、ロック部は被駆動端とは異なる方向に移動する。
【０２１８】
ロック部は、本体アクチュエータとは反対の方向に移動可能である。
【０２１９】
表面クリーニング装置は、ハンディ型バキュームクリーナを含み、開閉式扉は、空気処理部材の前扉であってよい。
【０２２０】
表面クリーニング装置の後端に着脱可能に取り付けられたハンドルが備えることができる。
【０２２１】
ハンドルは、少なくとも１つの蓄電部材を収容することができる。
【０２２２】
単独で又は任意の他の態様と組み合わせて使用され得る本明細書に記載した教示の別の広範な態様によれば、ハンディ型バキュームクリーナは、着脱可能なハンドルを備え得る。着脱可能なハンドルは、１つ又は複数の蓄電部材を収容することができる。ハンドルは、その器具に電力供給するために、他の器具に接続可能であってよい。
【０２２３】
この態様によれば、一体化された充電式バッテリパックを有するハンドルは、頂端及び底端を有し、頂部及び底端との間でユーザの手によって把持されるように構成されたグリップ部を含むことができる。少なくとも１つの充電式バッテリを、グリップ部の上端及び下端の少なくとも一方に結合することができる。少なくとも１つの機械的アタッチメントを、機械的に係合してパワード装置に取り付けるためにグリップ部の上端及び下端の少なくとも一方に結合することができる。少なくとも１つの電気コネクタを、少なくとも１つの充電式バッテリをパワード装置に電気的に接続するために、グリップ部の上端及び下端の少なくとも一方に結合することができる。
【０２２４】
少なくとも１つの再充電可能なバッテリは、グリップ部の頂端及び底端にそれぞれ結合された上部及び底部充電式バッテリを含むことができる。
【０２２５】
頂部及び底部再充電可能なバッテリは、実質的に同じ質量であってよい。
【０２２６】
ハンドルは、グリップ部の頂端及び底端とそれぞれ一体化された頂部及び底部バッテリ筐体を含んでいてもよく、ここでは頂部及び底部の充電可能なバッテリは、それぞれ、頂部及び底部バッテリ筐体内に配置される。
【０２２７】
電気コネクタが、頂部筐体及び底部筐体のうちの１つから延在してよい。機械的アタッチメントは、頂部筐体及び底部筐体のうちの１つに位置することができる。
【０２２８】
電気コネクタは、上部筐体から延在してもよく、機械的アタッチメントは、頂部筐体上に位置することができる。
【０２２９】
少なくとも１つの機械的アタッチメントを、グリップ部の頂端に連結可能である。少なくとも１つの電気コネクタを、グリップ部の頂端に取り付け可能である。
【０２３０】
ハンドルは、筐体の１つ又はグリップ部に少なくとも１つの制御ボタンを含むことができる。
制御ボタンは、充電式バッテリからパワード装置への電力を制御することができる。
【０２３１】
ハンドルは、グリップの内部に配置された電子機器を含むことができる。
【０２３２】
ハンドルは、内部電子機器に電気的に接続され、少なくとも電源のオンオフ機能を制御するように構成された少なくとも１つの制御ボタンを含むことができる。
【０２３３】
制御ボタンの作動に応答してパワード装置内の回路に制御信号を供給するように取り付けられ構成されている場合、着脱可能なハンドルが、パワード装置の識別を受信するように構成された制御ボタン回路を含むことができる。
【０２３４】
制御ボタンは、様々なパワード装置内の様々な機能を起動することができる。
【０２３５】
ハンドルは、制御ボタン回路に結合され、少なくとも制御ボタンの機能を表示するように構成されたディスプレイを含むことができる。
【０２３６】
電子機器は、充電式バッテリに電気的に接続された充電管理回路を含むことができる。
【０２３７】
充電管理回路は、様々なパワード装置に対応する様々な電力プロファイルを記憶するように構成されることができ、ハンドルが接続されたときにパワード装置の検出に応答して電力プロファイルを起動するように設定される。
【０２３８】
充電式バッテリは、Ｌｉイオンバッテリであってよい。
【０２３９】
少なくともグリップ部は、空気流路を画定することができ、空気流路は、バキュームクリーナ装置に接続されると、空気排出口と流体結合され得る。
【０２４０】
グリップ部、上部バッテリ筐体及び下部バッテリ筐体は、バッテリに沿って空気が流れることを可能にする空気流路を画定して、バッテリへの又はバッテリからの熱伝達を提供し得る。この空気流路は、バキュームクリーナ装置に接続されたときに排気口と流体結合されることができる。
【０２４１】
ハンドルは、電源をオンオフにするためにグリップ部にトリガを含むことができる。
【０２４２】
この態様によれば、バキュームクリーナ装置は、少なくとも吸引源及び集塵チャンバを含む真空ユニットと、真空ユニットの少なくとも一端に着脱可能に取り付けられるように構成された一体化充電可能なバッテリパックを備える着脱式ハンドルとを含むことができる。
【０２４３】
このバキュームクリーナ装置はまた、真空ユニットの少なくとも他の端部に着脱可能に取り付けられるように構成された着脱可能なワンド（wand）を含むことができる。
【０２４４】
着脱可能なワンドは、真空ユニットと着脱可能なハンドルとの間に結合されるように構成されてよい。
【０２４５】
一体化されたバッテリパックを有する着脱可能なハンドルの重心は、真空ユニットに結合されると着脱可能なワンドに沿って概ね延在する真空ユニットの捩れ軸に近接することができる。
【０２４６】
吸引源は吸引モータであってよく、吸引モータの重心は真空ユニットの捩れ軸に近接していてよい。
着脱可能なハンドルの少なくとも頂端を、真空ユニット及び着脱可能なワンドに結合されるように構成することができる。
【０２４７】
真空ユニットは、取り付けられた状態では着脱可能なハンドル内に入り込むことができる。
【０２４８】
この態様によれば、バキュームクリーナ装置は、後端と前端とを有し、後端と前端との間に少なくとも吸引モータと集塵チャンバとを備える真空ユニットを含むことができる。ハンドルは、真空ユニットの後端に近接していてよい。ハンドルは、グリップ部と、グリップ部の頂端にある頂部充電式バッテリと、グリップ部の底端にある充電式バッテリとを含むことができる。頂部及び底部充電式バッテリを、重力中心が真空ユニットの捩れ軸に近接するように配置することができる。
【０２４９】
吸引モータは、ハンドルの正面に配置でき、モータの重心又は捩れ軸に近接するように位置することができる。
【０２５０】
ハンドルは着脱可能であってよい。
【０２５１】
真空ユニットの前端は、真空ワンドに取り付けられるように構成されてもよく、捩れ軸は、真空ワンドに沿って延在してよい。
【０２５２】
頂部及び底部充電式バッテリは、実質的に同じ質量を有する。
【０２５３】
この態様によれば、空冷式バッテリ充電アセンブリは、空気流装置を含むバッテリ充電ユニットと、充電のためにバッテリ充電ユニットに機械的に取り付けられ電気的に接続されるように構成された充電可能なバッテリパックを一体化したハンドルとを含む。ハンドルがバッテリ充電ユニットに取り付けられると、ハンドルは空気流装置と流体結合される空気流路を画定し、空気流装置がハンドルを通して空気を流し、充電中に充電式バッテリパックの温度を維持するようにする。
【０２５４】
ハンドルは、グリップ部と、グリップ部の頂端及び底端のそれぞれに頂端及び底端バッテリ筐体を含むことができる。充電式バッテリパックは、直列に接続され、それぞれ頂部及び底部バッテリ筐体内に配置される第１及び第２のバッテリパックを含むことができる。
【０２５５】
空気流路は、少なくとも頂部及び底部バッテリ筐体を貫通して延在してよい。
【０２５６】
空気流装置は、ファンを含むことができる。
【図面の簡単な説明】
【０２５７】
本明細書に含まれる図面は、本明細書で教示される物品、方法及び装置の様々な実施例を説明するためのものであり、何らかの方法で教示される範囲を限定することを意図するものではない。
【０２５８】
図面において：
【図１】少なくとも１つの実施形態による、剛性空気流導管（例えば、上記の床クリーニングワンド）に取り付けられた表面クリーニング装置及びスティック型バキューム構成の表面クリーニングヘッドの正面斜視図。
【０２５９】
【図２】図１の表面クリーニング装置の一部正面斜視図。
【０２６０】
【図３】図２の表面クリーニング装置の側面図。
【０２６１】
【図４】図２の表面クリーニング装置のハンドルを取り外した状態の正面斜視図。
【０２６２】
【図５】図２の表面クリーニング装置の線５−５に沿った断面図。
【０２６３】
【図６】図１の表面クリーニング装置の斜視断面図であり、装置の一部が取り外されている状態を示す図。
【０２６４】
【図７】図１の表面クリーニング装置の斜視断面図であり、装置の異なる部分が取り外されている状態を示す図。
【０２６５】
【図８】図１の表面クリーニング装置の斜視断面図であり、装置の異なる部分が取り外されている状態を示す図。
【０２６６】
【図９】表面クリーニング装置の別の実施形態の斜視断面図であり、装置の一部が取り外されている状態を示す図。
【０２６７】
【図１０】表面クリーニング装置の別の実施形態の斜視断面図であり、装置の一部が取り外されている状態を示す図。
【０２６８】
【図１１】表面クリーニング装置の別の実施形態の斜視断面図。
【０２６９】
【図１２】表面クリーニング装置の別の実施形態の側断面図。
【０２７０】
【図１３】表面クリーニング装置の別の実施形態の側断面図。
【０２７１】
【図１４】図１３の実施形態の側面図。
【０２７２】
【図１５】表面クリーニング装置の別の実施形態の正面斜視図。
【０２７３】
【図１６】図１５の表面クリーニング装置において線１６−１６に沿った側断面図。
【０２７４】
【図１７】図１５の表面クリーニング装置の背面斜視図。
【０２７５】
【図１８】ハンドルを取り外した図１５の表面クリーニング装置の正面斜視図。
【０２７６】
【図１９】図１５の表面クリーニング装置のハンドルを取り外した状態の斜視図。
【０２７７】
【図２０】空気処理部材の一部が除去された図１５の表面クリーニング装置の正面斜視図。
【０２７８】
【図２１】図２０に示された表面クリーニング装置の一部の下側前方斜視図。
【０２７９】
【図２２】表面クリーニング装置の別の実施形態の側面横断面図。
【０２８０】
【図２３】図２２の表面クリーニング装置の側面横断面図であり、空気処理部材の一部が開放している状態を示す図。
【０２８１】
【図２４】図２２の表面クリーニング装置の一部の上面正面斜視図であり、空気処理部材の一部が開放している状態を示す図。
【０２８２】
【図２５】表面クリーニング装置の別の実施形態の正面斜視図。
【０２８３】
【図２６】図２５の表面クリーニング装置の背面斜視図。
【０２８４】
【図２７】線２５−２５に沿った、図２５の表面クリーニング装置の断面図。
【０２８５】
【図２８】図２５の表面クリーニング装置の後方斜視図であり、モータ前置フィルタ筐体が開放している状態を示す図。
【０２８６】
【図２９】図２５の表面クリーニング装置の断面図であり、装置の一部が取り外されている状態を示す図。
【０２８７】
【図３０】図２５の表面クリーニング装置の断面図であり、装置の別の部分が取り外されている状態を示す図。
【０２８８】
【図３１】図２５の表面クリーニング装置の断面図であり、装置の別の部分が取り外されている状態を示す図。
【０２８９】
【図３２】モータ前置フィルタチャンバが開放され、モータ前置フィルタが除去された表面クリーニング装置の別の実施形態の底面斜視図。
【０２９０】
【図３３】図３３は、図３２の表面クリーニング装置の線３３−３３に沿った断面図であり、モータ前置フィルタがモータ前置フィルタチャンバ内に部分的に配置されている状態を示す図。
【０２９１】
【図３４】モータ前置フィルタがモータ前置フィルタチャンバ内に部分的に配置された、表面クリーニング装置の別の実施形態の断面図。
【０２９２】
【図３５】表面クリーニング装置の別の実施形態の正面斜視図。
【０２９３】
【図３６】図３５の表面クリーニング装置の線３６−３６に沿った断面図。
【０２９４】
【図３７】図３７の表面クリーニング装置の斜視図。
【０２９５】
【図３８】図３７の表面クリーニング装置の線３８−３８に沿った断面図である
【０２９６】
【図３９】表面クリーニング装置の別の実施形態の側断面図。
【０２９７】
【図４０】上記床クリーニングワンドの斜視図。
【０２９８】
【図４１】図４０のクリーニングワンドの線４０−４０に沿った断面図。
【０２９９】
【図４２】スティック型バキューム構成のワンド及び表面クリーニングヘッドに取り付けられた表面クリーニング装置の別の実施形態の側面図。
【０３００】
【図４３】代替構成の図４２の表面クリーニング装置の側面図。
【０３０１】
【図４４】様々な異なる装置と組み合わせて使用されるハンドルを示す。
【０３０２】
【図４５】ハンドルの一実施形態の横断面図。詳細な説明
【発明を実施するための形態】
【０３０３】
以下では、特許請求の範囲に記載された各発明の実施形態の実施例を提供するために、様々な装置又はプロセスを説明する。以下に記載される実施形態はいずれの請求項に係る発明をも限定せず、任意の請求項に係る発明は、以下に記載されるものとは異なるプロセス又は装置を包含し得る。特許請求の範囲に記載された発明は、以下に記載されるいずれか１つの装置又はプロセスの全ての特徴を有する装置又はプロセスに限定されず、以下に説明される複数又は全ての装置に共通の特徴に限定されない。以下に説明される装置又はプロセスは、特許請求の範囲に記載された発明の実施形態ではない可能性がある。本明細書に記載されていない下記の装置又はプロセスで開示された発明は、他の保護手段、例えば継続特許出願の主題であってよく、出願人、発明者又は所有権者は、この文書に開示することにより、そのような発明を断念し、放棄し、一般に献呈したりするつもりはない。
【０３０４】
「一実施形態」、「実施形態」、「複数の実施形態」、「この実施形態」、「これらの実施形態」、「一以上の実施形態」、「幾つかの実施形態」、及び「一実施形態」という用語は、別に記載がなければ、「本発明の一以上の（但し全てとは限らない）実施形態」を意味する。
【０３０５】
「含む」、「備える」及びこれらを変形させた用語は、別に記載がなければ、「〜を含むがこれに限定されるものではない」ことを意味する。項目の列挙は、別に記載がなければ、これらの項目のいずれか又は全てが互いに排他的であることを意味するものではない。単数で示した要素については、別に記載がなければ、「一以上」の要素を意味する。
明細書並びに請求項で使用されるように、２つ以上の部品を「連結」、「接続」、「取り付け」又は「固定」するとは、関連が起こるように、これらの部品を直接的又は間接的（即ち、一以上の中間部品を介して）に繋いでともに動作させることをいう。明細書並びに請求項で使用されるように、２つ以上の部品を「直接連結」、「直接接続」、「直接取り付け」又は「直接固定」するとは、これらの部品を物理的に接触させて直接接続することをいう。明細書で使用されるように、２つ以上の部品を「しっかり（ｒｉｇｉｄｌｙ）連結」、「しっかり接続」、「しっかり取り付け」又は「しっかり固定」するとは、これらの部品が互いに一定の向きを維持しながら一体となって移動するように連結することをいう。「連結」、「接続」、「取り付け」、及び「固定」という用語によって、２つ以上の部品をつなぐ方法を区別するわけではない。
バキュームクリーナの全体説明
【０３０６】
図１〜図８を参照すると、表面クリーニング装置１００の第１の実施形態が示されている。以下は、本明細書で論じられる特徴のいくつかを理解するための基本を提供するこの実施形態の一般的な説明である。後述で詳細に論じるように、各特徴は他の実施形態で使用されてよい。
図示の実施形態では、表面クリーニング装置１００は、手持ち式バキュームクリーナであり、一般に「ハンディ型バキュームクリーナ」又は「ハンドクリーナ（ｈａｎｄｖａｃ）」と呼ばれている。本明細書で使用される手持ち式バキュームクリーナ又はハンディ型バキュームクリーナ又はハンドクリーナは、表面をクリーニングするために一般に片手で操作できるバキュームクリーナである一方、その重量は操作する同じ片手で保持される。これは、直立キャニスタ及びキャニスタ型バキュームクリーナとは対照的であり、これらの重量は、使用中に表面（例えば、床下）によって支持される。任意に、表面クリーニング装置１００は、例えば、直立バキュームクリーナ、キャニスタ型バキュームクリーナ、スティック型バキュームクリーナ、ウェットドライバキュームクリーナなどを形成するために台座に着脱可能に取り付けることができる。
任意に、ハンディ型バキュームクリーナ１００は、例えば、直立バキュームクリーナ、キャニスタ型バキュームクリーナ、スティック型バキュームクリーナ（ｓｔｉｃｋ  ｖａｃ）、湿乾式バキュームクリーナなどを形成するために、図１の台座１０２などの台座に取り付けることができる（着脱可能に又は固定して）。図示の実施例では、表面クリーニング装置の台座は、表面クリーニングヘッドと、細長いワンドとを含む。この構成では、従来の直立バキュームクリーナと同様に、床面或いは他の表面のクリーニングに表面クリーニング装置を用いることができる。
【０３０７】
電力は、標準的な壁の電気コンセントに接続することができるオプションの電気コード１０４（図２）によって表面クリーニング装置１００に供給することができる。これに代えて、又はそれに加えて、表面クリーニング装置の電源は、例えば１つ又は複数のバッテリを含む１つ又は複数の搭載型蓄電部材とすることができる。
【０３０８】
図１〜図８に例示するように、表面クリーニング装置１００は、筐体１０８とハンドル１１０とを有する本体１０６と、本体１０６に接続された少なくとも１つの空気処理部材１１２と、汚染空気入口１１４と、清浄空気出口１１６と、入口１１４と出口１１６との間に延在する空気流路とを含む。表面クリーニング装置は、前端１１８と、後端１２０と、上端１２２と、下端／底端１２３とを含む（図２及び図３）。図示の実施形態では、汚染空気入口１１４は前端１１８にあり、清浄な空気出口１１６は上端１２２にある。空気流路を介してバキューム吸引を生成するために吸引モータ１２４（図５）が備えられていて、モータ筐体１２５内に配置されている。吸引モータは、空気処理部材の上流又は下流にあってもよく、図示の実施形態では下流にある。
【０３０９】
少なくとも１つの空気処理部材１１２は、例えば、空気流から汚染粒子及びその他の破片を除去することを含み、所望の方法で空気を処理するように構成されている。空気処理部材１１２は、吸引モータの上流又は下流に備えられてもよく、空気を処理することができる任意の適切な部材であってよい。任意に、空気処理部材１１２は、少なくとも１つのサイクロン式クリーニング段を含むことができ、場合によっては、互いに直列に配置された２つ以上のサイクロン式クリーニング段を含むことができる。各サイクロン式クリーニング段は、１つ以上のサイクロンチャンバ（互いに平行に又は直列に配置）と、任意の適切な構成の１つ以上の集塵チャンバとを有するサイクロンユニットを含むことができる。集塵チャンバは、サイクロンチャンバの外部にあってもよく、又はサイクロンチャンバの内部にあってもよく、サイクロンチャンバ内の集塵エリア又は領域として構成されてよい。或いは、空気処理部材は、サイクロン式クリーニング段を含む必要はなく、バッグ、多孔質の物理的フィルタ（発泡体又はフェルトなど）又は他の空気処理手段を組み込むことができる。
図５を参照すると、図示の実施形態では、ハンドバキューム１００は、吸引モータ１２４の上流に備えられサイクロンユニット１２６の形態をした空気処理部材１１２を含む。サイクロンユニット１２６は、サイクロンチャンバ１２８と外部集塵チャンバ１３０とを含む。サイクロンチャンバ１２８及び集塵チャンバ１３０は、空気流から塵を分離し、分離された塵を収集するのに適した任意な構成のものでよい。サイクロンチャンバ１２８は、本明細書でより詳細に説明されるものを含み、任意の方向に配置可能である。例えば、表面クリーニング装置が、上端１２２を下端１２３の上方になるように配向された状態では、例えば、一般に平面であり且つ水平面に概ね平行である底部に位置させると、本実施形態でサイクロン回転軸１３２として例示される空気処理部材１１２の中心軸は、この実施形態で例示されるように水平に（図５）、垂直に（図３８）、又は水平と垂直との間の任意の角度（図３９を参照）に位置可能である。
任意に、空気処理部材１１２と吸引モータ１２４との間の空気流路に、１つ以上のモータ前置フィルタを配置することができる。或いは、又はそれに加えて、１つ以上のモータ後置フィルタを吸引モータ１２４の下流に備えることができる。
図５及び図６に例示するように、ハンドバキューム１００は、空気処理部材１１２の下流空気流路に配置されるモータ前置フィルタ筐体１３４を含む。モータ前置フィルタ筐体１３４は、本明細書に例示されているもののいずれかを含む任意の適切なものであればよい。適切な物理的多孔質フィルタから形成され、任意の適切な形状を有するモータ前置フィルタ１３６が、モータ前置フィルタ筐体１３４内に配置される
【０３１０】
図５及び図６の実施形態では、清浄空気出口１１６が本体１０６の一部として設けられ、グリル１３８を含む。この実施例では、グリル１３８は、清浄空気出口１１６から排出される空気がハンドバキューム１００の上端１２２から概して上向きに移動し、オプションのモータ後置フィルタ筐体１４０の一部を形成するように配向される。図示された実施形態では、ハンドバキューム１００を通過する空気の処理を更に支援するために、モータ後置フィルタ１４２が筐体１４０内に備えられる。図示されたモータ後置フィルタ１４２は、物理的発泡媒体フィルタであるが、モータ後置フィルタは、任意の適切なタイプのフィルタであってよく、発泡体フィルタ、フェルトフィルタ、ＨＥＰＡフィルタ、他の物理的フィルタ、静電フィルタなどでよい。
図５の実施形態では、ハンドバキューム１００の汚染空気入口１１４は、入口導管１４６の入口端部にある。汚染空気入口１１４は、図示のように空気処理部材１１２の前方に配置することができる。任意に、導管１４６の入口端は、表面を直接洗浄するためのノズルとして使用することができる。空気入口導管１４６は、この実施例では、導管軸１４８に沿って延在し且つ長手方向前方／後方に配向された概ね線形部材であり、ハンディ型バキュームクリーナが下端１２３よりも上端１２２を上にして配向された状態では、概ね水平である。或いは、又はノズルとして機能することに加えて、入口導管１４６は、剛性空気流導管（例えば、上記の床クリーニング用ワンド）、隙間ツール、ミニブラシなどの任意の適切なアクセサリツールの下流端に接続する、又は直接接続することができる。
例えば、図１は、ハンドバキューム１００を組み込み、入口導管１４６が剛性洗浄ワンド１５０の上端１４９に直接接続されるように構成されたスティック型バキュームクリーニング装置（例えば、スティック型バキュームクリーナ）の例示的な実施形態である。クリーニングワンド１５０の下端１５２は旋回可能に、オプションで回転可能及び操舵可能に、表面クリーニングヘッド１５４に接続される。この構成では、ハンドル１１０は、ハンディ型バキュームクリーナ１００がワンド１５０から取り外されたときに、表面クリーニング装置が使用されるモードに応じて、ハンディ型バキュームクリーナ１００とワンド１５０の組み合わせ、或いはハンドバキューム１００、ワンド１５０及び表面クリーニングヘッド１５４の組み合わせ（即ち、スティック型バキュームクリーナ）を操作するために使用することができる。
【０３１１】
表面クリーニングヘッド１５４は、任意の適切な設計とすることができ、回転ブラシ、照明などの様々な機能を含むことができる。図示の実施例では、表面クリーニングヘッドは、本体１５６と、本体に接続され、表面クリーニングヘッド１５４をクリーニングすべき表面上で転動可能に支持する一対の後輪１５８と、下向きで本体の下面と向かい合っているクリーニングヘッド汚染空気導入口１６０とを含む。表面クリーニングヘッド１５４はまた、本体１５６に旋回可能に接続された支持部材１６２を含む。ワンド１５０の下端１５２は、支持部材１６２に接続することができ、これによりワンドは、概して直立した格納位置（図１）と傾斜した使用位置との間でピボット軸１６４を中心に移動する。図示の実施例では、支持部材１６２は、クリーニングヘッド汚染空気入口１６０と流体連通している上向流ダクトの形態で設けられている。ワンド１５０の下端１５２は、上向流ダクト１６２（又は、その逆の場合もある）を受け入れ、表面クリーニングヘッド１５４をハンドバキューム１００に流体接続するように構成されている。
【０３１２】
任意に、ワンド１５０は、表面クリーニングヘッド１５４の操舵を容易にしやすくために、表面クリーニングヘッド１５４に対して少なくとも１つの他の自由度で動かせることができるものであればよい。例えば、ワンド１５０を、ワンドが表面クリーニングヘッド１５４に対してその長手方向軸１６６を中心に回動できるように、支持部材に回転可能に接続することができる。或いは、又はそれに加えて、ワンド１５０は、表面クリーニングヘッド１５４に対して異なる第２の旋回軸１６８を中心として旋回可能とすることができる。任意に、第２の旋回軸１６８は、ピボット軸１６４に対して概ね直交していてもよく、また、第２の旋回軸１６８を、図１の実施形態に示されるように、概ね前方／後方の方向（一般に、水平面に対して水平又は傾斜しているかのいずれかである）に配向することができる。
【０３１３】
ワンド１５０は、ハンドバキューム１００と表面クリーニングヘッド１５４との間に所望の構造的接続を提供することができる任意の適切な部材であればよい。好ましくは、ワンド１５０を、表面洗浄ヘッド１５４とハンドバキューム１００との間の流体連通を提供する空気流導管として構成することができる。或いは、ワンド１５０は、構造部材及び別個の空気流接続部材（例えば、可撓性ホースなど）を含むことができる。図示の実施例では、ワンド１５０は、ハンドバキューム１００と表面クリーニングヘッド１５４との間における構造的接続及び空気流接続の両方を提供する剛性流体導管である。ワンド１５０を、金属、プラスチック及び／又は他の適切な材料で作製することができる。
任意に、ワンド１５０の下端１５２は、摩擦嵌め、適切なラッチ１７０、ロック機構などを含む任意の手段を用いて、支持部材１６２に着脱可能に接続することができる。着脱可能な接続部を備えることにより、ワンド１５０は、メンテナンスのため、及び／又は床クリーニングに使用するため、表面クリーニングヘッド１５４から分離することができるようになる。このような構成では、ワンド１５０の上流端１５２は、補助汚染空気入口として機能することができる。
好ましくは、ハンドバキューム１００は、ワンド１５０の対向する上端１４９に、例えばラッチ１７０を用いて取り外し自在に接続することができ、ハンドバキューム１００を取り外して、ワンド１５０及び／又は表面クリーニングヘッド１５４とは独立して使用することができる。ワンド１５０の両端に着脱可能な接続部を備えることによって、少なくとも３つの異なる動作モード、即ち、ｉ）ワンドに表面クリーニングヘッド及びハンドバキュームの両方が取り付けられ、表面クリーニングヘッドの汚染空気入口からハンドバキュームに延在し且つワンドを含む空気流路が存在する直立クリーニングモード、ｉｉ）ワンドが表面クリーニングヘッドから取り外され、空気流路が補助汚染空気入口からハンディ型バキュームクリーナに延在する第１の床上クリーニングモード、そして、ｉｉｉ）ハンドバキュームがワンドの上端から取り外され、ノズルが表面を直接クリーニングするために使用され、及び／又は１つ以上の補助クリーニングツール（例えばホース、隙間ツール、室内装飾品用ブラシなど）に接続される第２の床上クリーニングモード、での表面クリーニング装置１００の使用を容易にすることができる。
【０３１４】
任意に、標準の壁型電気コンセントに接続することができるハンドバキューム（図２）に接続された電気コードによって電力を表面クリーニング装置に供給することができる。コード１０４は、ハンドバキューム１００から任意に着脱可能とすることができる。或いは、又はそれに加えて、表面クリーニング装置のための電源を、例えば、１つ又は複数のバッテリを含むことができる搭載型蓄電装置とすることができる。図５の実施形態では、ハンドバキュームは、ハンドル１１０内に備えられたバッテリパック１７４の形態をした搭載電源を含む。バッテリパック１７４については、本明細書で更に詳細に説明する。いくつかの実施例では、表面クリーニングヘッド１５４は、回転ブラシ及びブラシモータ１７２（図１）、灯火又は電力を必要とする他のそのような機能を含むことができる。任意に、ハンドバキューム１００から表面クリーニングヘッド１５４に電気的に接続するように構成されたワンド１５０を介して、ハンドバキューム１００から表面クリーニングヘッド１５４に電力を供給することができる。或いは、又はワンド１５０を介してハンドバキューム１００のための電力を受け取ることに加えて、表面クリーニングヘッド１５４は、それ自身のバッテリパック１７４を含むことができる。
【０３１５】
図５の実施形態、並びにここに図示される他の実施形態（図９〜図１３）では、モータ前置フィルタ筐体１３４及び吸引モータ筐体１２５はともに空気処理部材１１２の後方及びハンドル１１０の前方に配置される。或いは、図２７，３３及び３６に図示されるような他の実施形態では、本体１０６は、モータ前置フィルタ筐体１３４が空気処理部材１１２の後方に（及びハンドル１１０の前方に）配置されるように構成されてよいが、吸引モータ筐体１２５は、モータ前置フィルタ筐体１３４及びハンドル１１０両方の前方に配置されるようにしてよい。この構成では、吸引モータ筐体１２５の一部又は全部を空気処理部材１１２の上に配置することができる。例えば、図２７の実施形態では、吸引モータ筐体１２５は、モータ前置フィルタ筐体１３４の前方に配置され、サイクロンチャンバ１２８の側壁１８８の上に且つ重なって存在する。この実施形態及び図の実施形態では、吸引モータ１２４も集塵チャンバ１３０の上方に且つ重なって存在する。この構成では、吸引モータ筐体１２５は空気入口導管１４６の後方にある。吸引モータ筐体１２５と、その内部にある吸引モータ１２４をモータ前置フィルタ筐体１３４の前方に配置することによって、使用時にハンドバキューム１００の重心及び手触りを変化させることができる。この構成はまた、ハンドバキューム１００の全体的なサイズを縮小しながら、比較的大きなモータ前置フィルタ筐体１３４及び比較的大きな上流表面積を有するモータ前置フィルタ１３６の使用を容易にするのに役立つ。
サイクロンユニット
【０３１６】
以下は、本明細書に記載した任意の他の機能（複数可）との任意の組み合わせ又は部分的組み合わせで、任意の表面クリーニング装置において、単独で使用してよいサイクロンユニットの説明である。例えば、本明細書に記載の任意のサイクロンユニットは、集塵チャンバ、サイクロンチャンバ、排塵方法、モータ前置フィルタ筐体、モータ前置フィルタ、着脱可能なコンポーネント構成、コンポーネント構成、デュアルモードで操作可能な扉ロック、ハンドル構成、搭載型電源構成、ワンド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０３１７】
図５の実施形態を参照すると、ハンドバキューム１００に使用されるサイクロンユニット１２６は、任意に、一方向空気流を有するサイクロン又は「単一フロー」サイクロンチャンバ１２８とすることができる（即ち、空気入口及び空気出口がサイクロンチャンバの互いに反対側端部にある）。サイクロンチャンバ１２８は、入口導管１４６と流体連通するサイクロン空気入口１７８、サイクロン空気出口１８０、及び集塵チャンバ１３０と連通する塵出口１８２を含む。
任意に、単一フローサイクロンチャンバ１２８は、サイクロン空気入口１７８がハンドバキューム１００の前端１１８に向かって位置し、サイクロン空気出口１８０がサイクロンチャンバ１２８の後端でサイクロン空気入口１７８の後方に間隔を空けて配置されるように、概ね水平に配向されてよい。この実施形態では、サイクロン空気出口１８０は、ハンドバキューム１００の他の部分に隣接し対向している。例えば、図１〜図８、図９、図１０、図１１、図１２、図２２、図２７、図３３及び図３６に示す実施形態では、サイクロン空気出口１８０は、モータ前置フィルタ筐体１３４に直接隣接し、モータ前置フィルタ１３６の片側（例えば、上流側又は下流側）対向している。
【０３１８】
この設計の１つの利点は、サイクロン空気入口１７８が、空気を入口導管１４６からサイクロンチャンバ１２８に向け直すために使用される接線方向の空気入口であり、空気がサイクロンチャンバ１２８を出てモータ前置フィルタ１３６に直線的に（後方に）に移動し得ることである。従って、汚染空気は、曲がりくねった部位を通過せずにサイクロン空気出口１８０からモータ前置フィルタ１３６に移動することが可能となり、これによってバキュームクリーナを通る空気流によって生じる背圧を低減することができる。或いは、サイクロンチャンバ１２８は、図３８及び図３９の実施形態に示されるように、空気入口１７８及び空気出口１８０がサイクロンチャンバの同じ端部に配置されるように構成されてよい。この構成により、本体１０６の残りの部分に対する汚染空気入口１１４の位置について柔軟性が得られ、ハンドバキューム部品を別の配置にすることができる。
【０３１９】
図５及び図６は、サイクロンユニットを有するハンドバキューム１００の一実施形態を例示しており、サイクロンユニットは、単一フローサイクロンチャンバ１２８と、サイクロンチャンバ１２８の外側／外部に位置し、塵出口１８２と連通していて塵を受け取りサイクロンチャンバ１２８から排出する集塵チャンバ１３０とを含む。図示の実施例では、サイクロン空気入口１７８及び塵出口１８２は、サイクロンチャンバ１２８の対向する端部に向けて配置され、サイクロン空気出口１８０は、塵出口１８２（図示の後端）と同じ端部に向けて設けられる。この構成では、汚染空気がサイクロンチャンバの前端に入ることができ、清浄空気及び分離された汚染粒子は両方とも、反対側の後端でサイクロンチャンバから排出される。
【０３２０】
この実施形態では、サイクロンチャンバ１２８は、前端壁１８４と、対向する後端壁１８６とを有し、後端壁１８６は、サイクロンチャンバ１２８内で空気が循環するサイクロン軸１３２に沿って前端壁から離間されている。サイクロンチャンバ側壁１８８は、前端壁１８４と後端壁１８６との間に延在する。図示の実施例において、ハンドバキュームを上端が下端よりも上方になるように位置させると、サイクロン軸１３２は概ね水平であり、鉛直方向よりも水平方向に近く、例えば±２０°、±１５°、±１０°、±５°である。例示しているように、サイクロン軸１３２は、実質的に平行、例えば±２０°、±１５°、±１０°又は±５°あって、空気入口導管１４６の導管軸１４８の下方で横方向（鉛直方向）にずれており、サイクロンチャンバ１２８及び集塵チャンバ１３０は入口導管軸１４８の下方にあり、入口導管軸１４８の延長部分が吸引モータ１２４と交差する。図１１の実施形態において、ハンドバキューム１００が水平な状態では（図示のように）、入口導管軸１４８はサイクロン軸１３２の上方にあり、吸引モータ１２４と交差する。この実施形態では、吸引モータ軸２４０が水平であって、入口導管軸１４８と平行であり、且つサイクロン軸１３２の上方にあるように吸引モータ１２４が配置される。
この実施形態では、サイクロン空気入口１７８は、サイクロン側壁１８８、場合によってはサイクロン側壁１８８の上部、前端壁１８４に隣接して形成された開口部で終端することができる。任意に、サイクロン空気入口１７８を前端壁に形成してよい。サイクロン空気入口１７８は、空気入口導管１４６の下部に設けられてよい対応の空気出口開口部１９０を介して空気入口導管１４６の出口端部と流体接続されている。サイクロン空気入口１７８は適切な配置及び／又は構成を有していてもよく、図示の実施例では、空気出口開口部１９０に直接接続された接線方向の空気入口として構成されている。このように空気入口１７８を空気出口開口部１９０に接続することによって、汚染空気入口１１４をサイクロンチャンバ１２８に流体接続するための追加導管の必要性を低減させ、汚染空気入口１１４とサイクロンチャンバ１２８との間に追加の屈曲又は空気流方向転換部材の必要性をなくすことができる。導管の長さ及び屈曲の数を減少させることは、空気流路内での背圧及び空気流損失低減に役立つ可能性がある。
【０３２１】
サイクロン空気入口１７８をサイクロンチャンバ１２８の前面に向けて配置することによって、サイクロンチャンバ１２８内で所望の空気流構成実現に役立つ可能性がある。例えば、この構成では、サイクロンチャンバ１２８自体が、別個の流体導管を必要とせずに、ハンドバキューム１００の前端１１８からモータ前置フィルタ筐体１３４へ後方に空気を運ぶ空気流路の一部として機能する。これは、空気流路によって生成される背圧の複雑さを低減するのに役立ち、空気流路に必要とされるジョイント及びシールの数減少に役立つ可能性がある。
図示の実施例では、サイクロン空気入口１７８は、前壁１８４に直接隣接している。或いは、サイクロン空気入口１７８は、前端壁１８４から軸方向に離間していてもよく、サイクロンチャンバ１２８の長さに沿った別の位置に配置することができる。好ましくは、サイクロン空気入口１７８を、サイクロンチャンバ１２８の前半分部分（即ち、サイクロンチャンバ側壁１８８おける軸方向中間点の前方）に設けることができる。サイクロン空気入口１７８をサイクロンチャンバ１２８の前面に向けて配置することによって、汚染空気入口１１４とサイクロン空気入口１７８との間の距離を縮め易くなり得る。
図５及び図６の実施形態では、サイクロン空気出口１８０は、モータ前置フィルタ筐体１３４に隣接してサイクロンチャンバ１２８の後端壁１８６に設けられ、軸方向に延在する渦ファインダ導管１９２は後端壁１８６から延在し、サイクロン空気出口１８０と整列する。任意のメッシュスクリーン１９４が渦ファインダ導管１９２の入口端部に配置されて示されている。これにより、糸くず、毛髪及び他のゴミが渦ファインダ導管１９２に入らないようにすることができる。空気出口１８０を後端に向けて（及び任意に後端壁１８６内に）配置することによって、サイクロンチャンバ１２８を通る所望の空気流を促進するのに役立ち、空気は旋回しながら、前端壁１８４から後端壁１８６に向かってサイクロンチャンバ１２８を通り、概して軸方向に移動する。
サイクロンチャンバ１２８の後端壁１８６に空気出口１８０を配置することにより、本明細書に記載されるモータ前置フィルタ筐体１３４及び吸引モータ筐体１２５のように、ハンドバキュームにおけるサイクロンチャンバ１２８と他の下流コンポーネントとの間の空気流接続も促進することができる。この実施形態では、後端壁１８６の空気出口１８０は、別個の接続導管を必要とせずに、モータ前置フィルタ筐体１３４に実質的に直接接続される。これは、空気流路及びハンドバキュームの構成の簡素化に役立ち得る。或いは、空気流路は、サイクロン空気出口の下流に接続された１つ以上の導管を含むことができる。
この配置では、ハンドバキューム１００を通って移動する空気は、空気入口導管１４６に沿って概ね後方に（即ち、導管軸１４８に平行に）移動し、次いで、方向を変えて概ね下方に移動しサイクロン空気入口１７８に入る（即ち、サイクロン軸１３２に概ね直交する）。その後、空気は、サイクロンチャンバ１２８内を循環し、サイクロン空気出口１８０に向かって概して後方に移動し、最終的には、渦ファインダ１９２を通って後方向に（即ち、サイクロン軸１３２と概ね平行に）移動しながらサイクロン空気出口１８０を介してサイクロンチャンバ１２８から排出される。この構成では、空気流は、汚染空気の入口１１４に入るときからサイクロンの空気の出口１８０から出る間に、１回だけ方向を変える（接線方向の空気入口によって成され得る方向転換は約９０°だけである）。
【０３２２】
サイクロン塵出口１８２は、任意の適切な構成とすることができ、図５及び図６の実施形態には、サイクロンチャンバ側壁１８８で後端壁１８６に向かって設けられたスロット１８２がある。スロット１８２は、サイクロン側壁１８８の周囲で少なくとも一部の周りに延在してよく、軸方向に任意の適切な高さ１９６を有してよい（図６）。例示のように、このスロットは、側壁の下部にのみに設けてよい。従って、汚染空気入口１１４が使用中に下向きになると、塵は外部集塵チャンバの上端に排出される。収塵チャンバをサイクロンチャンバの下に配置し、サイクロンチャンバを囲まないようにすることにより、ハンドバキュームの幅が低減される。スロット１８２は、サイクロン側壁１８８及び後端壁１８６によって部分的に囲まれるように、後端壁１８６に直接隣接して示されているが、スロット１８２は、サイクロン側壁１８８の長手部分に沿った別の位置に配置でき、後端壁１８６に直接隣接させる必要はない（図２２参照）。任意に、塵出口１８２を、サイクロンチャンバ側壁１８８の中間点に向けて、又は前端壁１８４に向けて設けてよい。単一の塵出口１８２として図示されているが、サイクロンチャンバ１２８は、同一の、又は任意に異なる集塵チャンバ１３０と連絡している１つ以上の塵出口を含むことができる。
【０３２３】
図２７及び図２９を参照すると、図５及び図６に示されたものと実質的に同じ構成を有するサイクロンチャンバが、異なるモータ前置フィルタ筐体１３４及び吸引モータ筐体１２５構成（本明細書でより詳細に説明する）を含むハンディ型バキュームクリーナ１００の別の実施形態として示されている。モータ前置フィルタ筐体１３４の構成は、図５及び図６のモータ前置フィルタ筐体とは異なるが、汚染空気入口１１４からサイクロン空気出口１８０への空気流路は、上述したものと実質的に同じであり、サイクロン空気出口１８０は、モータ前置フィルタ筐体１３４に直接接続されている。
【０３２４】
任意に、いくつかの実施形態では、サイクロンユニット１２６は、２つ以上のサイクロンチャンバ１２８を含むように構成することができる。サイクロンチャンバは、互いに直列に（１つのサイクロンチャンバから排出される空気が別のサイクロンチャンバに流れる）又は互いに並列に配置することが可能である。複数のサイクロンチャンバを備える場合、それらは概ね互いに同じサイズ及び同じ構成であっても、異なるサイズ及び異なる構成であってもよい。
図１５〜図２１を参照すると、空気処理部材１１２が２つのサイクロンチャンバ１２８を含むサイクロンユニット１２６であるハンディ型バキュームクリーナ１００の実施形態が示されている。各サイクロンチャンバは、図５に示すサイクロンチャンバと概ね類似していてよく、同様の特徴は同様の参照符号で示されている。
【０３２５】
この実施形態では、サイクロンチャンバ１２８は互いの鏡像として配置され、サイクロン軸１３２が互いに実質的に平行になるように、互いに概ね水平に配置されている。この実施形態では、サイクロン空気入口１７８が互いに間隔をあけて配置され、且つサイクロンユニット１２６の反対側で外側に設けられている。或いは、空気入口１７８の一方又は両方を、サイクロンユニット１２６の中心に向けて備えることができる。
【０３２６】
図２１を参照すると、サイクロンチャンバ１２８と汚染空気入口１１４との間の空気流通路を提供するために、図示の実施形態では、入口導管１４６は、流入する汚染空気流を両方のサイクロンチャンバ１２８の空気入口１７８の間で分割する入口マニホルド部分１９８を含む。マニホルド部分１９８は、入口導管１４６の入口端から下流にあり、２つの離間した出口孔１９０を含み、そのうちの１つは、各サイクロン空気入口１７８に接続されている。或いは、例えばハンディ型バキュームクリーナに２つの汚染空気入口を備え付け、各々がサイクロンチャンバのそれぞれ１つと流体連通させた他の空気流路を設けることもできる。
【０３２７】
図２０を参照すると、この実施形態では、各サイクロンチャンバ１２８は、それぞれの集塵チャンバ１３０と連通するそれ自体の塵出口１８２を含む。この実施形態では、サイクロンチャンバ１２８ごとに別個の集塵チャンバ１３０が備えられ、集塵チャンバ１３０を物理的かつ流体的に隔離する隔壁２００によって互いに分離されている。これにより、空気処理部材１１２を通る所望の空気流路を維持しやすくなり、サイクロンチャンバ１２８の各々を通って移動する別個の空気流路間での交差流を防止することができる。
或いは、空気処理部材１１２は、両方のサイクロンチャンバ１２８からの塵排出口１８２が単一で共用の集塵チャンバ１３０と連通するように構成されていてもよい。単一の集塵チャンバと連通する２つのサイクロンチャンバ１２８を有する一実施形態が図２２〜２４に図示され、サイクロンユニット１２６が内部分割壁２００を含まない実施形態が図３５及び３６に図示されている。
任意に、単一フローサイクロンとして構成される代わりに、図３７及び図３８に示されるハンドバキュームの一実施形態は、サイクロンユニット１２６を含み、ここではサイクロンチャンバ１２８が概して垂直に配向され（即ち、サイクロン軸１３２は、底面が水平面に載置されているときに水平軸よりも垂直軸に近く、その結果、上端１２２が下端１２３の上方に位置する）、サイクロン空気導入口１７８がサイクロンチャンバの上端に向けて設けられ且つサイクロン空気出口１８０が上端壁１８６に備えられるように構成される。
【０３２８】
この実施形態では、モータ前置フィルタ筐体１３４に直接隣接し、モータ前置フィルタ１３６に面する代わりに、この実施形態では、サイクロン空気出口１８０は、概して後方に延在する内部導管２０２によってモータ前置フィルタ筐体１３４に流体接続される。
【０３２９】
図３８を参照すると、この実施形態では、サイクロン塵出口１８２はサイクロンチャンバ１２８の下端に向かって配置され、集塵チャンバ１３０はサイクロンチャンバ１２８の下方に配置され、塵出口１８２から排出される塵を受け止める。
図３９を参照すると、ハンドバキューム１００の別の実施形態は、図３７及び図３８のサイクロンチャンバに類似したサイクロンチャンバ１２８を含むが、およそ逆の配置になっており、サイクロン空気入口１７８及びサイクロン空気出口１８０は両方ともサイクロンチャンバ１２８の下端に向かって配置される。この実施形態では、入口導管１４６は、サイクロンチャンバ１２８の側壁１８８に備えられ、図１〜図８などの実施形態でハンドバキューム１００の上端１２２に向かって配置される代わりに、ハンドバキュームの中央に向かって上／下方向に配置される。この実施形態では、入口導管軸１４８はハンドバキューム１００の長手方向中心軸２０４と近接していてよく、任意に、ハンドバキューム１００の長手方向中心軸２０４と実質的に同軸であってよく、この軸を中心にハンドバキューム１００は使用中に回転することができる。
【０３３０】
この実施形態では、サイクロン塵出口１８２は、サイクロンチャンバ１２８の頂部に向けて、かつハンドバキューム１００の前面１１８に向かって備えられている。塵出口１８２から排出される塵は、サイクロンチャンバ側壁１８８とサイクロンユニット側壁２０４との間の空間で下方に落下し、サイクロンチャンバ１２８の下にある集塵チャンバ１３０に集められる。
図３７及び図３８の実施形態と同様に、この実施形態では、サイクロン空気出口１８０は、モータ前置フィルタ筐体から離間され、概して後方に延在する内部空気流通路２０２を介してモータ前置フィルタ筐体１３４に流体接続される。
【０３３１】
本明細書に記載されているサイクロンユニット１２６のいずれも概して相互交換可能であり、ハンドバキュームの様々な実施形態を形成するために、本明細書に記載のモータ、フィルタ、筐体、着脱可能なアセンブリ及びハンドルの実施形態のいずれかと組み合わせて使用することができると解釈される。
集塵チャンバの位置決め
【０３３２】
以下は、本明細書に記載した任意の他の機能（複数可）と、任意の表面クリーニング装置又は任意の組み合わせ又は部分的組み合わせにおいて、単独で使用され得る集塵チャンバの配置についての説明である。例えば、集塵チャンバは、サイクロンユニット、サイクロンチャンバ、排塵方法、モータ前置フィルタ筐体、モータ前置フィルタ、着脱可能なコンポーネント構成、コンポーネント構成、デュアルモード操作可能扉ロック、ハンドル構成、搭載型電源構成、ワンド、表面クリーニング装置、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０３３３】
好ましくは、サイクロンユニットの集塵チャンバは、ハンドバキュームの底側に向かってサイクロンチャンバの少なくとも一部の下方に、及び任意に完全に下方に配置され、サイクロンの少なくとも一部の下に位置するように構成することができる。サイクロンチャンバの下方で集塵チャンバを鉛直方向に重ねると、ハンドバキュームの全体的なサイズ縮小に役立つ可能性がある。任意に、集塵チャンバをサイクロンチャンバの実質的に全体の下に位置させ、サイクロンチャンバの前側を超えて前方にも、又はサイクロンチャンバの後側の後方にも延在しないように配置することができる。この配置では、集塵チャンバ全体をサイクロンチャンバの下に置くことができる。これは、サイクロンユニット及びハンドバキュームの外形寸法縮小に役立ち得る。或いは、集塵チャンバの一部をサイクロンチャンバの前方及び／又は後方に延在させることができる。
【０３３４】
図５及び図６を参照すると、一実施形態では、集塵チャンバ１３０は、前端壁２０６と、前端壁２０６から軸方向に間隔を置いて配置された後端壁２０８と、これらの間に延在する集塵チャンバ側壁２１０とを含む。壁２０６，２０８及び２１０（及び任意にサイクロンチャンバ１２８の壁）は、プラスチックを含む任意の適切な材料で作製することができる。任意に、壁２０６，２０８及び２１０の少なくとも一部は、ユーザがチャンバを開放せずに集塵チャンバ１３０の内部を見ることができるように透明であってよい。好ましくは、壁２０６，２０８及び２１０は、全体が透明プラスチックで成形されてもよい。
この実施形態では、集塵チャンバ１３０は、サイクロンチャンバ１２８の下方に配置され、サイクロンチャンバ１２８と実質的に同じ軸方向長さ２１２を有する。この構成では、集塵チャンバの前端壁２０６は、サイクロンチャンバ１２８の前端壁１８４と概ね整列しており、後端壁２０８は、サイクロンチャンバ１２８の後端壁１８６と概ね整列している。図示の実施例では、集塵チャンバ１３０は、サイクロンチャンバ１２８の実質的に完全な真下にあり、サイクロンチャンバ１２８を越えて前／後方向又は側／側方向に延在していない（図２も参照）。即ち、集塵チャンバ１３０の軸方向の長さ２１２は、サイクロンチャンバ１２８の長さ２１２と実質的に等しく、集塵チャンバ２１４の横方向の幅（図２）、これはサイクロン軸線１３２と直交するが、サイクロンチャンバ１２８の横幅と実質的に等しい。このようにして集塵チャンバ１３０をサイクロンチャンバ１２８の下で完全に入れ子にすると、サイクロンユニット１２６及び／又はハンドバキューム１００全体の外形寸法縮小につながる。或いは、集塵チャンバを、サイクロンチャンバの長さ及び幅の少なくとも１つを超えて、及び両方ともに超えて延在するように設けてもよい。
【０３３５】
任意に、サイクロンチャンバ１２８及び集塵チャンバ１３０の前端壁１８４及び２０６は、概ね平坦であり、互いに同一平面になるように配置され、後端壁１８６及び２０８は類似の構成を有していてよい。この構成では、サイクロンチャンバ側壁１８８の下部が、サイクロンチャンバ１２８を集塵チャンバ１３０から分離させる集塵チャンバ側壁２１０の上部も形成するので、集塵チャンバ側壁２１０の一部はサイクロンチャンバ側壁１８８の一部と一致する。
【０３３６】
任意に、いくつかの実施形態では、集塵チャンバ１３０は、集塵チャンバ１３０の外面の一部がハンドバキューム１００の下端１２３の一部を形成するように構成することができ、平坦な表面上に載置されるならばハンドバキュームはこの上に留まる。図示の実施例では、集塵チャンバ側壁２１０の下方に向いた部分は、それらが下にある面に接触して、ハンドバキューム１００の底部の一部を形成するように配置されている。或いは、サイクロンユニット１２６は、例えば、図１５の実施形態に示すように、バキュームがある表面上に置かれている間、その外面は下にある表面に接触しない、又は真空ベースの一部を形成しないように構成することも可能である。
【０３３７】
図１６及び図２１に示す実施形態のデュアルサイクロンを参照すると、この実施形態の集塵チャンバ１３０は、それぞれのサイクロン１２８と実質的に同じ長さ２１２を有するように各々が構成され、各集塵チャンバ１３０は、それぞれのサイクロン１２８の完全に真下に配置される。図２１に示すように、この実施形態では、集塵チャンバ１３０はハンドバキューム１００の下端１２３に向かって先細りになっているので、集塵チャンバ１３０は実際にはサイクロン１２８よりも下端に向かって狭くなっている。或いは、集塵チャンバ１３０を、頂部から底部へ概ね一定の幅を有するように構成することも可能である。
【０３３８】
図９〜１４及び２５〜３６の実施形態における集塵チャンバは、類似の構成を有する。
【０３３９】
図３７及び図３８を参照すると、この実施形態では、集塵チャンバ１３０は、サイクロンチャンバ１２８の下端全体の下にあり、サイクロンチャンバ１２８の僅か前方に延在している。この構成では、サイクロンチャンバ１２８の端壁１８４と集塵チャンバ１３０の端壁２０８とが一致し、側壁１８８と側壁２１０とは重ならない。
【０３４０】
図３９の実施形態における集塵チャンバ１３０も同様の構成を有する。対照的に、図２２〜図２４に示す実施形態では、集塵チャンバ１３０の前部は、サイクロンチャンバの前端壁１８４と実質的に同一平面上にあるが、集塵チャンバ１３０の一部は、後端壁１８６の最後部の後方に延在している。この実施形態では、集塵チャンバ１３０は、サイクロンチャンバだけでなく、モータ前置フィルタ筐体１３４の一部分の下にも位置している。このようにして集塵チャンバ１３０を入れ子にすると、ハンドバキュームの全体的なサイズ縮小に役立つ一方、比較的大きな集塵チャンバ容量を提供することにもつながる。
空気処理部材を空にする
【０３４１】
以下は、本明細書に記載した任意の他の機能（複数可）と、任意の表面クリーニング装置又は任意の組み合わせ又は部分的組み合わせにおいて、単独で使用され得る集塵チャンバの配置についての説明である。例えば、空気処理部材の内容物を空にする機構は、サイクロンユニット、集塵チャンバ、サイクロンチャンバ、モータ前置フィルタ筐体、モータ前置フィルタ、着脱可能なコンポーネント構成、コンポーネント構成、デュアルモード操作可能扉ロック、ハンドル構成、搭載型電源構成、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０３４２】
好ましくは、空気処理部材の少なくとも一部は空にするために開閉可能である。例えば、集塵チャンバ１３０の少なくとも１つの端部、及び任意で両方の端部を、空にするために開閉可能とすることができる。任意に、サイクロンチャンバ１２８の少なくとも１つの端部、及び任意で両方の端部も、空にするために開閉可能とすることができる。
図５〜図６を参照すると、この実施形態では、サイクロンチャンバ１２８の前端壁１８４と集塵チャンバ１３０の前端壁２０６の両方が、サイクロンユニット１２６の前端に備えられている。この構成では、前扉２１６を開くことにより、サイクロン集塵室１２８，１３０の前端壁１８４，２０６が同時に開くことになる。図示の実施例では、サイクロンユニット１２６が本体１０６に接続された状態で前扉２１６を開くことができる（例えば、図２３参照）。この構成では、ユーザは、一方の手でハンドル１１０を介してハンドバキューム１００を保持し、他方の手で前扉２１６を開くことができる。サイクロンチャンバ１２８の前端壁１８４及び集塵チャンバ１３０の前端壁２０６は同時に開くことができ、サイクロンチャンバの前端及び集塵チャンバの実質的部分の全てを覆うことができる。例えば、サイクロンチャンバ１２８の前端壁１８４及び集塵チャンバ１３０の前端壁２０６は、ワンピースアセンブリであっても、一体的に形成されてよい。
【０３４３】
前扉２１６は、ヒンジ又は他の適切なデバイスを含む任意の適切な機構を使用して、サイクロンユニット１２６の残りの部分に、開閉可能に（例えば、旋回可能に、又は着脱可能に）接続することができる。任意に、前扉２１６は、ユーザによって開放され得るラッチ機構を含む任意の適切なタイプのロック機構を使用して、閉位置に固定され得る。図１〜８の実施形態では、前扉２１６は、サイクロン及び塵チャンバの側壁１８８及び２１０から取り外すことによって開くことができ、図５に示すように接続されたとき摩擦嵌合によって閉位置に固定される。
この実施形態では、サイクロンチャンバ１２８及び集塵チャンバ１３０の後端壁１８６及び２０８は、開閉可能ではない。しかし、他の実施形態では、後端壁の一方又は両方が開閉可能であり、任意に、これらは前端壁と同様に開閉可能であってよい。任意に、前壁及び後壁は、同じ時に（必ずしも同時にではなく）開閉可能であってよい。開閉可能な前壁及び後壁を有することにより、サイクロンユニット１２６の空にすること及び／又はクリーニングすることを容易しやすい。
【０３４４】
任意に、サイクロンユニット１２６は、閉位置に開閉式扉２１６を固定するために、アセンブリ扉ロック又は他の適切なロック機構を含むことができる。ロックが施錠位置にあるとき、扉２１６をその閉位置に保持することができ、ロックが解除位置にあるとき、空にするために扉を開くことができる。好ましくは、アセンブリ扉ロックは、ユーザがアセンブリ扉ロックを解除することができるように、少なくとも１つの開放アクチュエータを含むことができる。
サイクロンユニット１２６の開閉可能部分を開閉するためのアクチュエータは、サイクロンユニット１２６自体、本体１０６、又はハンドバキューム１００の他の部分（ハンドル１１０など）に備えることができる。
任意に、開閉可能な前壁を備える代わりに、サイクロンユニットを、別の部分も開閉可能に構成することができる。例えば、図３７〜図３８及び図３９の実施形態では、集塵チャンバ１３０の開閉可能部分は、底端壁２０６である。この壁は、他の実施形態において前扉２１６を開くのと同様の方法で開くことができる。好ましくは、図３７〜図３８の実施形態のように、サイクロンチャンバ１２８の下端壁１８４は底壁２０６に接続され、底壁２０６と共に移動可能であるため、底壁２０６を開くと、集塵チャンバ１３０とサイクロンチャンバ１２８との両方が開口して中を空にすることができる。或いは、図３９の実施形態のように、底壁２０６を開くと集塵チャンバ１３０のみが開くようにして、サイクロンチャンバ１２８の下端壁１８４は開閉可能でなくともよい。開閉可能な底壁２０６は、本明細書に記載した機構を含む任意の適切なロック機構を使用して閉位置に保持される。例えば、ラッチ２２０を鉛直に配置して、サイクロンユニット１２６の側壁の前部に備えることができる。開閉可能な底壁２０６は、本明細書に記載した機構を含む任意の適切なロック機構を使用してその閉位置に固定されていてもよい。
デュアルモード操作可能扉ロック
【０３４５】
以下は、ハンディ型バキュームクリーナに使用可能なデュアルモード操作可能扉ロックの様々な機能の説明である。これらの機能は、任意の表面クリーニング装置において、又は本明細書に記載した任意の他の機能（複数可）との任意の組合せ又は部分的組み合わせにおいて単独で使用され得る。例えば、本明細書に記載した着脱可能なアセンブリ構成のいずれも、サイクロンユニット、集塵チャンバ、サイクロンチャンバ、排塵方法、モータ前置フィルタ、着脱可能なコンポーネント構成、コンポーネント構成、デュアルモード動作可能扉ロック、ハンドル構成、搭載型電源構成、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０３４６】
表面クリーニング装置は、集塵領域（例えば、サイクロンチャンバの内部にあっても外部にあってよい集塵チャンバ）を含む着脱可能なアセンブリを有することができる。例えば、空気処理部材は、単独で又は本明細書で説明される他のコンポーネントと一緒に着脱可能であってよい。着脱可能なアセンブリは、ロックによって閉位置に固定される開閉式扉を有することができる。ロックが解除されると、扉を開くことができる。組立体アクチュエータをアセンブリに備えることができる。ユーザによって（例えば、ボタンを押す又はアクチュエータをスライドさせることによって）作動されると、ロックを解除することができる。組立体アクチュエータが表面クリーニング装置の残りの部分（例えば、表面クリーニング装置の本体）に取り付けられたとき、組立体は隠されてよい。アセンブリが、例えば本体に取り付けられたとき、本体アクチュエータがロックを開くために使用され得る。従って、本体アクチュエータは、例えば、組立体アクチュエータに駆動接続されることによって、ロックに動作可能に接続されていてよい。
【０３４７】
従って、サイクロンユニット１２６（又は他の空気処理部材１１２）が本体１０６から分離されると、サイクロンユニット１２６に備えられたアセンブリ扉ロックの一部をユーザが直接係合させることができるように、しかしサイクロンユニット１２６が本体１０６に取り付けられると、本体に取り付けられたアクチュエータ部材によって係合することもできるように、アセンブリ扉ロックを構成することができる。このような構成では、サイクロンユニット１２６が本体１０６に取り付けられているか本体１０６から分離されているかにかかわらず、同一のアセンブリ扉ロック機構を作動させることができ、サイクロンユニット１２６を両方の構成で開くことができる。
【０３４８】
図２２〜２４を参照すると、前扉をそのロック位置に操作可能にロックするアセンブリ扉ロックの一実施例が示されている。この実施形態では、ロック機構２１８は、サイクロンユニット１２６の上側にあるピボット取付部に枢動可能に接続されたラッチ部材２２０の形態をしたロック部を含む。扉２１６の下端は、ヒンジ２２２（図２２）を介してサイクロンユニット１２６の端部にヒンジ式に固定されており、ラッチ２２０が外れると前扉２１６が枢動して開くことができる。
図２２に示すように、ラッチ部材２２０の前端部２２４は、前扉２１６の上端で対応するキャッチ部２２６に係合するように構成され、ラッチ部材２２０の後端２２８は、ユーザが押圧することができる寸法と形状を有する係合部２３０の形態をした作動部材を含む。この実施形態では、ラッチ部材２２０はピボット取付部の前方に配置され、係合部２３０はピボット取付部の後方に配置される。アセンブリ扉ロックのロックを解除するために、ユーザは係合部２３０を押圧することができ、これによりラッチ部材２２０をサイクロンユニットの側壁に対して旋回させることができ、ラッチ部材２２０の前端２２４が上方に移動し（キャッチ２２６から外れて、図２３参照）、ラッチ部材２２０の後端２２８が下方に移動するようになる。
この実施形態では、ラッチ部材２２０は、本体１０６によって覆われたサイクロンユニットの上側部分に備えられ、サイクロンユニット１２６が本体１０６に取り付けられると概してユーザにとってアクセス不能になる。好ましくは、本体とサイクロンユニットとの間に十分な隙間が設けられ、取り外されるときと同様に、サイクロンユニット１２６が取り付けられている間にラッチ部材２２０がロック位置とロック解除位置との間で動くことができるようになっている。これにより、サイクロンユニットが本体１０６に取り付けられている、本体１０６から取り外されているかにかかわらず、サイクロンユニット１２６を空にするために前扉２１６をロック解除して開くことがしやすくなる。
【０３４９】
この実施形態においてラッチ２２０を操作するため、開放アクチュエータを本体１０６のアクセス可能な部分に備えることができ、開放アクチュエータは、前扉２１６のロックを解除するために操作可能である。任意に、開放アクチュエータは、前扉に直接係合するように構成されていてよい。或いは、開放アクチュエータがラッチ部材に係合して作用するように構成されていてもよい。
【０３５０】
開放アクチュエータは、ロック部材とは異なる方向に移動してよい（例えば、異なる平面内で移動し得る）。例えば、図示の実施形態に例示するように、ハンドバキュームは、本体１０６の上側に設けられ、前後方向に並進することができるスライダ２３２の形態をした開放アクチュエータを含む。スライダ２３２は、ユーザが把持することができるタブ部分２３４の形態をした作動部分と、内部当接部分２３６の形態をした被駆動端とを含む。ユーザは、タブ部分２３４を前後に並進移動させることができ、当接部２３６の対応する並進を引き起こす。サイクロンユニット１２６が本体１０６に取り付けられると、ラッチ２２０の係合部分２３０は、スライダ２３２の当接部２３６に概ね近接して位置決めされる。ユーザがスライダ２３２を前方に移動させると、当接部２３６が係合部分２３０と接触し、その傾斜したカム面により、係合部分２３０を下方に駆動ラッチ２２０（図２３）を係合解除する。ラッチ２２０が開放された状態で、前扉２１６は自由に開くことができる。
【０３５１】
任意に、ラッチ部材２２０を、バネ２３８又は他の適切な付勢部材を用いてロック位置に向かって付勢することができる。同様に、スライダ２３２を、その後方の解除位置に向かって付勢することができる。この実施形態では、水平にスライドする部材として示されているが、開放アクチュエータは、代替的に、垂直方向に並進可能なリンク／ボタン（即ち、アクチュエータボタンを垂直方向に押し下げながら内部係合部分を押圧してラッチを開放する）、回転ダイヤル又は他の適切な機構として構成してよい。
【０３５２】
このロック機構２１８及び開放アクチュエータ２３２は、本明細書に記載のサイクロンユニット１２６及びハンドバキューム１００のいずれかと組み合わせて使用してよい。
或いは、本明細書で論じるように、底壁２０６を開くことにより収塵チャンバ１３０のみが開放されるように、サイクロンチャンバ１２８の下端壁１８４は、図３９の実施形態のように開閉可能である必要はない。このような実施形態では、ラッチ２２０を、サイクロンユニット１２６が本体１０６に取り付けられたときに覆われるように、側壁の後側に備えることができる。この場合、本体１０６は、垂直方向に配向されたスライダ部材などの開放アクチュエータを含むことができる。図２２〜２４の実施形態のように、ラッチ２２０は、サイクロンユニットが取り外されたときにユーザによって手動で係合させることができ、且つサイクロンユニットが本体に取り付けられたときには垂直スライダ部材の当接部によって係合される係合部分を含むことができる。
モータ前置フィルタ筐体
【０３５３】
以下は、ハンディ型バキュームクリーナに使用することができるモータ前置フィルタ筐体の様々な機能の説明である。これらの機能は、任意の表面クリーニング装置において、又は本明細書に記載した任意の他の機能（複数可）との任意の組合せ又は部分的組合せにおいて単独で使用され得る。例えば、本明細書に記載した着脱可能なアセンブリ構成のいずれも、サイクロンユニット、集塵チャンバ、サイクロンチャンバ、排塵方法、モータ前置フィルタ、着脱可能なコンポーネント構成、コンポーネント構成、デュアルモード動作可能扉ロック、ハンドル構成、搭載型電源構成、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０３５４】
本明細書に記載の実施形態では、ハンドバキュームは、サイクロンチャンバと吸引モータとの間の空気流路内に配置されたモータ前置フィルタ筐体を含む。いくつかの構成では、モータ前置フィルタ筐体は、吸引モータ筐体又は本体の他の部分に固定的に接続され、モータ前置フィルタ筐体が本体から取り外せないようにすることができる。或いは、他の実施例では、モータ前置フィルタ筐体は、本体から着脱可能であってよい。
【０３５５】
図１〜図８の実施形態を参照すると、図示の実施例では、本体１０６は吸引モータ筐体１２５とモータ前置フィルタ筐体１３４の両方を含み、モータ前置フィルタ筐体１３４が吸引モータ筐体１２５の下方に位置するように構成されている。この実施例では、ハンドバキュームが上端を下端の上方に配置して水平面上に留まっているときに（図５に示すように）、吸引モータ軸２４０が概ね鉛直方向にあるように（例えば±２０°、±１５°、±１０°、±１０°、又は±５°）、吸引モータ１２４は概ね鉛直に配置されている。この配置では、吸引モータ軸２４０は概ねサイクロン軸１３２と直交しており、モータ軸２４０の延長部分は、サイクロンユニット１２６とハンドル１１０との間（即ち、サイクロンチャンバ１２８の後方及びハンドル１１０の前方に）で長手方向に位置し、モータ前置フィルタ筐体１３４を通り且つ清浄空気出口１１６でグリル１３８を通って延在している。
この実施形態では、ハンドバキューム１００が直立しており（即ち、図５に示すようにその上端がその下端の上方にあるように配置されている）、サイクロン軸１３２が概ね水平に延在していて、モータ軸２４０は実質的に鉛直方向（例えば±２０°、±１５°、±１０°又は±５°）にある。任意に、吸引モータ１２４は、ハンドバキューム１００が直立し、サイクロン軸１３２が水平であり、且つ吸引モータ軸２４０が垂直の±２０°、±１５°、±１０°、又は±５°の範囲内にあるように配向されてよい（例えば、図２２の実施形態を参照）。
任意に、ハンドバキューム１００を、ハンドバキュームが直立している状態では、図５の実施形態における入口端部２４２にある吸引モータの下端が、サイクロンチャンバ側壁１８８の上部の真下に配置されるように構成可能である。
【０３５６】
図示の実施例では、モータ前置フィルタ筐体１３４は、モータ前置フィルタ筐体の直径２４４がモータ筐体の直径２４６（図３）と概ね同じであり、鉛直方向に積まれた構成においては、モータ前置フィルタ筐体１３４がほぼ、任意には完全に、モータ筐体１２５の下に配置されるようなサイズに作製される。
図５を参照すると、図示の実施例では、モータ前置フィルタ筐体１３４は、上端壁２４８及び下端壁２５０と、それらの間に延在するチャンバ側壁２５２とを有する。チャンバ１３４はまた、サイクロン空気出口１８０の下流に接続された筐体入口２５４（図６も参照）と、モータ入口端２４２に隣接する筐体空気出口２５６とを有する。空気は、筐体空気入口２５４から筐体空気出口２５６まで移動するために、チャンバ内に配置されたモータ前置フィルタ１３６を通過する。図示の実施例では、筐体空気入口２５４は、チャンバ側壁２５２の前部に備えられ、筐体１３４の上端に向かって配置されている。筐体空気出口２５６は、上端壁２４８に形成されている。この実施形態では、フィルタ筐体１３４に入る空気は、概して後方に移動し、フィルタ筐体１３４から排出される空気は、吸引モータ筐体の入口端２４２へと概ね上向きで垂直に進む。
【０３５７】
任意に、モータ前置フィルタ筐体１３４を開閉可能にすることができ（本明細書に記載されるように任意で）、端壁２４８又は２５０の少なくとも１つ及び／又は側壁２５２の一部を、開閉可能にする、そうでなければモータ前置フィルタ筐体１３４の内部へのアクセスを可能とするように再構成することができる。
図示の実施例では、本体１０６は、吸引モータ１２４及びモータ前置フィルタ１３６がそれぞれサイクロンチャンバ１２８の後方に配置されるように構成されている。例えば、図５を参照すると、この実施例では、吸引モータ１２４及びモータ前置フィルタ１３６は両方とも、サイクロンチャンバ１２８の後端壁１８６及びサイクロン空気出口１８０を含む平面２５８の後方に配置される。或いは、吸引モータ及び／又はモータ前置フィルタの一部を、サイクロンチャンバ１２８と鉛直方向に重なるように、平面２５８の前方に延在させることができる。
【０３５８】
図１２，２２及び３８を参照すると、ハンドバキューム１００の代替の実施形態を、モータ前置フィルタ筐体１３４が吸引モータ筐体１２５の上方に配置され、その結果、モータ前置フィルタ１３６及び吸引モータは、図１〜図１１などの実施形態とは反対の方法で鉛直方向に積み重ねられるように構成することができる。この配置でコンポーネントを重ねると、ハンドバキュームの重量分布が変化する可能性がある。
吸引モータ筐体１２５を本体１０６の底部に向けて配置することによって、清浄空気出口１１６を、１〜１１に示すように上端１２２ではなく、本体１０６の底部に向けて配置することもできる。これにより、概して下向き及び／又は後向きの方向でハンドバキューム１００からの空気の排出を容易しやすくなる。
フィルタ筐体１３４を本体１０６の頂部１２２に向けて配置すると、ハンドバキュームがその台座に載置されている間にも、モータ前置フィルタ１３６へのアクセスがしやすくなる。例えば、ハンドバキューム１００クリーナがテーブル又は他のそのような表面上に載置されると、図１２，２２及び３８に示すように、モータ前置フィルタ筐体１３４の上端壁２４８が、筐体の上端に設けられて、ユーザにとってアクセス可能となる。上端壁２４８が開閉可能に構成されている場合、ユーザはモータ前置フィルタ筐体１３４を開くことができ、ハンドバキューム１００をテーブル上に載せている間に、ハンドル１１０を握ろう、又はハンドバキュームを保持しようと片方の手を使う必要なしに、モータ前置フィルタ１３６を点検又は交換することができる。
図２５〜図３１を参照すると、ハンドバキューム１００の代替実施形態は、概して平坦なスラブ状のモータ前置フィルタ１３６と、図１〜２１における筐体１３４とは異なる形状を有するモータ前置フィルタ筐体１３４とを含むことができる。この実施形態では、モータ前置フィルタ筐体１３４は、サイクロンユニット１２６及び吸引モータ筐体１２５の両方の後方かつハンドル１１０の前方に配置される。図２７に示すように、モータ１２４が水平にあると、モータ軸２４０の延長部分は、モータ前置フィルタ筐体１３４及びフィルタ１３６と交差する。サイクロンチャンバ１２８が図示のように水平である場合、サイクロン軸１３２の延長部分は、モータ前置フィルタ筐体１３４及びフィルタ１３６、並びにハンドル１１０と交差する。
この実施形態では、モータ前置フィルタ筐体は、筐体入口２５４及び筐体出口２５６を備える前端壁２４８と、後端壁２５０と、それらの間に延在する側壁２５２とを含む。任意で、図２６の実施形態に示すように、後壁２５０は、ユーザがモータ前置フィルタ筐体１３４を開く必要なしにフィルタ１３６を視覚的に点検できるように、少なくとも１つの透明部分２６０を含んでよい（又は任意で全体が透明であってよい）。
【０３５９】
図２７を参照すると、フィルタ１３６がモータ前置フィルタ筐体１３４内に配置されていると、空気がフィルタに入るフィルタ１３６の上流面２６２と筐体１３４の対向壁２５０との間の空間は、サイクロン空気出口１８０と気流連通する上流ヘッダ２６４を提供する。空気がフィルタから排出される下流面２６６とその対向端壁２４８との間の空間は、吸引モータ１２４と気流連通する下流ヘッダ２６８を提供する。図示の実施形態では、フィルタ１３６は、空気流導管２７２を受け入れるように構成されている孔２７０（図２８も参照）を含んでいる。空気流導管２７２は、フィルタ１３６を通って延在し、サイクロン空気出口１８０と上流ヘッダ２６４との間に空気流連通を提供する。図示の実施例では、空気流導管２７２は、渦ファインダ導管１９２の延長として構成され、サイクロン空気出口１８０から直接延在する剛性導管部分である。下流ヘッダ２６８は、吸引モータ筐体１２５の入口及び筐体内の吸引モータ１２４と空気流連通している。この配置では、フィルタ１３６を通って移動する空気は、先ず、導管２７２を通って後方に移動し（フィルタ自体に晒されることなく）、その後、上流面２６２から下流面２６６に向かって前方に移動し、その後は前方へ吸引モータ１２４に向かって移動する。
【０３６０】
この実施形態では、下流面２６６がフィルタの前側（即ち、空気処理部材１１２に面する側）に設けられ、上流面２６２はフィルタ１３６の後側（即ち、ハンドル１１０に面する側）に設けられ、フィルタは透明部分２６０を通して視認可能であるように、フィルタ１３６がモータ前置フィルタ筐体１３４内に配置されている。
【０３６１】
図３６を参照すると、別の実施形態では、空気が図２７に示すフィルタを通って流れる方向とは概して反対方向に、フィルタを通って流れるように、モータ前置フィルタ筐体１３４が構成される。即ち、この実施形態では、フィルタ１３６の上流側２６２がフィルタ１３６の前面であり、下流側２６６がフィルタ１３６の後面である。この構成では、サイクロンユニット１２６から排出される空気は、フィルタ１３６とサイクロンユニット１２６とモータとの間に位置する上流ヘッダ２６４に流入する。上流ヘッダ２６４から、空気はフィルタ１３６を通って後方に流れ、下流ヘッダ２６８に達する。下流ヘッダ２６８は、フィルタ内の孔２７０を通って突出する導管部分２７２を介して吸引モータ１２４の筐体に流体接続される。この構成では、空気は、フィルタに晒されることなく、下流ヘッダ２６８から導管２７２を介して吸引モータ１２４へと前に向かって流れることができる。
【０３６２】
任意に、モータ前置フィルタ筐体壁のいくつか又は全てを、ユーザがチャンバを開く必要なしにモータ前置フィルタの外側の上流側を視覚的に点検できるように、透明とすることができる。或いは、チャンバを不透明とし、フィルタは、チャンバを開いたときにのみユーザに見えるようにしてよい。
開閉可能なモータ前置フィルタ筐体
【０３６３】
以下は、ハンディ型バキュームクリーナに使用することができる開閉可能なフィルタ筐体の様々な機能の説明である。これらの機能は、任意の表面クリーニング装置において、又は本明細書に記載した任意の他の機能（複数可）との任意の組合せ又は部分的組み合わせにおいて単独で使用され得る。例えば、本明細書に記載した着脱可能なアセンブリ構成のいずれも、サイクロンユニット、集塵チャンバ、サイクロンチャンバ、排塵方法、モータ前置フィルタ、着脱可能なコンポーネント構成、コンポーネント構成、デュアルモード動作可能扉ロック、ハンドル構成、搭載型電源構成、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０３６４】
任意に、モータ前置フィルタ筐体を、フィルタへのアクセスを提供するように開閉可能にすることができる。いくつかの実施形態では、中を空にする又はハンドルを外すためにサイクロンユニット１２６を取り外すなどして、ハンドバキュームの他のコンポーネントを本体から分離することによって、モータ前置フィルタ筐体を開くことができる。代替的に、又はこのような手順で開くことに加えて、モータ前置フィルタ筐体は、モータ前置フィルタ筐体内部及びその内部のモータ前置フィルタへのアクセスを提供することができる１つ又は複数の開閉可能な部分を含むことができる。
【０３６５】
図６及び図７を参照すると、一実施形態では、モータ前置フィルタ筐体１３４は、側壁２５２から取り外すことができる開閉可能な底壁２５０を含む。任意に、底壁２５０を、フィルタ１３６を適所に残しながら着脱可能とすることができる。又は底壁２５０が取り外されたときにフィルタ１３６が筐体１３４から取り出されるように構成してよい。図示の実施例では、底壁２５０はフィルタキャリア２７６の台座部材としても機能し、これには出口導管２７４（本明細書でより詳細に説明する）も含まれ、モータ前置フィルタ１３６を支持する。この構成においてモータ前置フィルタ１３６にアクセスするには、ユーザは、キャリア２７６を概ね軸方向（即ち、フィルタ軸２７８に平行。図５及び図９〜１１，１３，１４，１５〜１１及び３９の実施形態も参照）に引き出すことによって、フィルタキャリア２７６をフィルタ筐体１３４から分離することができる。任意に、発泡体フィルタ１３６を出口導管２７４にぴったりと嵌められるようにして、発泡体フィルタ１３６を、任意にはユーザがフィルタ１３６の汚れた上流側２６２に触れる必要なく、単一のユニットとしてキャリア２７６と共に除去することができるようにすることが可能である。
代替的に、図１０の実施形態に示すように、底壁２５０を側壁２５２から分離する代わりに、モータ前置フィルタ筐体１３４を、実質的に筐体１３４全体が着脱可能であるように構成してよい。この構成では、筐体側壁２５２は、筐体空気入口２５４を含めて本体の残りの部分から着脱可能である。この実施形態では、筐体１３４が取り外されるとモータ前置フィルタ筐体１３４の上端が開かれ、フィルタ１３６を、上端を介して引き出すことができる。任意に、この実施形態では、底壁２５０もまた着脱可能にして（図７に示すように）、筐体１３４の残りの部分が本体１０６に取り付けられると、又は筐体１３４の側壁２５２が図示のように取り外されると着脱可能とすることができる。
【０３６６】
図１２の実施形態では、モータ前置フィルタ筐体１３４の内部へのアクセスは、筐体１３４の上壁２４８の少なくとも一部（及び任意で上壁全体）を図７に示すように底壁に対する類似の方法で開くことにより提供される。図２２及び図３８の実施形態は、モータ前置フィルタ筐体１３４がハンドバキューム１００の上端に向かって配置され、筐体の上壁２４８を取り外すことによって開くことができる、一実施形態の他の実施例である。この実施形態では、導管は上壁に接続され、フィルタは導管上にぴったりと嵌められ、上壁が取り外されると、フィルタをモータ前置筐体の内部から導管及び上壁と共に取り外すことができる。
【０３６７】
図２７及び図２８は、モータ前置フィルタ筐体１３４の後壁２５０が、内部及びフィルタ１３６へのアクセスを提供するために開閉可能である実施形態を示す。この実施形態では、後壁２５０の上端は、ヒンジ２８０を介して側壁２５２に接続されているため、後壁２５０が側壁２５２に対して旋回することができる。後壁２５０をその閉位置（図２７）に保持するために、ラッチ又は他の適切な係合機構を後壁２５０の下端に向けて備えることができる。フィルタ１３６にアクセスするには、後壁２５０を旋回させて開位置にすることができる（図２８）。図示した実施形態では、ハンドル１１０は、後壁２５０にのみ接続されるため、モータ前置フィルタ筐体１３４が開かれると後壁２５０と共に移動する。或いは、モータ前置フィルタ筐体１３４が開いていればハンドル１１０を動かす必要性がないように、ハンドル１１０を本体の他の部分に取り付けてもよい。
図３５及び図３６の実施形態は類似の方法で構成されているが、後端壁２５０は、ヒンジを使用するのではなく、摩擦嵌めによって側壁２５２に固定されている。
【０３６８】
別の実施形態では、ハンドルは、モータ前置フィルタ筐体の後壁に取り付けでもよいが、後壁は開閉可能である必要はない。代わりに、モータ前置フィルタ筐体の別の部分が開閉可能にすることができる。これは、ハンドルとハンドバキュームの残りの部分との間の接続を強化するのに役立ち得る。図３２〜図３４を参照すると、ハンドバキューム１００の別の実施形態は、後壁２５０の移動を必要とせず、モータ前置フィルタ筐体１３４の側壁２５２の底部が開くように構成されている。この実施形態では、筐体１３４の開閉可能部分２８２はフィルタ１３６の側部に面し（上流又は下流面２６２，２６６のどちらでもなく）、フィルタ１３６の開口２８４を通して下方にスライドさせることによって取り出すことができる。
【０３６９】
いくつかの実施形態では、発泡体、フェルト、及び／又はこのような性質の他の可撓性材料からなるフィルタ１３６は、この実施形態の開口２８４に挿入するのは幾分困難となりかねない。例えば、フィルタが挿入されたときに撓み又は歪みを生じやすく、前壁又は後壁に干渉することがある。必要に応じて、この実施形態で使用されるフィルタは、モータ前置フィルタ筐体内へのフィルタの挿入を容易にするのに十分な剛性を有する材料から作製することができる。或いは、又はこれに加えて、モータ前置フィルタを、フレーム又は、所望の強度を付与するのにつながるフィルタキャリア２７６の他の適切な実施形態によって支持してもよい。
【０３７０】
図３２を参照すると、フィルタキャリア２７６のこの実施形態は、フィルタ１３６の縁部２８８を取り囲む側壁２８６と、フィルタ１３６の上流面２６２の上に重なる後壁２９０とを含む。フレームの後壁２９０には、空気を通過させるための複数の孔２９２が設けられている。この実施形態では、フィルタキャリア２７６は、フィルタ１３６の孔２７０を通って延在し、サイクロン空気出口１８０をフィルタ１３６の後側で上流ヘッダ２６４へと接続する導管２７２の部分も含む。このタイプのフィルタキャリア２７６及びフィルタ１３６は、図３６の実施形態に示すように、様々な空気流パターンに順応するように構成することもでき、この場合、導管２７２及び孔２７０は異なる位置にあってよい。
任意に、図示されるような後壁２９０を含む代わりに、フィルタキャリア２７６は、側壁部分２８６のみを含んで、概してリング状の構成であってよい。これは、フィルタ１３６を通る空気の流れを促進するのに役立ち、十分な強度及び剛性を提供し得る。他の実施形態では、このフィルタキャリアは、後壁２９０の代わりに前壁を含む（図示のようにフレームの向きを逆転させる）、又はフィルタの全流域よりも小さい領域を覆う後壁を含むことができる。例えば、後壁は、側壁から内側に延在する比較的小さなフランジとして構成することができ、これは、フィルタの流量領域への衝撃を低減するのを支援しながらフィルタ１３６の安定につなげることができる。
【０３７１】
いくつかの実施形態では、フィルタキャリア２７６の側壁２８６の一部は、フィルタキャリア２７６が挿入されたときに筐体側壁２５２の一部を形成するように構成されてよい。例えば、開閉可能な部分２８２の代わりに、側壁２８６を、モータ前置フィルタ筐体１３４の開口部２８４を覆ってシールするように構成してもよく、これによって側壁２８２の一部は、図５の実施形態の底壁２５０と同様に、ハンドバキューム１００の露出部分ということになる。
モータ前置フィルタ
【０３７２】
以下は、ハンディ型バキュームクリーナに使用することができるモータ前置フィルタの様々な機能及び構成の説明である。これらの機能は、任意の表面クリーニング装置において、又は本明細書に記載した任意の他の機能（複数可）との任意の組合せ又は部分的組合せにおいて単独で使用され得る。例えば、本明細書に記載されている着脱可能なアセンブリ構成のいずれも、サイクロンユニット、集塵チャンバ、サイクロンチャンバ、排塵方法、モータ前置フィルタ筐体、着脱可能なコンポーネント構成、コンポーネント構成、デュアルモード操作可能扉ロック、ハンドル構成、搭載型電源構成、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０３７３】
任意で、モータ前置フィルタ筐体内に配置されたモータ前置フィルタは、所与のモータ前置フィルタ筐体設計に適合する任意の適切な設計のものであってよく、発泡体及び／又はフェルトなどの物理的多孔質フィルタを含む任意の適切な材料から形成することができる。
【０３７４】
図１〜図２４及び図３７〜３９に示す実施形態では、モータ前置フィルタ１３６自体は、任意の出口導管２７４の周りに適合するようなサイズにすることができる中空の開口した内部を有する概ね円筒形の発泡体フィルタとして構成されている（例えば図１３参照）。発泡体フィルタ１３６は、図示の実施形態では概ね鉛直方向にあるフィルタ軸２７８に沿って、上端と下端との間で長手方向に延在している。フィルタ１３６は、出口導管２７４の周囲に配置され、その長さに沿って離間した複数の孔２９４を含む。この実施例では、フィルタ１３６及び導管２７４は同心円状に配置され、両方ともフィルタ軸２７８に沿って延在している。
【０３７５】
図示の実施例では、フィルタ１３６の直径は、モータ前置フィルタ筐体の側壁２５２の直径よりも小さくなるように寸法決めされている。この配置では、概して環状の流れ領域が、側壁２５２と上流面２６２として機能するフィルタの外壁２９６との間に画定される。この環状の流れ領域は、上流ヘッダ２６４として機能する。フィルタ１３６の対向する内壁２９８は、出口導管２７４を囲んで対向し、下流面２６６として機能する。この実施形態では、導管２７４の内部は、下流ヘッダ２６８として機能することができる。この実施形態では、フィルタ１３６は、フィルタ軸２７８に直交する平面内に取り入れられた概ね環状の横断面積を有する。
【０３７６】
図示の実施例では、モータ前置フィルタ筐体１３４内に流入する空気は、上流ヘッダ２６４内を流れることができ、その後、上流面２６２を通って径方向内向きに引き込まれ、下流面２６６を介してフィルタから排出される。このようにモータ前置フィルタ１３６を配置すると、比較的小さな物理ボリューム内で所望の表面積を有する上流面２６２を提供できることにつながる。下流側２６６から排出される空気は、孔２９４を介して導管２７４の内部に引き込まれ、フィルタ軸２７８に実質的に平行な方向で筐体空気出口２５６を介してモータ前置フィルタ筐体１３４から上向きに流れる。この空気は、空気出口２５６から吸引モータ筐体１２５内に流入する。
図１３を参照すると、図示の実施例では、モータ前置フィルタ軸２７８が吸引モータ軸２４０と概ね整列し、サイクロン軸１３２及び入口導管軸１４８に直交するように、モータ前置フィルタ１３６が配置される。この位置では、吸引モータ軸２４０の延長部分は、モータ前置フィルタ筐体１３４を通り且つ導管２７４の内部を通って延在しているが、実際には発泡体フィルタ１３６自体と交差していない。例えば、図１３に示すように配置されると、サイクロン軸１３２の延長部分は、２つの異なる位置（導管２７４の前方の１つの位置及び導管２７４の後方の１つの位置）でフィルタ１３６と交差するだけでなく、導管２７４及びハンドル１１０とも交差する。この構成では、背圧を増加させることになる９０°の曲がりを有する導管を必要とすることなく、フィルタを通る空気流路は、例えば、水平軸から垂直軸へ空気流を方向転換することができる。
【０３７７】
任意に、モータ前置フィルタ１３６は、１つ以上の層を含むことができ、フェルト層１３６ａなどの第２のモータ前置フィルタを含むことができる。任意に、フェルト層１３６ａは、内壁２９８と導管２７４との間、或いは、出口導管２７４と吸引モータ１２４との間の空気流路に位置することができる。例えば、図６及び図１１の実施形態では、フェルト層１３６ａは、出口導管の上端に被せて配置され、導管２７４を覆い、図７のフィルタ及び吸引モータ軸２７８及び２４０の両方と交差し、図１１の実施形態（吸引モータ１２４が水平に向けられている）ではフィルタ軸２７８とだけ交差する。或いは、第２のモータ前置フィルタを、異なる位置に位置する、又は完全に省くことも可能である。
【０３７８】
図２５〜３６に示されているような他の実施形態では、円筒形フィルタを使用する代わりに、モータ前置フィルタ１３６は、発泡体又は他の適切な媒体から形成される概ね平坦なスラブ状フィルタとすることができ、対向する上流側表面２６２及び下流側表面２６６を有している。任意のフェルトフィルタ層１３６ａをフィルタの片側に備えることができ、好ましくは、図２５〜３４に示すように下流側２６６に隣接して配置するが、図３６に示すように上流側２６２に備えることもできる。
【０３７９】
これらの実施形態では、モータ前置フィルタ１３６は、サイクロンユニット１２６及び吸引モータ筐体１２５の後側全体を実質的に覆う。図２７の実施形態では、サイクロン軸１３２の延長部分はモータ前置フィルタ１３６と交差し、モータ軸２４０の延長部分もモータ前置フィルタ１３６と交差する。図３４の実施形態では、サイクロン軸１３２の延長部分はモータ前置フィルタ１３６と交差するが、モータ軸２４０の延長部分は交差しない。
平坦なフィルタ１３６を組み込む実施形態では、フィルタ１３６及びフィルタ筐体１３４は、ハンドル１１０とハンドバキューム１００の残りの間に配置される。
着脱可能なコンポーネント構成
【０３８０】
以下は、例えば空気処理部材を空にするときにハンディ型バキュームクリーナから取り外すことができるコンポーネントの様々な構成（任意に、アセンブリ及び／又はサブアセンブリとしてまとめてグループ化されたもの）の説明である。これらの機能は、任意の表面クリーニング装置において、又は本明細書に記載した任意の他の機能（複数可）との任意の組合せ又は部分的組合せにおいて単独で使用され得る。例えば、本明細書に記載されている着脱可能なアセンブリ構成のいずれも、サイクロンユニット、集塵チャンバ、サイクロンチャンバ、排塵方法、モータ前置フィルタ筐体、モータ前置フィルタ、コンポーネント構成、デュアルモード操作可能扉ロック、ハンドル構成、搭載型電源構成、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０３８１】
任意に、本明細書で記載するように、サイクロンユニット１２６はハンディ型バキュームクリーナ１００から着脱式にすることができる。これは、サイクロンユニット１２６を空にするときに有用であり、クリーニングや点検などのため以外には隠れているサイクロンユニット１２６及びハンドバキュームの追加部分へのアクセスを可能にする。任意に、サイクロンチャンバ及び集塵チャンバを含むサイクロンユニット１２６は、それ自体が着脱可能であってよい。好ましくは、サイクロンユニット１２６は、サイクロン空気入口１７８及びサイクロン空気出口１８０を除いて、密閉ユニットとして取り出すことができるようにし、集塵チャンバ１３０及びサイクロンチャンバ１２８内の集塵領域（存在する場合）は密閉されたままとする。これは、サイクロンユニット１２６が空になるように搬送されている間に、サイクロンユニット１２６内から集塵又はごみがこぼれ落ちるのを防止するのに役立つ。ユーザがごみ箱（又は他の適切な投棄場所）に到着すると、サイクロンユニット１２６を開くことができる（例えば、本明細書で論じるように前扉２１６又は底壁を開くことによって）。或いは、サイクロンユニット１２６が本体から取り外されると、サイクロンユニットの一部が開く／露出されるようにしてもよい。例えば、サイクロンユニット１２６の１つの壁（後端壁など）が本体１０６側に残るようにして、サイクロンユニット１２６の一部を本体１０６から分離することによってサイクロンチャンバ１２８及び／又は集塵チャンバ１３０の一部が開くようにする。
【０３８２】
いくつかの実施形態では、ハンディ型バキュームクリーナの他の部分は、サイクロンユニットと共に着脱可能であってよい。例えば、汚染空気入口及び導管、モータ前置フィルタ筐体、モータ前置フィルタ、吸引モータ筐体、吸引モータ、開放アクチュエータなどのうちの１つ又は複数は、着脱可能なアセンブリの一部としてサイクロンユニット１２６と共に着脱式にすることができる。好ましくは、このような着脱式アセンブリは、アセンブリ空気入口及びアセンブリ空気出口以外（汚染空気入口又はサイクロン空気入口とサイクロン空気出口、モータ前置フィルタ筐体出口、モータ筐体出口、及び／又は清浄空気出口の任意の組み合わせ）、ほぼシールされたユニットとして取り外すように構成することもできる。これにより、集塵／ごみの飛び散りが防止され、このアセンブリの着脱に必要な空気流路内のシール数及び接続数を減らすことにつながる。
【０３８３】
着脱式コンポーネントがどのような構成であっても、ラッチ、旋回カップリングなどを含む、任意の適切な開放可能ファスナ又はロック機構を使用してハンドバキュームの本体に固定することができる。
図１〜図６を参照すると、この実施形態では、着脱可能なアセンブリは、中を空にするために本体１０６から着脱可能なサイクロンユニット１２６（サイクロンチャンバ１２８及び集塵チャンバ１３０を含む）のみを含む（図６参照）。この実施例では、サイクロンユニット１２６は、サイクロン空気入口１７８及びサイクロン空気出口１８０以外は、実質的に密閉されたユニットとして本体から着脱可能であり、これにより、ユーザは集塵チャンバから塵をこぼさずにサイクロンユニット１２６を塵芥容器へ運びやすくなる。
この実施形態では、サイクロンユニット１２６が取り外されると、サイクロン空気入口１７８が空気入口導管１４６から分離され、サイクロン空気出口１８０がモータ前置フィルタ筐体入口２５４から分離される。ガスケット及び他の適切なシール部材をこれらの界面の各々に任意に備えると、サイクロンユニットが取り付けられたら実質的に気密シールの提供を補助することができる。
この構成では、サイクロンユニット１２６を取り外すことにより、２箇所の空気流路が遮断され、サイクロンユニットを再度配置すると、同じ場所で２つの流体接続が再確立される。入口導管１４６とサイクロン空気入口１７８との間に開閉可能なインターフェースを備えることにより、ユーザはサイクロンユニット１２６を取り外したら、サイクロン空気入口１７８及び入口導管１４６の下流端を点検及び／又はアクセスすることができる。これはハンドバキューム１００のクリーニング又はメンテナンスを容易にする上、物体が入口１１４とサイクロン空気入口１７８との間の空気流路に詰まった場合には一助となり得る。任意に、サイクロンユニット１２６を、サイクロンユニット１２６が取り付けたら両方の流体接続が同時に再確立されるように構成してもよい。
図示された実施形態では、サイクロンユニット１２６は、サイクロンユニット１２６をほぼ軸方向、前向き方向、ほぼ垂直方向、下向き方向、又は組前向き及び下向きの組み合わせた方向に並進させることによって本体から分離することができる。
このように構成された場合、サイクロンユニット１２６を取り外しても、モータ前置フィルタ筐体１３４又はモータ前置フィルタ自体１３６の内部へのアクセスの提供とはならない。任意に、着脱可能なサイクロンユニットを有することに加えて、例えば、本明細書で論じ、図７及び図１０に示すように、モータ前置フィルタ筐体を独立して開閉可能及び／又は着脱可能とすることができる。
【０３８４】
図６を参照すると、この実施形態では、ユニット１２６が取り外される際、モータ前置フィルタ筐体１３４、吸入モータ筐体１２５は残り、入口導管１４６は定位置に留まってハンドル１１０（即ち、本体１０６の一部として）に接続されている。この構成では、ユーザは、一方の手でハンドル１１０を把持し、吸引モータ１２４、モータ前置フィルタ１３６及び汚染空気入口１１４を支持しながら、他方の手でサイクロンユニット１２６を取り外し且つ操作することができる。
図２５〜２９、図２２〜図２４に示される実施形態は、ハンドバキューム１０６の別の実施例を示し、このハンドバキュームは、サイクロンユニット１２６が本体１０６から着脱可能である一方、入口１１４、モータ前置フィルタ筐体１３４及び吸引モータ筐体１２５を定位置に残すように構成されている。或いは、ハンディ型バキュームクリーナの着脱可能な部分に、サイクロンユニットの他にも含めることができる。
【０３８５】
図８及び図３０を参照すると、これらの実施形態では、入口導管１４６及び汚染空気入口１１４がサイクロンユニット１２６に結合され、サイクロンユニット１２６と共に本体１０６から着脱可能である。この実施形態では、入口導管１４６は、サイクロン空気入口１７８から着脱可能である必要はなく、入口導管１４６は、例えば、サイクロンユニット１２６と一体的に形成されてよい。このように構成された場合、サイクロンユニット１２６を本体から取り外すことは、図１〜図７の実施形態のように２つの位置ではなく、サイクロン空気出口１８０とモータ前置フィルタ筐体入口２５４との間の境界である１箇所で空気流路を遮断するだけになる。これは、ハンドバキューム１００の構成を簡素化し、入口導管１４６とモータ前置フィルタ筐体１３４との間に延在する空気流路の部分に沿って必要とされるシールの数を減らすことができる。しかし、この実施形態では、サイクロンユニット１２６を空にするために取り出す際、入口導管１４６をクリーニング用ワンド１５０（又は他の工具）から取り外す必要があり得る。そうでなければ、空にするためにクリーニングワンド１５０をサイクロンユニットと共に持ち運ぶことになる。対照的に、図１〜７（及び他の図）の実施形態は、サイクロンユニット１２６は
【０３８６】
図９を参照すると、更に別の実施形態では、ハンドバキューム１００は、単独（図１０）又はサイクロンユニット１２６（図７）との組み合わせのいずれかで、モータ前置フィルタ筐体１３４が本体１０６から分離可能に構成してよい。任意に、入口導管１４６を、着脱可能なアセンブリがサイクロンユニット１２６、入口導管１４６及びモータ前置フィルタ筐体１３４を含むように、これらのコンポーネントと共に（例えば図８に図示されるように）着脱可能に構成することができる。或いは、ノズルを、図９に示すように、本体に取り付けたままでしてもよい。
【０３８７】
図９の実施形態では、ユーザは、空にする及び／又はクリーニングするために、単一モジュール内の本体から「汚染」コンポーネントの全てを除去することができる。  即ち、集塵チャンバ１３０及びモータ前置フィルタ１３６は両方とも、単一の操作で同時に取り外すことができる。次いで、ユーザは、コンポーネントを再び取り付ける前に、集塵チャンバ１３０を空にしながら、モータ前置フィルタ１３６を点検及び／又はクリーニングすることができる。これは、集塵チャンバ１３０が空になるたびに、ユーザにモータ前置フィルタ１３６の状態を点検させること喚起させるに役立ち得る。モータ前置フィルタ筐体１３４は、集塵チャンバよりも粗い汚染粒子を含む可能性が低いため、モータ前置フィルタ筐体が開いた状態でサイクロンユニット１２６を取り外しても、塵は収塵チャンバ１３０からモータ前置フィルタ筐体１３４の開口部を介しては逃げにくいので、ほぼシールされた構成（サイクロン空気入口１７８とモータ前置フィルタ筐体１３４の開口部以外）とまだ考えることができる。
【０３８８】
或いは、モータ前置フィルタ筐体１３４を、その上壁２４８がサイクロンユニット１２６と共に取り外すことができるように構成してよい。この構成では、モータ前置フィルタ筐体１３４は、その空気出口２５６以外、ほぼシールされたユニットとして取り外すことができる。
任意に、吸引モータ筐体及びその内部の吸引モータは着脱可能なアセンブリの一部であってよく、モータ前置フィルタ筐体、ハンドル及びハンドバキュームの他の部分から分離可能であってよい。例えば、図３１は、吸引モータ筐体１２５がサイクロンユニット１２６に接続され、サイクロンユニット１２６と共にモータ前置フィルタ筐体１３４から分離可能なハンドバキューム１００の実施形態を示す。吸引モータ筐体１２５に加えて、入口導管１４６もサイクロンユニット１２６に接続されており、この実施形態の着脱可能なアセンブリは、導管１４６、サイクロンユニット１２６及び吸引モータ筐体１２５と共にその内部に吸引モータ１２４を含む。この配置では、着脱可能なアセンブリを分離することにより、２つの位置（サイクロン空気出口１８０とモータ前置フィルタ筐体入口２５４との間、及びモータ前置フィルタ筐体出口２５６と吸引モータ筐体入口３００との間）で空気流路を遮断する。この実施形態では、着脱可能なアセンブリは、空気入口１１４、サイクロン空気出口１８０、吸引モータ入口３００以外でシールされることになる。このアセンブリは３つの開口１１４，１８０及び３００を含むが、開口部の各々は集塵チャンバ１３０から離間しており、集塵チャンバ１３０は依然としてほぼシールされた状態であると看做すことができるようになっている。換言すれば、３つの開口部が存在しても、開口部の位置は、集塵チャンバ１３０からの塵又は破片が開口部を介してサイクロンユニットから出る可能性を低減し、ユーザは、その内容物を飛び散らすことなく着脱可能なアセンブリを持ち運びかつ取り扱うことができるようになる。
【０３８９】
この構成はまた、吸引モータ１２４と、ハンドバキュームの電源及び／又は主電源スイッチ（又はボタン）との間の電気的接続を遮断することができる。図示の実施例では、ハンドバキュームは、ハンドル１１０内のバッテリパック１７４を含み、そのため電動モータがモータ前置フィルタ筐体に接続されると吸引モータに電力を供給する一対の着脱可能な嵌合電気コネクタを含む。このコネクタは、嵌合ピン３０２及びソケット３０４など、任意の適切な構成であってよい。或いは、着脱可能な電気的接続を提供する代わりに、吸引モータ筐体１２５又は吸引モータ筐体から分離できない、或いはサイクロンユニットと一緒に分離できる本体１０６の他の部分に、バッテリ又は電源コード及び主電源スイッチが備えることができる。
【０３９０】
この実施形態では、前壁フィルタ筐体１３４は、前壁２４８が、後壁２５０を開くことに加えて、又は任意でその代わりに、開閉可能であるように構成可能である。前壁２４８は、後壁２５０に対して図示したものと同じタイプのヒンジ機構を使用して接続することができ、着脱可能でよい、又は任意の他の適切なタイプの機構を使用して取り付けてもよい。この図示の構成では、前壁２４８は、ハンドバキューム１００の使用時にはイクロンユニット１２６及び吸引モータ筐体１２５によって覆われ、サイクロンユニット１２６及び吸引モータ筐体１２５が取り外されたときには露出されて開くことができる。
【０３９１】
任意に、ハンドル１１０を含むハンドバキューム１００の部分から１つ以上のコンポーネントを分離する代わりに、ハンドバキュームは、本明細書で説明されるようにハンドル１１０を本体１００から分離することなどにより、ハンドル１１０が残りのコンポーネントから着脱可能なように構成してよい（ハンドルを除く全てのコンポーネントを含む着脱可能アセンブリとして理解することができる）。
コンポーネント構成
【０３９２】
以下は、ハンディ型バキュームクリーナで使用され得る様々な構成の説明である。これらの機能は、任意の表面クリーニング装置において、又は本明細書に記載した任意の他の機能（複数可）との任意の組合せ又は部分的組合せにおいて単独で使用され得る。例えば、本明細書に記載した任意のコンポーネントはいずれも、サイクロンユニット、集塵チャンバ、サイクロンチャンバ、排塵方法、モータ前置フィルタ筐体、モータ前置フィルタ、着脱可能な構成、デュアルモード操作可能扉ロック、ハンドル、搭載型電源配置、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０３９３】
いくつかの実施形態では、吸引モータがハンドバキューム１００の上部に備えられている（例えば、図８，１１，２２及び２７参照）。例示しているように、吸引モータは、概ね鉛直方向又は概ね水平方向に向けられてよい。更に、図２７に例示するように、モータを通る空気流は、空気処理部材を通る空気流とは反対の方向にあってよい。このような設計では、本体の下部及び／又はハンドルの下部など、ハンドバキューム１００の下部に１つ以上の蓄電部材を備え付けてよい。
いくつかの実施形態では、吸引モータ１２４及びモータ前置フィルタ１３６はそれぞれ、空気処理部材の後方に位置することができる。例えば、図５を参照すると、この実施例では、吸引モータ１２４及びモータ前置フィルタ１３６は両方とも、サイクロンチャンバ１２８の後端壁１８６及びサイクロン空気出口１８０を包含する平面２５８の後方に配置される。或いは、吸引モータ及び／又はモータ前置フィルタの一部は、サイクロンチャンバ１２８と鉛直方向で重なるように、平面２５８の前方に向かって延在させてよい。
他の実施形態では、吸引モータは、モータ前置フィルタの後側の前方、かつ任意にモータ前置フィルタの前側の前方に位置することができる（例えば図３６参照）。バッテリパック１７４が図３６に例示されているようにハンドルの下部に備えられている場合、かなりの重量を有するハンドバキューム１００のコンポーネントは、ハンドバキューム１００の上端と下端の両方に備えられてもよく、互いに長手方向に離間させてよい（即ち、本質的に対角線上に設ける）。この設計の利点は、重心がハンドバキューム１００の鉛直高さに対して中心に配置されるが、重心は前方に移動することである。
図３６に例示されているように、吸引モータは、空気処理部材の上方に位置することができる。例示されているように、吸引モータ軸２４０は、サイクロン軸１３２と実質的に平行、例えば±２０°、±１５°、±１０°、±５°で、且つサイクロン軸１３２の上方で横方向（鉛直方向）にオフセットされている。任意に、入口導管軸１４８の延長部分が吸引モータ１２４と交差してよい（図１１も参照）。図１１に例示するように、吸引モータの一部のみが空気処理部材の上方に位置することができることが理解されよう。
ハンドル
【０３９４】
以下は、ハンディ型バキュームクリーナに使用することができるハンドルの様々な機能の説明である。これらの機能は、任意の表面クリーニング装置において、又は本明細書に記載した任意の他の機能（複数可）との任意の組合せ又は部分的組合せにおいて単独で使用され得る。例えば、本明細書に記載した着脱可能なアセンブリ構成のいずれも、サイクロンユニット、集塵チャンバ、サイクロンチャンバ、排塵方法、モータ前置フィルタ筐体、モータ前置フィルタ、着脱可能なコンポーネント構成、コンポーネント構成、デュアルモード操作可能扉ロック、搭載型電源配置、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０３９５】
本明細書に記載の機能の１つ以上に従ったハンドバキュームは、任意の適切なタイプのキャリーハンドルを含むことができる。図１〜図４を参照すると、一実施形態では、ハンドル１１０はハンドバキューム１００の後端１２０に配置されている。任意に、ハンドルは、上端３０６及び下端３０８を含み、上端３０６及び下端３０８（図３及び図４）のいずれか１つ（図１３）又はその両方を本体に接続することができる。
図５を参照すると、この実施形態では、ハンドル１１０の上端３０６は、吸引モータ筐体１２５の上端と下端、及び吸引モータ１２４自体との間の高さに配置され、吸引モータ筐体１２５の側壁に接続されている。ハンドル１１０の下端３０８は、モータ前置フィルタ筐体１３４の端壁２４８と２５０、及びモータ前置フィルタ１３６の上端と下端との間の高さに配置され、モータ前置フィルタ筐体１３４の側壁２５２に接続されている。
代替の実施形態では、図１２に示すように、ハンドル１１０の上端３０６は、モータ前置フィルタ筐体１３４の端壁２４８と２５０との間で、そしてモータ前置フィルタ１３６の上端と下端との間の高さに配置され、モータ前置フィルタ筐体１３４の側壁２５２に接続されている。ハンドルの下端３０８は、吸引モータ筐体１２５の上端と下端、及び吸引モータ１２４自体との間の高さに配置され、吸引モータ筐体１２５の側壁に接続されている。
双方の実施形態においては、細長いピストルグリップスタイルのハンドグリップ３１０は、上端が下端の上方になるようにハンドバキュームを載置した状態では、上端３０６と下端３０６との間でハンドグリップ軸３１２（図３）に沿って上向きかつ前向きに延在する。図示の実施形態では、ハンドグリップ軸３１２は、垂直軸に対して鋭角３１４を形成する。角度３１４は、任意の適切な角度とすることができ、好ましくは約５〜８５°の間であり、約２０〜６０°でもよい。
この構成では、ハンドグリップ３１０と本体１０６との間に、ユーザの指を受け入れる指隙間３１６が形成されている。図３〜５，１２及び１３の実施形態では、指隙間３１６は、ハンドグリップ３１０、ハンドルの上端３０６、ハンドルの下端３０８、吸引モータ筐体１２５の一部及びモータ前置フィルタ筐体１３４の一部によって部分的に囲まれている。図５に示すように、この構成では、サイクロンチャンバ軸線１３２の延長部分は、ハンドグリップ３１０及び指隙間３１６と交差すると共に、モータ前置フィルタ筐体１３４を通過する。
図５の実施形態では、入口導管軸１４８が水平に配置されると（図５に示すように）、入口導管軸１４８の延長部分がハンドグリップ３１０よりも上方にくるようにハンドル１１０が配置される。或いは、他の実施形態では、ハンドル及び入口導管を、入口導管軸の延長部分がハンドグリップと交差するように配置することができる。
図２５及び図２７の実施形態では、モータ前置フィルタ筐体１３４がハンドバキュームの後端全体にわたって延在し、下端１２３から上端１２２まで高さ全体に延在する。この配置では、モータ前置フィルタ筐体１３４及びフィルタ１３６は、鉛直方向に（即ち、この実施例ではサイクロン軸１３２に直交する方向）おいてはサイクロンチャンバ１２８の高さ１２９（図３０）よりも高く、且つ直交する方向においてはサイクロンユニット１２６全体の高さ１２７（図３０）よりも大きい高さ１３７（図３０）を有する。この実施形態では、ハンドル１１０は、モータ前置フィルタ筐体１３４の後壁２５０にのみ接続される。即ち、上端３０６及び下端３０８の両方が後壁２５０に接続され、ハンドル１１０は、吸引モータ筐体１２５又は本体１０６の他の部分に直接接続されてはいない。この実施形態では、サイクロン軸１３２の延長部分はモータ前置フィルタ筐体１３４、フィルタ１３６、ハンドグリップ３１０及び指間隙３１６と交差する。モータ軸２４０及び入口導管軸１４８の延長部分はいずれもハンドグリップ３１０の上方に向かって延在し、任意に軸１４８及び２４０の一方又は両方が上端３０６と交差してよい。
任意に、ハンドルは、上端及び下端の両端の代わりに、一端で本体に接続されて、ハンドルと本体の他の部分との間の接触／接続は一点のみでなされてよい。図１３の実施形態では、ハンドル１１０は、その上端３０６において吸引モータ筐体１２５にのみ接続され、下端３０８は、本体１０６に接続されていない。或いは、ハンドルは、その下端でのみ接続されてよい。
搭載型電源の配置
【０３９６】
以下は、ハンディ型バキュームクリーナに使用することができる搭載型電源構成の様々な機能の説明である。これらの機能は、任意の表面クリーニング装置において、又は本明細書に記載した任意の他の機能（複数可）との任意の組合せ又は部分的組合せにおいて単独で使用され得る。例えば、本明細書に記載した搭載型電源構成及び機能のいずれも、サイクロンユニット、集塵チャンバ、サイクロンチャンバ、排塵方法、モータ前置フィルタ筐体、モータ前置フィルタ、着脱可能なコンポーネント構成、コンポーネント構成、デュアルモード操作可能扉ロック、ハンドル構成、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０３９７】
任意に、ハンディ型バキュームクリーナは、図２に示すものなどの電気コード１０４によって電力を供給することができる。このような実施形態では、吸引モータ１２４は、壁ソケットから供給されるＡＣ電力で動作することができる。或いは、又は電気コードによって給電されることに加えて、ハンディ型バキュームクリーナは、１つ又は複数の搭載型電源を含むことができる。電源は、例えば１つ以上のバッテリ及び／又はバッテリパック１７４を含む任意の適切なデバイスであってよい。或いは、バッテリ及びバッテリパックは充電可能又は交換可能なものであってよいし、充電不能バッテリであってよい。
【０３９８】
いくつかの実施形態では、ハンドバキュームに使用されるバッテリパック１７４は、単一の箇所に、例えば１つの大きなバッテリパックとして提供されてよい。或いは、バッテリパックはハンドバキューム内の複数の箇所に、及び任意にワンド１５０、表面クリーニングヘッド１５４及び他の補助ツール内に備えることができる。バッテリパック１７４を２つ以上の箇所に配置することは、バッテリの重量を分散させることにつながり、ハンドバキュームを握る手の感触及び／又は知覚されるハンドバキュームのバランスに影響を与えることができる。
任意に、バッテリパック１７４を、ハンドバキュームの中心平面又は軸の反対側に、例えばハンドバキューム１００の上端１２２及び下端１２３に向かって互いに概ね対向して位置付けることができる。この構成では、１つのバッテリパック１７４の重量は、対向するバッテリパック１７４の重量を少なくとも部分的に相殺／平衡させることができる。例えば、上下のバッテリパック１７４を備えることは、ユーザがハンドバキュームを長手方向の回転軸の周りで回転させるときにユーザが感じるトルクを低減させることにつながる。このような構成では、サイクロン軸１３２の延長部分は、上部バッテリパック１７４と下部バッテリパック１７４との間の位置でハンドル１１０と交差してよい。
【０３９９】
任意に、ハンドル１１０を、上下のバッテリパック１７４が長手方向の回転軸に可能な限り近接して配置されるように構成してもよく、これにより、ユーザが感じるトルクを更に低減することができる。回転軸より上方に不均衡な質量があると、使用時には結果としてのモーメント力によって頂部が重いハンドバキュームに回転軸の周りを回転させることになるため、結果的に不安定になる傾向があり、ユーザに不快感及び／又は疲労を与えかねない。回転軸より下で不均衡な質量を有することは、概して安定効力を有することができるが、ハンドバキュームを軸の周りに回転させたい場合には、ユーザから追加のトルク入力を必要とすることもある。このような不均衡な構成の低減に寄与するようにバッテリパックやその他のバキュームコンポーネントを配置すると、ハンドバキュームを持ったときユーザの感覚を向上させることにつながる。任意に、ハンドバキュームを、その重心が回転軸上にあるように構成してもよく、これにより不均衡な質量への懸念を低減又は排除することになり得る。
【０４００】
いくつかの実施形態では、バッテリパック１７４は、ハンドル１７４内に位置することができる。任意に、ハンドル１１０は、上端（図９）、下端（図１０）又はハンドグリップ（図１２）に配置することができる１個だけのバッテリパック１７４を含むことができる。他の実施形態では、２つのバッテリパック１７４をハンドル内に配置することができ、任意に、上端及び下端（図５，１３，１６，２７及び３６）、又は代替的に上端及び下端の一方に、そしてハンドグリップ３１０内に配置することができる。更なる実施形態では、３つのバッテリパック１７４がハンドル１１０内に備えられ、１つのバッテリパック１７４が上端３０６、ハンドグリップ３１０及び下端３０８のそれぞれに配置される（図５のハンドグリップ３１０における破線を参照）。このようにバッテリパック１７４を配置することは、ハンドグリップ３１０を保持しているユーザが感じる前向き／後向きのモーメント力を低減するのに役立ち、いくつかの構成では、バッテリパック１７４の重量が、ハンドグリップ３１０の前方に配置されている吸引モータ１２４及びサイクロンユニット１２６の重量をオフセットすることができる。同様に、電子機器及びコントローラ、変圧器などの搭載型電源の他の部分は、上端、下端及びハンドグリップの少なくとも１つを含む任意の適切な箇所に配置することができる。
【０４０１】
各バッテリパック１７４は、任意の適切な数のセルを含むことができ、例えば、３セル１８５６０リチウムイオンバッテリを含むことができる。２つのバッテリパック１７４が直列に接続されている場合、６セル２２Ｖリチウムイオン電源を生成することができる。任意の数のバッテリを使用して所望の電圧及び電流を有する電源を生成するために、ＮｉＭＨ、アルカリなどを含む任意のタイプのバッテリを使用してよい。ハンドルの上端又は下端のいずれかに、１個だけのバッテリパック１７４が使用される場合、同等のカウンタウェイトがハンドルの反対側の端部に備えることができる。非電気的カウンタウェイト（金属片又はプラスチック片など）は、この実施形態に示す第２のバッテリパックと概ね同様に、バッテリパック１７４の重量のオフセットに役立ち得る。
図５の実施形態では、ハンドバキュームは、２つのバッテリパック１７４を含み、１個はハンドル１１０の上端３０６に配置され、１個は下端３０８に配置される。両方のバッテリパックは、吸引モータ１２及び吸引モータ１２４を制御するために使用することができる電源スイッチ３１８に電気的に接続されている（本明細書で更に詳細に説明する）。任意に、内部電子機器３２０は、破線を用いて示すように、ハンドグリップ３１０内に（第３のバッテリパック１７４に加えて、又はその代わりに）設置されてもよく、又は本体１０６内に設置してよい。バッテリパックは、任意に互いに直列に又は互いに並列に接続されている。この実施形態では、バッテリパック１７４は、概して同じ質量を有するように構成されており、バッテリ３２２の全体的な質量中心がハンドグリップ３１０の中央付近にあるバランスの取れた構成を提供するのに役立ち得る。
【０４０２】
任意に、ハンドルの上端３０６及び下端３０８と、適用可能であればハンドグリップ３１０は、バッテリパック１７４へのアクセスを可能にするように開閉可能にすることができる。
ワンドの電源
【０４０３】
ハンディ型バキュームクリーナに使用することができる搭載型電源を備えたワンドの様々な機能の説明である。これらの機能は、任意の表面クリーニング装置において、又は本明細書に記載した任意の他の機能（複数可）との任意の組合せ又は部分的組合せにおいて単独で使用され得る。例えば、搭載型電源を備えたワンドは、サイクロンユニット、集塵チャンバ、サイクロンチャンバ、排塵方法、モータ前置フィルタ筐体、モータ前置フィルタ、着脱可能なコンポーネント構成、コンポーネント構成、デュアルモード操作可能扉ロック、ハンドル構成、搭載型電源配置、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０４０４】
ハンドル１１０内にバッテリパック１７４を備える代わりに、又は任意にハンドル内のバッテリパックに加えて、ハンドバキューム１００に接続可能なワンド１５０を、１つ又は複数のバッテリパック１７４を含むように構成することができる。ワンド１５０内にバッテリパック１７４を備えることによって、ハンドバキューム１００がワンド１５０及び／又はワンド１５０を介して表面クリーニングヘッド１５４に接続された際、ある程度の追加電力の提供につながる。例えば、ワンドバッテリ１７４内の余剰電力は、表面クリーニングヘッド１５４内のブラシモータ１７２に、及び／又は吸引モータ１２４に電力供給支援として使用できる。バッテリパック１７４がワンド１５０内に支持されている場合、床より高い場所をクリーニングするためにユーザがハンドバキューム１００を取り外すときには、ワンドバッテリパック１７４の付加質量をワンド１５０側に残すことができる。これは、床クリーニングモードでの動作時に所望レベルの出力を提供しつつ、ハンドバキューム１００の重量を軽減するのに役立ち得る。
【０４０５】
任意に、ワンド１５０及び／又は表面クリーニングヘッド１５４自体にバッテリ１７４を備えることによって、床クリーニングコンポーネントを実質的に自己給電することができ、ハンドバキューム１００とワンド１５０との間に電気的接続を提供す必要性がなくなる。或いは、ハンドバキューム１００とワンド１５０との間、及びワンド１５０と表面洗浄ヘッド１５４との間に電気的接続を設けてもよく、バッテリ１７４（ワンド又はハンドバキューム内の）は、互いに直列又は相互に並列したものを含む任意の適切な構成で接続することができ、又は様々なアプリケーションの電圧及び／又は実行時間を変更するために、並列接続から直列接続に切り替え可能なものであってよい。任意に、バッテリの全ては、吸引モータ１２４に少なくともいくらかの電力を供給し、表面洗浄ヘッド１５４に少なくともいくらかの電力を供給することができる。これは、ハンドバキュームから供給される電力のみを使用することと比較して、より長い実行時間、より高い吸引レベル、又はその両方を提供するのに役立ち得る。
【０４０６】
例えば、ワンド１５０をブラシモータ１７２でカーペットをクリーニングするために床クリーニングモードで使用する場合、バッテリ１７４を直列に切り替えて、より高い合成電圧を与え、より高い吸引モータ出力１２４を提供することができる。或いは、ワンドバッテリ１７４は、硬い床のクリーニングに使用される場合、ハンドバキュームバッテリ１７４と並列に切り替えられ、より低い吸引モータ電力を提供して、より長い実行時間を提供することができる。
【０４０７】
ワンド内のバッテリパック１７４を、ハンドル内のバッテリパック１７４と同様に、任意に再充電又は交換のために着脱可能にしても、又はその場で充電できるものにしてもよい。
【０４０８】
図４０及び図４１には、一体バッテリパック１７４を有するワンド１５０の一実施形態が示されている。この実施例では、ワンド１５０は、空気流チャネル３２４と、充電可能なバッテリパック１７４を収容するバッテリコンパートメント３２６とを含む。このコンパートメントは、バッテリパック１７４へのアクセス時又はパック除去時に取り外されるカバー３２８によって覆われている。ワンド内の配線３３０は、ワンドの両端で電気コネクタの間に延在して、ハンドバキューム１００及び表面クリーニングヘッド１５４に接続可能である。バッテリパック１７４は、充電時に着脱可能であり、或いはワンド１５０の一端にある電気コネクタに充電電力を印加して充電することができる。
着脱可能なハンドル
【０４０９】
以下は、ハンディ型バキュームクリーナに使用することができる着脱可能なハンドルの様々な機能の説明である。これらの機能は、任意の表面クリーニング装置において、又は本明細書に記載した任意の他の機能（複数可）との任意の組合せ又は部分的組合せにおいて単独で使用され得る。例えば、本明細書に記載した着脱可能なアセンブリ構成のいずれも、サイクロンユニット、集塵チャンバ、サイクロンチャンバ、排塵方法、モータ前置フィルタ筐体、モータ前置フィルタ、着脱可能なコンポーネント構成、コンポーネント構成、デュアルモード操作可能扉ロック、ハンドル構成、搭載型電源配置、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０４１０】
任意に、ハンドル１１０は、ハンドバキュームの他の部分から着脱可能であってよい。ハンドル１１０は、機械的ラッチ、保持キャッチ、又は、ハンドルなどを開放して非係合にして取り外すことのできる他の機構取り付け構造を含む任意の適切な取り付け機構を使用して、本体１０６の他の部分に固定することができる。任意に、取り付け機構を開放するアクチュエータを本体１０６に（ハンドルの取り外し時には本体側に残る）備える、或いはハンドルと共に着脱可能なようにハンドル１１０に備えることができる。任意に、ハンドル１１０と本体１０６との間の各接続に、専用のロック機構が備えることができる（例えば、ハンドル１１０の上端３０６及び下端３０８の両方）。或いは、ハンドル１１０と本体１０６との間の物理的接続の数にかかわらず、単一のロック機構を使用してよい。単一のロック機構を使用することにより、ハンドル１１０のロック解除と取り外しが簡単になり得る。
任意に、ハンドル１１０は、１つ以上のバッテリパック、電子機器、コントローラ、回路基板、ディスプレイ部材、電源スイッチなどハンドバキュームの１つ以上の操作コンポーネントを含むことができる。ハンドルが１つ又は複数のバッテリパック１７４を含む場合、着脱式ハンドルを備えることにより、ハンドバキューム全体を操作する必要なく、ハンドルを充電器などに接続してバッテリを充電することができる。
ハンドル１１０が帯電コンポーネントを含む場合、機械的接続を提供することに加えて、取り付け機構は、ハンドル１１０とハンドバキューム１００の他の部分との間に電気的接続を提供する少なくとも１個の電気コネクタを含むことができる。
【０４１１】
更に、電源スイッチ３１８がハンドル１１０に備えられ、ハンドル１１０と着脱可能である場合（ハンドル１１０がハンドバキューム１００に接続されているとき）、吸引モータ１２４制御に使用されるのと同じ電源スイッチ３１８を、別のデバイスの制御に使用してもよい（本書に記載されているようにハンドルがそのデバイスに接続されている場合）。例えば、バッテリ１７４を収容し、電源スイッチ３１８を含むハンドル１１０を使用して、ハンドバキューム１００に電力を供給して制御する、又は、蒸気モップ、スイーパ、ドリル、鋸、抽出器及び／又は他のデバイスに電力を供給して制御することができる。
任意に、使用中に一方のハンドルのバッテリが使い果たされた場合、個々のバッテリを交換したり、所定のハンドルが再充電されるのを待ったりするのではなく、ユーザはハンドルアセンブリ１１０全体（及び任意に、電源スイッチ３１８）を単に交換して、装置の使用を継続することができるように、１つ以上のハンドル１１０をユーザに提供することができる。
図２〜４は、着脱式ハンドル１１０の一実施形態を示す。この実施形態では、ハンドル１１０は、ハンドルの上端及び下端において本体１０６に機械的に接続され、上端３０６にある単一のラッチを用いて定位置に固定される。ラッチは、ボタン３３２の形態で備えられた開放アクチュエータを押すことによって開放することができる。ボタン３３２は、上端３０６に取り付けられ、図示のようにハンドル１１０と共に着脱可能である。この実施例では、同じボタン３３２を使用して、ハンドル１１０を接続可能な他のデバイスから開放することもあり得る。
【０４１２】
この実施形態では、ハンドル１１０は、電源スイッチ３１８及び複数のバッテリ１７４（図５も参照）を含む。従って、この実施形態では、ハンドル３０６及び３０８の上端及び下端にも、本体１０６上に適合する電気コネクタ３３６と相互係合することができる電気コネクタ３３４が備えられる。電気コネクタ３３４と３３６との間の係合により、バッテリ１７４と電源スイッチ３１８と吸引モータ１２４との間の電気的接続が可能となり、任意に接続の強化につなげることができる。この配置では、ハンドル１１０を取り外すことにより、吸引モータ１２４への電力供給が遮断されるため、ハンドル１１０が取り外された状態で吸引モータ１２４は動作不能となる。
【０４１３】
任意に、ハンドル１１０を、ハンドバキュームに加えて、１つ以上の他のデバイス／装置に接続することができるように構成することができる。例えば、ハンドバキュームに使用される同じハンドルを、別のバキューム、電動工具、クリーナ装置（モップ、スチームクリーナー、カーペット抽出器など）又は他の適切な装置に接続することができる。ハンドルに搭載型バッテリが含まれている場合、ハンドバキュームへの電力供給に使用されるものと同じバッテリを使用して、ハンドルに接続できる他のデバイスに給電することもできる。
例えば、図４４を参照すると、一般的なハンドル構成は、直立バキュームクリーナ３４２、持ち上げ型バキュームクリーナ３４４、パワーヘッドバキュームクリーナ３４６、スティック型バキュームクリーナ３４８、スイーパ３５０、代替ハンドバキューム３５２、ホットモップクリーニング装置３５４、スプレーモップクリーニング装置３５６、ドリル３５８、鋸３６０、蒸気ウィンドウクリーナー３６２と組み合わせて使用することができる。搭載型バッテリパックを備えるハンドル１１０は、様々なデバイスに接続されたときに様々な電力プロファイル及び／又は電力モードを提供することができる。ＳｈａｒｋＮｉｎｊａ  Ｏｐｅｒａｔｉｎｇ  ＬＬＣ社のＳｈａｒｋ（登録商標）ブランドで入手可能ないくつかの製品など、既存の製品からいくつかのクリーニングユニット及び／又はワンドを、ハンドル１１０に接続するように設計してもよい。
図１５〜１９を参照すると、着脱可能なハンドル１１０の別の実施形態が示されている。この実施形態では、ハンドルは２つの内部バッテリパック１７４（図１６）を含み、フィンガーグリップトリガ３１８の形態をした主電源スイッチを含む。ハンドルはまた、本明細書で説明する表示スクリーン３６４を含む。この実施形態は、バッテリ１７４を本体１０６（即ち吸引モータ）に電気的に接続する電気コネクタ３３４及び３３６を含み、必要に応じてデータ／信号タイプ接続（コネクタ３３４及び３３６と一体化されたもの）も備え、表示スクリーン３６４に表示することができる本体からのステータス情報を受信することができる。この信号コネクタにより、制御信号は、ハンドル１１０内の電子機器とハンドバキューム（存在する場合）の他の部分又はハンドルが取り付けられる他の装置との間を移動することができる。任意に、信号コネクタは、ハンドルが接続され得る他のタイプのデバイスに接続可能であり、表示スクリーン３６４のコンテンツは、使用される特定のデバイスに適合させることができる。例えば、ハンドバキューム１００に接続されている場合、スクリーン３６４は、バッテリ電力レベル、吸引モータ動作モード、表面クリーニングヘッドモードなどを示すことができる。ただし、例えばドリルに接続されたときには、表示スクリーン３６４は、バッテリ電力レベル、ドリル速度、ドリル動作モードなどを示すことができる。スチームモップに接続されている場合、表示スクリーン３６４は、水位、リザーバ温度などを示すことができる。
【０４１４】
本実施形態では、ハンドル１１０の下端３０８には、ハンドル１１０を本体に固定するロック機構を解除するためのボタン３３２が備えられている。図３７及び図３８の実施形態におけるハンドル１１０は類似の構成を有するが、解除ボタン３３２は、ハンドル１１０と共に着脱されるのではなく本体１０６側に留まる。
任意に、ハンドル１１０は、ハンドグリップ３１０から間隔を置いて配置され、かつハンドル１１０の上端３０６と下端３０８との間に延在する追加支持パネルを含むことができる。この支持パネルは、指間隙３１６の周囲の一部を画定するように配置することができ、様々な異なる装置に取り付け可能に構成することができる。支持パネルを備えることは、ハンドル１１０を強化するのに役立つと共に、ハンドグリップ３１０から来る負荷及びストレスの低減につながり得る。支持パネルを備えることによって、上端３０６及び下端３０８の領域のみを有するものと比較して、ハンドル１１０上に比較的大きな係合表面を提供することもできる。これにより、ハンドル１１０をより安全に様々な装置に接続する、及び／又は支持パネルに様々な装置に接続するための異なる取り付けハードウェア／機構を含むことができる。
図４５を参照すると、ハンドグリップ３１０の前方に追加の支持パネル３６６を含むハンドル１１０の一実施形態が示されている。この実施形態では、指間隙３１６は、ハンドル１１０によって完全に囲まれている。このハンドルを、本明細書に記載されている着脱式ハンドルのいずれかの代替として使用してもよい。
情報表示装置
【０４１５】
以下は、ハンディ型バキュームクリーナに使用することができる情報表示装置の説明である。これらの機能は、任意の表面クリーニング装置において、又は本明細書に記載した任意の他の機能（複数可）との任意の組合せ又は部分的組合せにおいて単独で使用され得る。例えば、情報表示装置は、サイクロンユニット、集塵チャンバ、サイクロンチャンバ、排塵方法、モータ前置フィルタ筐体、モータ前置フィルタ、着脱可能なコンポーネント構成、コンポーネント構成、デュアルモード操作可能扉ロック、ハンドル構成、搭載型電源配置、ワンド、表面クリーニングヘッド、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０４１６】
任意で、ハンドバキュームは、情報をユーザに提供するための１つ以上の情報表示装置を含むことができる。例えば、ハンドバキュームは、吸引モータがオンである状態を示すと共に、その現在の電力レベル（該当する場合）、現在のバッテリ充電レベルなどを示す１つ又は複数の照明を含むことができる。ハンドバキュームはまた、ＬＣＤディスプレイ、ＬＥＤスクリーン、ＯＬＥＤスクリーンなどの１つ以上の表示スクリーンを含むことができる。この画面及び関連電子機器を、ステータス情報の表示に使用することができる。任意に、情報表示装置を、ハンドルなどのハンドバキュームの着脱可能部分に設けてよい。任意に、情報表示装置を、例えばハンドルが異なる装置に接続される場合に、他の装置と接続可能とし、表示する情報は、ハンドルに接続できる装置のタイプごとにカスタマイズすることができる。
【０４１７】
図１５の実施形態では、ハンドバキュームは、ハンドル１１０の上端３０６に備えられた変位スクリーン３６４の形態をした情報表示装置を含む。スクリーン３６４は、電力モード及びバッテリ充電状態を表示するように設定されている。
【０４１８】
ハンドル１１０が着脱可能である場合、スクリーン３６４（及び／又は照明或いは他の情報表示デバイス）は、ハンドル１１０と共に着脱可能であり得る。任意に、スクリーンは、ハンドルにどのような装置が接続されているかに関する情報を表示するように構成して、同じ画面を複数の機器に使用することができる。これにより、ハンドルに接続可能な別個の装置のそれぞれにスクリーンなどを備える必要がなくなる。
主電源スイッチ
【０４１９】
以下は、ハンディ型バキュームクリーナに使用することができる主電源スイッチの様々な機能の説明である。これらの機能は、任意の表面クリーニング装置において、又は本明細書に記載した任意の他の機能（複数可）との任意の組合せ又は部分的組合せにおいて単独で使用され得る。例えば、本明細書に記載した着脱可能なアセンブリ構成のいずれも、サイクロンユニット、集塵チャンバ、サイクロンチャンバ、排塵方法、モータ前置フィルタ筐体、モータ前置フィルタ、着脱可能なコンポーネント構成、コンポーネント構成、デュアルモード操作可能扉ロック、ハンドル構成、搭載型電源配置、ワンド、表面クリーニングヘッド、情報表示装置、制御装置、空気流構成、吸引モータ、再構成可能バキューム、清浄空気出口構成、搭載充電器、電力操作モード及び本明細書に記載の他の機能のいずれかとの併用が可能である。
【０４２０】
任意に、吸引モータの動作を制御する電力スイッチ（オン／オフ又は可変電力レベル又はその両方のいずれか）を、例えばハンドル内のバッテリと吸引モータ（又はハンドバキュームの他の部分）との間の電力接続を確立することによって、ハンドル上に備えることができる。電源スイッチは、ボタン、ロータリースイッチ、スライドスイッチ、トリガ型アクチュエータなどを含む任意の適切な構成で設けることができる。スイッチを、ハンドバキュームの他の態様（ブラシモータのオン／オフなど）を制御するように構成しても、ハンドバキュームのいくつかの機能を制御するが吸引モータを制御しない制御スイッチとして全体的に構成してよい。任意に、ハンドルに設けられる代わりに、スイッチを本体上に（例えば、モータ筐体又は他の適切な場所に）設けることができる。
【０４２１】
図２を参照すると、一実施形態では、ハンドルは、ハンドル１１０の上端３０６の上面の後部に向かって配置されたボタン３１８の形態をした電源スイッチを含む。或いは、図２２の実施形態では、電力スイッチ３１８は、ハンドルの上端３０６の後面に備えることができる。これらの位置のいずれにおいても、ユーザはハンドグリップを介してハンドバキュームを持ちながらボタン３１８にアクセスすることができる。
図１５を参照すると、ハンドル１１０の別の実施形態では、主電源スイッチは、トリガ３１８の形態で設けられ、トリガ３１８は、ハンドグリップ３１０の前面に配置され、ユーザの指がトリガ３１８を作動させることができる位置にある。
【０４２２】
任意に、図示のボタン又はトリガを、ハンドル１１０が様々なデバイスに接続されている場合、様々なパワード装置に対して様々な機能を提供するために使用することができる。例えば、ボタン又はトリガ３１８を使用して、様々な電力プロファイル（高電力対低電力）、又は他のデバイス機能を選択することができる。任意に、スイッチ３１８の機能は、本明細書に記載のスクリーン３６４などの適切な表示装置に表示してよい。
【０４２３】
任意に、ハンドバキューム１００用の電源スイッチ３１８は、本体又は他の適切な場所に備えることができる。本体１０６上に備えられる場合、電源スイッチをハンドル１１０に概ね近接して配置して、ハンドグリップ３１０を保持しているのと同じ手を用いて操作可能にすることができる。
任意に、本明細書に記載した電源スイッチ３１８のいずれも、ワンド１５０、表面クリーニングヘッド１５４及び／又は他のデバイスに供給される電力を制御するように構成することができる。例えば、単一スイッチ３１８を、ワンド１５０、表面クリーニングヘッド１５４又は他の任意のツールに備えられた照明及び任意の他の帯電要素と共に、吸引モータ１２４及びブラシモータ１７２（図１）の両方を制御するように動作可能にすることができる。スイッチ３１８は、任意で２位置スイッチであってよく、全ての電気コンポーネントが一緒にオンオフに切り替えられるように構成可能である（即ち、吸引モータ１２４がオンのときにブラシモータ１７２は常にオンとなる）。或いは、スイッチ３１８を、多位置スイッチであってよく、様々な電気コンポーネントの独立した制御を提供するように構成してもよい（即ち、吸引モータ１２４が動作している間、ブラシモータ１７２がオンオフに切り替えられ得る）。ハンディ型バキュームクリーナは、共通のスイッチ３１８を備える複数の電気デバイスを制御する代わりに、互いに独立し且つ１つ以上の電気デバイスを制御するように動作可能な複数のスイッチ３１８を備えていてよい。例えば、ハンドバキュームは、吸引モータ１２４を制御するための電源スイッチ３１８と、ブラシモータ１７２を制御するための表面クリーニングヘッド１５４（図１）上の別個のスイッチ３１８とを含むことができる。
ハンドル内の空気流
【０４２４】
以下は、ハンディ型バキュームクリーナを通る空気流路の様々な機能の説明である。これらの機能は、任意の表面クリーニング装置において、又は本明細書に記載した任意の他の機能（複数可）との任意の組合せ又は部分的組合せにおいて単独で使用してよい。例えば、本明細書に記載した着脱可能なアセンブリ構成のいずれも、サイクロンユニット、集塵チャンバ、サイクロンチャンバ、排塵方法、モータ前置フィルタ筐体、モータ前置フィルタ、着脱可能なコンポーネント構成、コンポーネント構成、デュアルモード操作可能扉ロック、ハンドル構成、搭載型電源配置、ワンド、表面クリーニングヘッド、情報表示装置、電源スイッチ及び制御装置、空気流構成、吸引モータ、再構成可能バキューム、清浄空気出口構成、搭載充電器、電力操作モード及び本明細書に記載の他の機能のいずれかとの併用が可能である。
【０４２５】
任意に、汚染空気入口１１４と清浄空気出口１１６との間の空気流路の少なくとも一部が、ハンドル１１０を貫通することができる。これにより、様々な異なる空気流路構成及び清浄空気出口１１６の位置選定が容易になり得る。これによりまた、吸引モータ１２４によって排出される空気の少なくとも一部が、任意で冷却を支援してハンドル内に配置された作動コンポーネント上を流れることも可能になる。このようなコンポーネントの実施例には、バッテリ１７４、コントローラ、回路基板、充電器、他の内部電子機器３２０などが含まれる。内部電子機器３２０は、回路、電子部品、ハードウェア（例えば、プロセッサ及びメモリ）、ソフトウェア及び／又はファームウエアの任意の組み合わせを含むことができる。そのような電子機器の一実施例は、プリント回路基板（ＰＣＢ）を含むことができる。図１１は、ハンドル１１０が中空で内部空気流路を含むハンドバキュームの実施形態を示す。ハンドル空気流路は、吸引モータ１２４から下流側にあるハンドルの頂部３０６に向かって配置される入口端部３６８と、ハンドルの底部３０８に向かって配置される出口端部３７０とを有する。これにより、ハンドグリップ３１０の実質的に全長に亘る空気導入を補助できる。
【０４２６】
この実施形態では、吸引モータ１２４から排出される空気の実質的に全てがハンドルを通って送られ、清浄空気出口１１６は、ハンドルの下端３０８に形成された複数の孔３７０の形態で設けられる。入口端部に入る空気は、ハンドル１１０を通って導かれ、孔３７０を介して排出される。この構成では、空気は、ハンドルの上端３０６、ハンドルの下端３０８及び／又はハンドグリップ３１０内に位置するコンポーネントの周りを流れながらこれらを冷却する。図示された実施形態では、そのようなコンポーネントのいくつかの例が破線で示されており、ハンドグリップ３１０内に置かれた任意の上部バッテリバック１７４、任意の下部バッテリパック１７４、及び任意のコンポーネント（例えば、第３のバッテリバック１７４又は電子機器３２０）を含む。
【０４２７】
図３９の実施形態は、バッテリパック１７４を冷却するためにモータ１２４からの排気がハンドルを通って流れることができ、ハンドルの上端３０６及び下端及び３０８にある孔３７０を介して排出されることができるようにハンドル１１０が中空である別の実施例を示す。
吸引モータ
【０４２８】
以下は、ハンディ型バキュームクリーナに使用することができる吸引モータの様々な構成及び定位の説明である。これらの機能は、任意の表面クリーニング装置において、又は本明細書に記載した任意の他の機能（複数可）との任意の組合せ又は部分的組合せにおいて単独で使用してよい。例えば、本明細書に記載したモータ構成及び定位のいずれも、サイクロンユニット、集塵チャンバ、サイクロンチャンバ、排塵方法、モータ前置フィルタ筐体、モータ前置フィルタ、着脱可能コンポーネント構成、コンポーネント構成、デュアルモード操作可能扉ロック、ハンドル構成、搭載型電源配置、ワンド、表面クリーニングヘッド、情報表示装置、電源スイッチ及び制御装置、空気流構成、再構成可能バキューム、清浄空気出口構成、搭載充電器、電力操作モード及び本明細書に記載の他の機能のいずれかとの併用が可能である。
【０４２９】
ハンドバキュームに使用される吸引モータ１２４は、ハンドバキュームを通過して所望の空気流を与えるのに十分なものであれば、任意の適切な設計及び構成のものでよい。例えば、吸引モータは、所望の空気流生成を助けるファン及び／又はインペラを含むことができる。
【０４３０】
本明細書に記載の各実施形態では、吸引モータ１２４は、モータ筐体１２５内に配置され、モータ軸２４０の周りを回転する。図１〜１０の実施形態では、モータ１２４は鉛直に配置され且つハンドル１１０の前方に置かれ、モータ前置フィルタ１３６の上方に置かれてこれを覆い且つ及びサイクロンユニット１２６の後方に配置されている。任意に、図示のように、吸引モータ１２４及びモータ筐体１２５は、モータ筐体１２５又は吸引モータ１２４とハンドル１１０の部分（上端３０６及び下端３０８のような）との間で重ならないように、ハンドル１１０の前方に配置することができる。或いは、他の実施形態では、吸引モータ１２４及び吸引モータ筐体１２５は、ハンドル１１０のハンドグリップ３１０の完全に前方にありつつ、ハンドルの上端３０６及び下端及び３０８とある程度の鉛直方向の重なりを有していてよい。
モータ１２４をこの位置に配置することによって、ハンディ型バキュームクリーナの重心位置に影響を及ぼし、ハンドバキューム１００の手触りに影響を与えることができる。この構成は、ハンドバキューム１００の全体的なサイズ縮小にもつながる。別の実施形態では、図１２に示すように、吸引モータを、鉛直方向にあり且つハンドル１１０の前方にありつつ、モータ前置フィルタ１３６の下に置かれてこれを覆い且つサイクロンユニット１２６の後方に配置することができる。
【０４３１】
図５に示すように配置された場合、吸引モータ筐体１２５の入口は、モータ前置フィルタ筐体の出口２５６と一致し、筐体内の吸引モータの入口２４２は、吸引モータ筐体の出口の下に置かれるが、筐体にはモータ後置フィルタ筐体１４０が含まれる。加えて、吸引モータ筐体１２５の入口は、サイクロンチャンバ１２８の空気出口１８０よりも垂直方向に高く、入口導管１４６よりも垂直方向に低く位置決めされる。この構成では、サイクロン軸１３２の延長部分が下方に延在し、吸引モータ筐体１２５又はモータ１２４とは交差せず、一方、入口導管軸１４６の延長部分は、吸引モータ筐体１２５とその中のモータ１５４の両方と交差する。サイクロン軸１３２が吸引モータ１２４の下方に延在する一方で、サイクロンチャンバ１２８と吸引モータ１２４の両方がハンドバキュームの横方向中心線に沿って配置される場合、図示の実施例に示されているように、モータ軸２４０の延長部分はサイクロン軸１３２の投影と交差してよい。吸引モータ筐体１２５をこの位置に置くことによって、ハンドバキューム１００の全体的なサイズ低減につながる。これにより、ハンドバキュームの重量分布に影響を及ぼし、結果としてユーザが感じる「手触り」に影響を及ぼし得る。
【０４３２】
図１１を参照すると、別の実施形態では、モータ軸２４０がサイクロン軸１３２及び入口導管軸１４８と概ね平行になるように、そして任意に、モータ軸２４０がこれらの軸と実質的に平行となるように、円筒タイプのモータ前置フィルタ１３６と組み合わせて使用される吸引モータ１２４を、概ね水平に配置することができる。この実施例では、サイクロン軸１３２と入口導管軸１４８が水平である状態では、サイクロン軸１３２は吸引モータ軸２４０の下方にあると共に吸引モータ軸２４０と平行であり、吸引モータ１２４自体の下方にある。この構成では、フィルタ軸２７８は概して吸引モータ軸２４０と直交しており、吸引モータ１２４を通って流れる空気が概ね後方に移動するように、ハンドバキューム１００を通る空気流路が変更される。図示の構成では、これは、吸引モータ１２４から排出される空気が、入口導管１４６に入る空気と実質的に同じ方向に、且つサイクロン空気出口１８０から排出する空気と実質的に同じ方向に進むことを意味する。
図２７を参照すると、別の実施形態では、吸引モータ１２４は概ね水平に配置され、吸引モータ１２４の入口端２４２が後端にあり、吸引モータ１２４を通って移動する空気が、概して前方向に排出されるように配向される。図示された構成では、吸引モータ１２４を通って流れる空気は、入口導管１４６に入る空気と実質的に反対方向に流れ、且つ空気出口１８０を介してサイクロンチャンバから排出される空気と実質的に反対の方向に進む。概して平面状のモータ前置フィルタと組み合わせて図示されているが、空気が前方向に進むようなこの向きを呈する吸引モータを、例えば図１１に示されたモータの向きを反転させることによって円筒形のモータ前置フィルタと組み合わせて使用することができる。或いは、図２７の吸引モータの向きは、空気が吸引モータを通って概して後方に流れるように、反転させることもできる。
【０４３３】
図２７に示すように配向された状態では、吸引モータ軸２４０はサイクロン軸１３２及び入口導管軸１４８と平行であり、軸が水平に配置された状態ではサイクロン軸１３２及び入口導管軸１４８の両方がモータ軸２４０の下方に置かれる。任意に、図３４の実施形態に示すように、フラットタイプのモータ前置フィルタ１３６と組み合わせて使用される吸引モータ１２４は、鉛直に配向してよい。
【０４３４】
モータは、鉛直方向（図１〜１０，１２〜２１，３４及び３７〜３８）又は水平方向（１１，２５〜３３，３５及び３６）のいずれかであるように図示されているが、他の実施例では、モータ軸をサイクロン軸及び／又は入口導管軸に対して（前進方向又は後退方向に）傾斜させて（図２２〜図２４及び図３９では前方に）配置してよい。或いは、吸引モータを同様に後方に傾斜させられることもあり得る。
再構成可能なスティック型バキューム構成
【０４３５】
以下は、ハンディ型バキュームクリーナと組み合わせて使用することができる様々な直立構成を有するスティック型バキュームの様々な構成の説明である。これらの機能は、任意の表面クリーニング装置において、又は本明細書に記載した任意の他の機能（複数可）との任意の組合せ又は部分的組合せにおいて単独で使用され得る。例えば、本明細書に記載した任意の構成及び配向は、サイクロンユニット、集塵チャンバ、サイクロンチャンバ、排塵方法、モータ前置フィルタ筐体、モータ前置フィルタ、着脱可能コンポーネント構成、コンポーネント構成、デュアルモード操作可能扉ロック、ハンドル構成、搭載型電源配置、ワンド、表面クリーニングヘッド、情報表示装置、電源スイッチ及び制御装置、空気流構成、吸引モータ、清浄空気出口構成、搭載充電器、電力操作モード及び本明細書に記載の他の機能のいずれかとの併用が可能である。
【０４３６】
任意に、ハンドバキューム１００は、２つ以上の様々な機能的構成でワンド１５０及び表面クリーニングヘッド１５４に接続することができる。例えば、所与のハンドバキュームは、ワンド及び表面クリーニングヘッドと接続可能であり、それぞれが床クリーニングモードで動作可能な２つの異なるスティック型バキューム構成を提供することができる。一実施形態では、ハンドルをハンドバキュームの本体から取り外して、スティック型バキューム構成の１つにおけるワンドに直接接続することができる。
【０４３７】
図４２及び図４３を参照すると、再構成可能なスティック型バキューム装置の実施形態は、本体１０６及び着脱可能なハンドル１１０を有するハンドバキューム１００を含む。本体１０６は、任意の適切な構成のものでよく、吸引モータ及び空気処理部材を含むことができる。ハンドル１１０は、本明細書で説明するものを含めて任意の適切なハンドルとすることができ、好ましくはハンドバキューム１００用の電源スイッチ３１８を含む。装置はまた、ワンド１５０及び表面クリーニングヘッド１５４も含む。この実施態様では、ワンド１５０は、その端部において機械的及び電気的コネクタを含み、これらのコネクタは、本体１６０（即ち、入口導管１４６）に、そしてハンドル１１０及び／又は表面クリーニングヘッド１５４に接続するように適合されている。任意にハンドル１１０は、本明細書で説明されるようにバッテリパック１７４を含んでも含まなくてもよい。同様に、ワンド１５０は、本明細書で説明するように、バッテリパック１７４を含んでも含まなくてもよい。
【０４３８】
１つの構成（図４２）では、ハンドル１１０はハンドバキューム１００の本体１０６に接続され、ハンドバキューム１００はワンド１５０の上端に流体的及び電気的に接続される。ワンド１５０は、ワンド１５０の下端に接続された表面クリーニングヘッド１５４への空気流体連通及び電気的接続を提供し、この装置をこの構成で使用して表面をクリーニングすることができる。
別の構成（図４３）では、ハンディ型バキュームクリーナ１００の流体入口を表面クリーニングヘッド１５４に直接接続することができる。この接続には、電気コネクタも含まれ得る。そして、ワンド１５０の下端は、ハンドバキューム１００の後端に接続され、ハンドル１１０は、ワンド１５０の上端に接続することができる。この配置では、ワンド１５０は、ハンドル１１０とハンドバキューム１００の本体１０６との間に構造的及び電気的接続を提供するが、バキュームの使用時、空気流路の一部を形成しない。この実施形態では、ハンドバキューム１００の重みは、表面クリーニングヘッド１５４の近くに位置付けられ、ユーザが感じる重量及び手触りに影響を与えることができる。
清浄空気出口
【０４３９】
以下は、ハンディ型バキュームクリーナに使用することができる清浄空気出口の様々な構成及び配向の説明である。これらの機能は、任意の表面クリーニング装置において、又は本明細書に記載した任意の他の機能（複数可）との任意の組合せ又は部分的組合せにおいて単独で使用され得る。例えば、本明細書に記載される清浄空気出口構成及び配向のいずれも、サイクロンユニット、集塵チャンバ、サイクロンチャンバ、排塵方法、モータ前置フィルタ筐体、モータ前置フィルタ、着脱可能コンポーネント構成、コンポーネント構成、デュアルモード操作可能扉ロック、ハンドル構成、搭載型電源配置、ワンド、表面クリーニングヘッド、情報表示装置、電源スイッチ及び制御装置、空気流構成、吸引モータ、再構成可能バキューム、搭載充電器、電力操作モード及び本明細書に記載の他の機能のいずれかとの併用が可能である。
【０４４０】
ハンドバキュームの清浄空気出口は、本体及びハンドルを含む任意の所望する適切な場所に設置可能である。清浄空気出口は、任意にモータ後置フィルタ筐体１４０及びその中にあるモータ後置フィルタ１４２から下流側に配置される。図示の実施形態では、モータ後置フィルタは発泡体フィルタであるが、例えば、ＨＥＰＡフィルタ、ペーパーフィルタ、フェルトフィルタなどを含む任意の適切な物理的多孔質フィルタでよい。
【０４４１】
図５の実施形態では、任意に着脱可能とするグリル１３８は、モータ後置フィルタ筐体１４０の上端を覆い、清浄空気出口１１６を提供する。この実施形態では、清浄空気出口１１６がハンドバキュームの上端１２２に設けられ、清浄空気出口を通って排出される空気が、吸引モータ１２４から排出される空気と実質的に同じ方向、つまり  吸引モータ軸２４０に平行な方向に進むようになっている。この実施形態では、清浄空気出口１１６が吸引モータ１２４の上端の上に重なり、吸引モータ１２４から排出する空気は、方向を変えることなく、電動モータのフィルタ筐体１４０に直接ほぼ直線状に流れることができる。これは、吸引モータから下流に起こる背圧低減につながる。この配置では、吸引モータ軸２４０の延長部分は、モータ前置フィルタ筐体１３６及びモータ後置フィルタ筐体１４０の両方を通過して延在し、且つ清浄空気出口１１６を通って延在する。
【０４４２】
この構成では、ハンドバキュームの使用時、清浄空気出口１１６から排出される空気は、概ね上向きとなり、ハンドバキューム１００が使用中に前方に傾けられている状態では、前方に向けることができる。これは、清浄空気出口から排出される空気がユーザに吹き付けられたり、クリーニングされる表面に吹き付けられたりする（表面のほこりや塵が表面クリーニングヘッドに吸い込まれる前に、ほこりや塵の周囲に吹き付けられ飛ばされる可能性がある）のを防ぐことにつながる。
【０４４３】
任意に、モータ後置フィルタ及び清浄空気出口の一方又は両方が吸引モータの上に重なる必要はない。例えば、図１３の実施形態を参照すると、清浄空気出口１１６は、ハンドバキュームの上端１２２に設けることができるが、吸引モータ１２４から前方に（又は、後方に、或いは側面に）オフセットすることができる。この実施形態では、着脱式グリル１３８はまだハンドバキュームの上面に備えられているが、モータ後置フィルタ筐体１４０及びモータ後置フィルタ１４２は、吸引モータ１２４の前方に配置され、且つ吸引モータ１２４の上端よりも低い位置にある。また、この実施形態では、モータ後置フィルタ筐体１４０及びモータ後置フィルタ１４２は、サイクロンユニット１２６の一部の上を覆っている（図示のように、サイクロンチャンバ１２８及び収集チャンバ１３０の両方の部分を覆う）。更に、この実施形態では、モータ後置フィルタ筐体１４０は、汚染空気入口１１４と吸引モータ１２４との間で前後方向に配置され、入口導管軸１４８の延長部分は、モータ後置フィルタチャンバ１４０及び吸引モータ１２４を通過して延在している。モータ後置フィルタチャンバ１４０と清浄空気出口１１６をこのように入れ子にすることによって、ハンドバキュームの全体的なサイズを縮小させることにつながる。
【０４４４】
任意に、清浄空気出口はハンドバキュームの上端に向かって設けることができるが、排出される空気を上向きにする必要はない。その代わりに、清浄空気出口は、清浄空気出口を介して排出される空気が、前方又は後方、実質的に後方又は実質的に前方に傾斜角度を以って横向きに導かれるように構成されてよい。図２７の実施形態では、ハンドバキューム１００は、その清浄空気出口１１６が本体１６０の上端１２２に向かって設けられ、空気を概ね上方に排出するように構成されている。任意に、モータ後置フィルタ筐体１４０を、筐体側壁の前部に孔を有するように構成して、モータ後置フィルタ筐体１４０から排出される空気の一部又は全部を、破線の空気流矢印を用いて示すように前方に導くことができる。
【０４４５】
図３９の実施形態では、清浄空気出口は、ハンドル１１０の上端３０６及び下端３０８に備えられた２つの離間した出口ポートを含む。この構成では、清浄空気出口から排出される空気は、概ね後方に移動する。
図２２及び図３８の実施形態では、清浄空気出口は、本体の下端に配置される。
搭載充電器
【０４４６】
以下は、ハンディ型バキュームクリーナに備えられる充電器の様々な機能の説明である。これらの機能は、バッテリ又は他の搭載型電源、又は本明細書に記載されているその他の機能との任意の組合せ又は部分的組合せにおいて単独で使用され得る。例えば、本明細書に記載される着脱可能アセンブリ構成のいずれも、サイクロンユニット、集塵チャンバ、サイクロンチャンバ、排塵方法、モータ前置フィルタ筐体、モータ前置フィルタ、着脱可能コンポーネント構成、コンポーネント構成、デュアルモード操作可能扉ロック、ハンドル構成、搭載型電源配置、ワンド、表面クリーニングヘッド、情報表示装置、電源スイッチ及び制御装置、空気流構成、吸引モータ、再構成可能バキューム、清浄空気出口構成、電力操作モード及び本明細書に記載の他の機能のいずれかとの併用が可能である。
【０４４７】
任意に、ハンドバキューム１００は、バッテリ又は他の搭載型電源を充電するために搭載充電システムを含む。例えば、ハンドバキューム１００に搭載された内部電子機器３２０は、バッテリ１７４及び／又はバッテリ１７４からの電力の供給を管理するために、バッテリ１７４に電気的に接続された充電管理電子回路を任意に含んでいてよい。任意に、使用中に充電システムを冷却して、性能を向上させるように構成することができる。充電システムは空気流路内に配置され、吸引モータに吸引される空気、又は好ましくは吸引モータから排出される空気が、充填システム上を通ることができるようにしてよい。或いは、充電システムは、吸引モータのオンオフにかかわらず、空気の冷却流を生成するため、ファンなどの別個の空気流機構を備え付けてよい。
【０４４８】
図３９を参照すると、図示されたハンドバキューム１００は、本明細書に記載したハンドバキューム実施形態のいずれかと共に使用され得る空冷式バッテリ充電システム３７２の一実施形態を含む。空冷式バッテリ充電システムは、本明細書に記載したものなどの一体化バッテリバック１７４を有する着脱可能ハンドル１１０に機械的に取り付けられ、電気的に接続されるように構成されたバッテリ充電ユニット３７４を含む。この実施形態では、着脱可能ハンドル１１０は、温度調節のために空気がバッテリ１７４を横切って流れることを可能にする空気流路を画定する。この実施形態では、バッテリ充電ユニット３７４は、ハンドルの頂部及び底部のバッテリ収容部３０６及び３０８に電気的に接続可能である。充電ユニット３７４は、例えば、リチウムイオンバッテリなどの充電式バッテリを充電するための公知なものなどの充電電子機器を含む。また、充電ユニット３７４は、空気流路を介してハンドル１１０を通過して空気を押し出す又は引き込むために、空気流を提供するファン３７６の形態をした空気流装置を含む。このようなハンドル内のバッテリ１７４を横切る空気の流れは、充電中に所望の温度を維持して、充電時間が改善され且つ充電プロセス又は過充電により引き起こされるバッテリ内の過度な温度に起因するバッテリ１７４の損傷を低減する補助となり得る。空気流は、ハンドルの一方の端部に向かう一方向で示されているが、空気流を、いずれかの方向に、且つハンドルのいずれかの端部又は両端を介するように提供してもよい。
【０４４９】
この実施形態では、ハンドル１１０内のバッテリパック１７４は、バキュームの使用時、冷却のために吸引モータ１２４からの排気に晒され、吸引モータ１２４が使用されていないときには、ファン３７６（同じ空気流路と連通している）によって供給される空気で冷却することができる。
電力操作動作モード
【０４５０】
以下は、本明細書に記載されているような着脱式ハンドルと組み合わせて使用することができる様々な電力操作モードの説明である。これらの機能は、バッテリ又は他の搭載型電源、又は本明細書に記載されているその他の機能との任意の組合せ又は部分的組合せにおいて単独で使用され得る。例えば、本明細書に記載される着脱可能アセンブリ構成のいずれも、サイクロンユニット、集塵チャンバ、サイクロンチャンバ、排塵方法、モータ前置フィルタ筐体、モータ前置フィルタ、着脱可能コンポーネント構成、コンポーネント構成、デュアルモード操作可能扉ロック、ハンドル構成、搭載型電源配置、ワンド、表面クリーニングヘッド、情報表示装置、電源スイッチ及び制御装置、空気流構成、吸引モータ、再構成可能バキューム、清浄空気出口構成、搭載充電器及び本明細書に記載の他の機能のいずれかとの併用が可能である。
【０４５１】
任意に、ハンディ型バキュームクリーナは、様々な電力プロファイルを有する２つ以上の異なる動作モードで構成可能であってよい。例えば、ハンドバキューム１００の吸引モータ１２４は、低出力モードと高出力モードで動作可能であり、それぞれがハンドバキューム１００を通過する異なるレベルの吸引及び空気流を提供する。このような電力モードの切り替えは、いくつかの実施形態ではユーザによって手動で行われても、又は他の実施形態ではハンドバキュームの構成又は動作に基づいて自動的に行われてもよい。いくつかの実施形態では、装置は自動的に電力モードを変更するように動作することができるが、ユーザが自動変更を無効にするマニュアルオプションを含むことができる。
【０４５２】
電力モードの自動切替えを伴う実施形態では、ハンドバキューム１００は、ハンドバキューム１００の動作モード又は状態を検知し、次いで動作モードに基づいて電力モードを調整する任意の適切な機構を含むことができる。例えば、ハンドバキュームは、バキュームの動作モードを感知／判定することができる電子回路及び他の電子機器３２０を含むことができる。或いは、又は電気コンポーネント３２０に加えて、ハンドバキュームは、ハンドバキュームの動作モードを検知するための任意の適切な機械的機構を含むことができる。例えば、ワンド１５０及びハンドバキューム１００のうちの１つは、ハンドバキューム１００がワンド１５０に接続／分離されたときに、対応する機械的部材（リンク機構又はスイッチなど）と係合可能な延長部分を含むことができる。例えば、機械的結合の構成に基づいてハンドバキュームの電力モードを変更させることができる。
任意に、いくつかの実施形態では、ハンドルに備えられた内部電子機器３２０は、着脱可能なハンドル１１０に結合され使用してよい様々な電力供給装置に対して、及び／又はユーザによって選択されるこれらの電子機器の様々な操作モードに応答して、様々な電力プロファイルを定義することができる。電子機器は、例えば、低電力モード及び高電力モードなどの様々な電力モードを認識することができる。内部電子機器３２０は、パワード装置から装置識別信号を受信することによってパワード装置のタイプを認識することができる。パワード装置は、例えば、装置識別信号を提供する無線周波数識別（ＲＦＩＤ）チップを含むことができる。内部電子機器３２０はまた、ハンドバキューム内の電子機器と無線通信するための無線通信システム、コンポーネント、又はデバイスを含むことができる。他の実施形態では、内部電子機器は、バッテリとパワード装置との間に単に電力接続を提供してよい。
【０４５３】
任意に、内部電子機器３２０は、回路に亘って抵抗又はインピーダンスを測定することにより、及び／又はそれらに対する変化を検出することによってハンドル１１０に接続されたパワード装置の特質を感知することができる。これは、ハンドバキューム１００が使用されている間に電動ブラシロールモータ１７２をオン又はオフにする、及び／又は高吸引モードから低吸引モードに切り替えるなど、装置の状態変化を感知するために利用可能である。内部電子機器３２０は、装置が同様の手法で接続又は分離されるときを任意に検出することもできる。例えば、ワンド１５０及び表面クリーニングヘッド１５４がハンドバキューム１００に接続されたとき（ブラシモータ１７２に電力を供給するために使用できるように）、及びハンドバキューム１００がワンド１５０から取り外されたときを感知するように内部電子機器を設定することができる。任意に、内部電子機器３２０は、このような状態変化に基づいて吸引モータの出力レベル及び動作モードを自動的に調整するように設定することができる。
例えば、ワンド１５０及び表面クリーニングヘッド１５４がハンドバキューム１００に接続されている場合、ハンドバキュームは、床クリーニングモード電力レベルで動作させることができる。ハンドバキューム１００がワンド１５０から取り外されると、内部電子機器３２０は、バキュームパワー管理を自動的に調整して、吸引モータが異なるレベル、且つ床クリーニングパワーレベル以上で動作するようになる。任意に、上記床クリーニング出力レベルを、床クリーニングモード出力レベルよりも高くすることができる（即ち、吸引モータ１２４は、上記床クリーニングモードでより多くの吸引力を生成する）。ハンドバキュームがワンド１５０及び表面クリーニングヘッド１５４に接続されている状態で、吸引モータ１２４を低電力レベルで動作させることにより、バッテリ電力の大部分をブラシモータ１７２に導くことができる。パワードブラシが回転して表面を攪拌すると、それによって機械的に塵や毛髪及びゴミを除去するのに役立つことがある。このようにして塵や毛髪及びゴミの塊が機械的にほぐされると、機械的攪拌がない場合に必要とされるよりも比較的少ない吸引力（即ち、吸引モータの低出力モード）で吸引することができる。これにより、表面の所望のクリーニングをなお達成しながら、床クリーニングモードでより低い吸引モータ出力レベルを使用することができる。或いは、床クリーニングパワーモードを、床上方のクリーニングモードパワーレベルより高くしてもよい。
【０４５４】
任意に、電力モードを自動的に検知し調整することに加えて、又はそれに代えて、装置は、スイッチなどの手動電力選択機構を含むことができ、ユーザは、所与の装置の電力モードを手動で選択することができる。必要に応じて、電力モードスイッチをハンドルに備え付けても、及び／又は主電力スイッチ３１８に関連させてよい。或いは、電力モードスイッチをハンドバキューム本体又は別の装置の本体に備えることができる。この構成では、個々の装置は、共通のハンドルで併用できる適切な電力モードスイッチを含むことができる（又は電力モードスイッチを含まなくてよい）。例えば、ハンドバキューム１００に吸引モータ電力レベルスイッチを備え、ドリルには高／低設定を設け、蒸気モップには加熱又は沸騰サイクルを修正するための制御機器を設けてよい。所与の装置に装置特有のスイッチを備えることは、ハンドル設計の複雑さを低減しながら、共通のハンドルを複数の装置で使用することを容易にし得る。
【０４５５】
上述の記載は、本発明を説明することを意図したものであり且つ限定的なものではなく、本書に添付の特許請求の範囲に定義されるように、本発明の範囲から逸脱することなく、他の変形及び修正を行うことができることは、当業者には理解されるであろう。特許請求の範囲は、好ましい実施形態及び実施例によって限定されるべきではなく、記載全体と一致する最も広い解釈を与えられるべきである。
【図１】
2019505293.tif 000003
【図２】
2019505293.tif 000004
【図３】
2019505293.tif 000005
【図４】
2019505293.tif 000006
【図５】
2019505293.tif 000007
【図６】
2019505293.tif 000008
【図７】
2019505293.tif 000009
【図８】
2019505293.tif 000010
【図９】
2019505293.tif 000011
【図１０】
2019505293.tif 000012
【図１１】
2019505293.tif 000013
【図１２】
2019505293.tif 000014
【図１３】
2019505293.tif 000015
【図１４】
2019505293.tif 000016
【図１５】
2019505293.tif 000017
【図１６】
2019505293.tif 000018
【図１７】
2019505293.tif 000019
【図１８】
2019505293.tif 000020
【図１９】
2019505293.tif 000021
【図２０】
2019505293.tif 000022
【図２１】
2019505293.tif 000023
【図２２】
2019505293.tif 000024
【図２３】
2019505293.tif 000025
【図２４】
2019505293.tif 000026
【図２５】
2019505293.tif 000027
【図２６】
2019505293.tif 000028
【図２７】
2019505293.tif 000029
【図２８】
2019505293.tif 000030
【図２９】
2019505293.tif 000031
【図３０】
2019505293.tif 000032
【図３１】
2019505293.tif 000033
【図３２】
2019505293.tif 000034
【図３３】
2019505293.tif 000035
【図３４】
2019505293.tif 000036
【図３５】
2019505293.tif 000037
【図３６】
2019505293.tif 000038
【図３７】
2019505293.tif 000039
【図３８】
2019505293.tif 000040
【図３９】
2019505293.tif 000041
【図４０】
2019505293.tif 000042
【図４１】
2019505293.tif 000043
【図４２】
2019505293.tif 000044
【図４３】
2019505293.tif 000045
【図４４】
2019505293.tif 000046
【図４５】
2019505293.tif 000047
【国際調査報告】
2019505293.tif 000048
2019505293.tif 000049
2019505293.tif 000050
2019505293.tif 000051
2019505293.tif 000052
2019505293.tif 000053
2019505293.tif 000054
2019505293.tif 000055
2019505293.tif 000056
2019505293.tif 000057